(57)【要約】  本明細書では、安定したガス流量で可変液体真空を生成するための装置、システム及び方法を説明する。特に、吸引装置が液体及びガスの混合を吸引する場合、液体成分に可変真空又は真空を提供する一方、ガスの流量は一定又は実質的に一定のままであることは有利である。
2019513426.tif 000002
【特許請求の範囲】
【請求項１】
吸引力を生成する方法であって、
吸引装置内の調節可能な真空を使用して前記吸引装置内で吸引流を生成することを含み、
前記吸引流は液体流とガス流を含み、前記液体流は調節可能である一方、前記ガス流は、調節可能な真空の調節に呼応して実質的に一定のままとなる方法。
【請求項２】
前記調節可能な真空は、前記吸引装置内の相対的に低圧の領域によって生成される請求項１に記載の方法。
【請求項３】
前記相対的に低圧の領域は、前記装置の第１の導管を通って前記装置の第２の導管に流れる加圧ガス流を導くことによって生成される請求項２に記載の方法。
【請求項４】
前記吸引装置は、中心軸を有し、前記第１の導管は、前記中心軸に対して９０度未満の角度で位置決めされる請求項３に記載の方法。
【請求項５】
前記調節可能な真空は、前記第１の導管の直径を調節することによって調節される請求項４に記載の方法。
【請求項６】
方法であって、
吸引装置内で吸引力を生成することと、
液体の吸引能力が調節される一方でガスの吸引能力が実質的に一定に保たれているように吸引能力を調節することを含む方法。
【請求項７】
前記吸引力は、前記吸引装置内の相対的に低圧の領域によって生成される請求項６に記載の方法。
【請求項８】
前記相対的に低圧の領域は、前記装置の第１の導管を通って前記装置の第２の導管に流れる加圧ガス流を導くことによって生成される請求項７に記載の方法。
【請求項９】
前記吸引装置は、中心軸を有し、前記第１の導管は、前記中心軸に対して９０度未満の角度で位置決めされる請求項８に記載の方法。
【請求項１０】
前記調節可能な吸引力は、前記第１の導管の直径を調節することによって調節される請求項９に記載の方法。
【発明の詳細な説明】
【技術分野】
【０００１】
関連出願
本出願は、２０１６年４月６日に出願された米国仮出願第６２／３１９，１８９号の利益を主張するものであり、２０１７年４月５日に出願された米国出願第１５／４８０，３６５号の継続出願であり、これらはそれぞれ、参照により本明細書に援用するものとする。
【背景技術】
【０００２】
吸引は多種多様な適用方法により多くの方法で行うことができる。通常、吸引力生成装置は、ガス、液体又はこれらの任意の組み合わせを環境から除去するために使用する。吸引力は、通常、ノイズが多く、使用が面倒となる傾向にある電気的又はモータ駆動の装置によって生成される。
【０００３】
より複雑な吸引システムとしては、例えば、導管を通して加圧ガス流を導くことによって低圧領域を発生させるものもある。例えば、導管を通すことにより加圧ガスの高速噴流を生成する導管を通して加圧ガス流を導く装置及びシステムにより、導管に対して低圧領域を生成する。
【発明の概要】
【０００４】
本明細書では、吸引力を提供するための装置、システム及び方法を説明する。いくつかの実施形態では、吸引力は受動的に発生する。
【０００５】
本明細書では、空気増幅器を含む外科吸引装置を説明する。いくつかの実施形態では、空気増幅器は、第１の端部に第１の開口部と、第２の端部に第２の開口部とを有するほぼ円筒形空洞を画定する構造を有する。いくつかの実施形態では、円筒形空洞は、空洞の内壁によって画定される。いくつかの実施形態では、空気増幅器は、第１の端部近傍の内壁に環状の開口部を有する。いくつかの実施形態では、環状の開口部は、加圧ガスを環状の開口部から流出可能に構成された噴出開口部を画定し、低圧領域が第１の端部で生成され、増幅された流れが第２の端部で生成される。環状の開口部はさらに、加圧ガスが、第２の端部に向かう空洞の内壁に対して角度を付けて空洞内に入るように構成される。空洞は、環状の開口部が空洞と連通する箇所まで直径が大きく、拡開状になっている。
【０００６】
本明細書で説明するのは、受動吸引装置であって、ガス、液体、又はこれらの組み合わせを受け入れるように構成された吸入ポートと、第１の開口部と、前記第１の開口部を包囲する第１の外面と、を備えた第１の中空区間とを備えた筐体と、内部を有し、前記ガス、前記液体、又は前記これらの組み合わせを前記筐体から解放するように構成された排出ポートと、前記第１の開口部に対向する第２の開口部と、前記第２の開口部を包囲して前記第１の外面に対向する第２の外面と、を備えた第２の中空区間と、を備えた筐体と、加圧ガス流を受け入れるように構成された加圧ガスポートを備えた空気流増幅器と、前記第１の外面と前記第２の外面との間の間隙空間を備えた導管とを備え、前記導管は加圧ガスポートと流体連続性を有し、前記導管は、加圧ガスポートから加圧ガス流を受け入れ、加圧ガス流を第２の中空区間に導くように、第２の開口部に対してある角度で位置決めされているので、前記加圧ガス流が前記第２の中空区間内を通る際に、前記加圧ガス流が前記第２の中空区間の１つ以上の内表面を略全体に沿って流れる。いくつかの実施形態では、前記吸入ポートは、前記ガス、前記液体、又は前記これらの組み合わせの逆流を防止するように構成された弁をさらに備える。いくつかの実施形態では、受動吸引装置はさらに、ガス、液体、又はこれらの組み合わせの逆流がある場合、筐体を通して作動するように構成された警報を備える。いくつかの実施形態では、警報ポートは、第１の区間と連続している。いくつかの実施形態では、受動吸引装置は、さらに、フィルタを備える。いくつかの実施形態では、第１の中空区間及び第２の中空区間は、互いに相対的に移動するように構成され、第１の外面と第２の外面との間の距離を変化させることにより、導管の間隙空間の幅を調節する。いくつかの実施形態では、加圧ガス流の実質的に全体が、第２の区間の中空内部の一以上の表面に沿って移動すると、第２の区間の内部に低圧領域が形成され、吸入ポートを通してガス、液体、固形物又はこれらの任意の組み合わせを吸引する吸引力を生じ、第１の中空区間を通り、第１の開口部を通り、第２の開口部を通り、第２の中空区間を通り、排出ポートを通って流れる。いくつかの実施形態では、導管は、第１の表面の角度によって決定される角度に位置決めされ、第１の表面の角度は、０度から９０度の角度を含む。
【０００７】
また、本明細書で説明するのは、吸引力を受動的に生成する方法であって、装置を設けることであって、装置は第１の中空区間と第２の中空区間と、加圧ガス流を受けるように構成された加圧ガスポートを含む空気流増幅器と、前記第１の中空区間と前記第２の中空区間との間に間隙空間を含む導管とを備えた装置を設けることを含み、前記導管は加圧ガスポートと流体連続性を有し、前記導管は、加圧ガスポートから加圧ガス流を受け入れ、加圧ガス流を第２の開口部に導いて位置決めされているので、前記加圧ガス流が前記第２の中空区間内を通る際に、前記加圧ガス流が本質的に前記第２の中空区間の１つ以上の内面を略全体に沿って流れる。いくつかの実施形態では、本装置は、ガス、液体、又はこれらの組み合わせの逆流を防止するように構成された弁をさらに備える。いくつかの実施形態では、本装置はさらに、ガス、液体、又はこれらの組み合わせの逆流が起きたときに、筐体を通して作動するように構成された警報を備える。いくつかの実施形態では、本装置はさらに、空気の逆流が警報ポートを通過するときに警報を鳴らすように構成された空気警報を備えた警報ポートを備える。いくつかの実施形態では、警報ポートは、第１の区間と連続している。いくつかの実施形態では、本装置は、さらに、フィルタを備える。いくつかの実施形態では、導管の間隙空間の幅は調節可能である。いくつかの実施形態では、第２の中空区間を通る加圧ガスの流れは、第２の中空区間の内部に低圧領域を形成し、それによって吸引力を生じさせる。いくつかの実施形態では、第２の中空区間は、導管からの加圧ガス流を受け入れるように構成された開口部を含み、前記導管は、第１の中空区間に対して０度から９０度の角度で加圧ガス流を導くように位置決めされる。
【０００８】
本明細書で説明するのは、吸引装置の導管への加圧ガス流を受け入れる受動吸引装置を用いて吸引を受動的に生成する方法であって、加圧ガスの流れを装置の第１の中空区間と第２の中空区間との間の間隙空間を通って流れ、加圧ガスが第２の中空区間とを通って流れるとともに前記第２の中空区間の中空内部の一以上の表面の実質的に全体に沿って流れるように導いて前記吸引力を生成することを含む。いくつかの実施形態では、前記方法は、さらに、間隙空間の寸法を調節して、吸引力の強度を調節することを含む。いくつかの実施形態では、前記方法はさらに、吸引力を利用して、固形物、液体又はこれらの混合物を含む吸引流を受け入れることを含む。いくつかの実施形態では、前記方法はさらに、吸引流を濾過することを含む。いくつかの実施形態では、前記方法は、さらに、吸引流が遮断されると警報を鳴らすことを含む。いくつかの実施形態では、第２の中空区間は、導管からの加圧ガス流を受け入れるように構成された開口部を含み、前記導管は、第１の中空区間に対して０度から９０度の角度で加圧ガス流を導くように位置決めされる。
【０００９】
本明細書で説明するのは、外科的処置の間に吸引力を提供する方法であって、吸引装置を介して加圧ガスの流れを導くことにより受動的に吸引力を生成する吸引装置を受け取ることと、前記加圧ガスを前記装置に送達して、外科的処置中に吸引力を提供することと、そして手術野に前記吸引力をかけることによって、外科的処置の結果として生まれたガス、液体、固形物又はこれらの任意の組み合わせを吸引することとを含む。いくつかの実施形態では、前記方法はさらに、前記吸引力の強度を調節することを含む。いくつかの実施形態では、前記方法は、吸引されたガス、液体、固形物、又はこれらの任意の組み合わせを濾過することをさらに含む。いくつかの実施形態では、前記方法は、さらに、本装置に妨害物が存在すると警報を鳴らすことを含む。いくつかの実施形態では、本装置は、キャニスタ及び吸引チューブを含む外科的吸引システムと結合するように構成される。いくつかの実施形態では、吸引装置は、吸引ガス、液体、固形物、又はこれらの任意の組み合わせの逆流を防止するように構成された弁をさらに備える。いくつかの実施形態では、本装置の吸引能力は、約１０ポンド／平方インチから約２５ポンド／平方インチの間である。
【００１０】
本開示の一態様は、受動吸引装置を提供する。本装置は、（ａ）中心軸を有する第１の中空区間であって、前記第１の中空区間は、（ｉ）ガス、液体、固形物又はこれらの任意の組み合わせを受け入れるように構成された吸入ポート、（ｉｉ）第１の開口部、及び（ｉｉｉ）前記第１の開口部を少なくとも部分的に囲む第１の対向面と、（ｂ）内部を有し、（ｉ）前記ガス、前記液体、前記固形物又はこれらの任意の組み合わせを解放するように構成された排出ポートと、（ｉｉ）前記第１の開口部に対向する第２の開口部と、（ｉｉｉ）前記第２の開口部を少なくとも部分的に囲んで前記第１の外面に対向する第２の対向面を備えた第２の中空区間と、（ｃ）（ｉ）加圧ガス流を受け入れるように構成された加圧ガスポートと、（ｉｉ）第１の対向面と第２の対向面とによって形成される導管と、を備えた空気流増幅器とを備える。いくつかの実施形態では、前記導管は、加圧ガスポートと流体連通している。いくつかの実施形態では、第１の対向面は、第１の中空区間の中心軸に対して９０度未満の角度を有する。いくつかの実施形態では、前記導管は加圧ガス流を受け入れるように構成され、加圧ガス流を第２の開口部に導くことによって、第２の開口部を通る加圧ガス流が、吸入ポートがガス、液体、固形物又はこれらの組み合わせを受け入れる低圧領域を生成するように構成されている。
【００１１】
いくつかの実施形態では、吸入ポートは、ガス、液体、又はこれらの組み合わせの逆流を防止するように構成された弁をさらに備える。いくつかの実施形態では、本装置はさらに、ガスの逆流、液体、又はこれらの組み合わせがある状態で、作動するように構成された警報を備える。いくつかの実施形態では、警報ポートは、第１の区間と流体連通している。いくつかの実施形態では、装置は、ガス、液体、固形物、又はこれらの組み合わせに濾過するように構成されたフィルタをさらに備える。いくつかの実施形態では、本装置は、導管の幅を調節するように構成されたチューナアームをさらに含み、前記チューナアームは、互いに対して第１の中空区間及び第２の中空区間のうちの一以上を移動するように構成され、第１の対向面と第２の対向面との間の距離を変化させる。いくつかの実施形態では、導管の幅は、約０ミリメートル（ｍｍ）と約２ｍｍとの間で調節可能である。いくつかの実施形態では、本装置は角度調節コントローラを備え、前記角度調節コントローラは角度を調節するように構成されている。
【００１２】
本開示の一態様は、空気流増幅器を提供する。空気増幅器は、（ａ）直径があり、第１の壁と第２の壁とを有する導管であって、加圧ガス流を受け入れるように構成された導管と、（ｂ）前記導管と流体連通し、中心軸を有する中空区間と、（ｃ）前記導管の幅を調節するように構成されたチューナアームと、を備える。いくつかの実施形態では、前記導管の第１の壁は、受容通路の中心軸に対して９０度未満の角度で角度が付けられる。いくつかの実施形態では、前記導管は、加圧ガス流を中空区間に向けて、中空区間を流れる加圧ガス流が、吸引流を生成するとともに前記加圧ガスの流れを増幅する低圧領域を生成する。いくつかの実施形態では、チューナアームは、一以上の第１の壁と第２の壁との間を互いに対して移動させるように構成される。
【００１３】
いくつかの実施形態では、増幅器は、吸引流が加圧ガス流れによって生成されるチャンバをさらに備える。いくつかの実施形態では、増幅器は、吸引流が通過するフィルタをさらに備える。いくつかの実施形態では、チャンバは、前記チャンバの外部での吸引流の逆流を防止するように構成された流れ弁をさらに備える。いくつかの実施形態では、増幅器は、受容通路内に妨害物が存在しているときに音を鳴らすように構成された警報をさらに含む。いくつかの実施形態では、導管の幅は、約０ミリメートル（ｍｍ）と約２ｍｍとの間で調節可能である。
【００１４】
本開示の一態様は、吸引システムを提供する。吸引システムは、（ａ）加圧ガスと、（ｂ）（ｉ）前記加圧ガスを受け入れるように構成された加圧ガスポートと、（ｉｉ）直径を有し、第１の壁と第２の壁とを備え、加圧ガス流を受け入れるように構成された導管と、（ｉｉｉ）前記導管との間で流体連通し、中心軸を有する中空区間と、を備えた吸引装置と、（ｃ）ガス、液体、固形物、又はこれらの組み合わせを受け入れるように構成されたキャニスタと、を備える。いくつかの実施形態では、前記導管の第１の壁は、受容通路の中心軸に対して９０度未満の角度で角度が付けられる。いくつかの実施形態では、前記導管は、加圧ガス流を中空区間に導くように構成され、中空区間を流れる加圧ガス流が、吸引流を生成する低圧領域を生成する。いくつかの実施形態では、キャニスタは吸引装置によって発生される吸引力がキャニスタに伝達されるように吸引装置と流体連通し、キャニスタがガス、液体、固形物又はこれらの組み合わせを受け入れるようになっている。
【００１５】
いくつかの実施形態では、加圧ガス流導管は直径を有し、前記直径は調節可能である。いくつかの実施形態では、吸引装置は、受容通路内に妨害物が存在しているときに音を鳴らすように構成された警報をさらに含む。いくつかの実施形態では、キャニスタは、液体、固形物、又はこれらの組み合わせを含有するように構成され、ガスは、キャニスタを通して吸引装置内へと吸引される。いくつかの実施形態では、吸引装置は、吸引ガスが通過するフィルタをさらに備える。いくつかの実施形態では、吸引システムは、導管の幅を調節するように構成されたチューナアームをさらに含み、チューナアームは、互いに対して第１の壁と第２の壁とのうちの一以上を移動するように構成される。
【００１６】
本明細書では、ガス流量が安定した可変液体吸引流を生成するための装置、システム及び方法を説明する。特に、吸引装置がガスと共に液体（及び／又は固形物）を吸引する場合、ガスの吸引流量が一定又は実質的に一定でありながら、液体の吸引力の程度を様々に変えて提供することができるので有利である。これは、液体吸引の強度が調節可能な間隔で、ガス吸引流量が最大となる（そしてその最大流量で一定に保たれる）場合に、特に有益である。吸引される液体（及び／又は固形物）材料は、通常は、吸引される領域内に直接配置されるが、非混和性ガスは、通常は、吸引されるべき領域又はその周辺に配置される。なぜなら、液体（及び／又は固形物）に対する重力の影響と、ガスに対する重力の影響が異なるためである。このようにして、吸引されるべき領域に加えられる吸引力は、吸引される領域内に位置する液体（及び／又は固形物）の吸引流の度合いに反映される。従って、吸引される領域における液体吸引の変動性は、液体が位置する吸引される領域に加えられる吸引力の変動性を表す。
【００１７】
多くの場合、ガスの流れを一定に維持しながら吸引する領域に対する吸引力を変えられると、有利なことが多い。例えば、ある種の外科においては、ガスの吸引流量を一貫して維持しつつ、手術野に対する吸引力を調節可能とすることが有益である。例えば、外科的処置において電気焼灼を使用する場合、有害で有毒な煙が生成されるので、防止するために手術野から最大量の外科的煙を吸引し、外科的治療チームが煙に曝される可能性を最小限に抑えるとともに、例えば、血液、リンパ液、脂肪、または他の外科的副産物を手術野から取り除くように構成された吸引装置を提供することは非常に有益である。
【００１８】
手術が異なると、また、同じ手術でも部位が異なると、それぞれの手術野に適用すべき吸引力のレベルは異なる。外科的処置によっては、手術野に対する吸引力が強いと、吸引された領域内の患者組織が損傷する場合もある。従来の外科吸引装置は、通常、繊細な組織を含む外科的処置で使用する場合には、弱めて吸引による損傷を防ぐ。結果として、従来の外科吸引装置は、患者を保護するために吸引の量を減少するので、処置中に、実質的には外科的煙を全く吸引しない。これは、従来の外科吸引装置では、吸引されるどの材料の吸引度を調節する能力がなく、全体の吸引のみが調節可能であるからである。本明細書に記載された吸引装置、システム及び方法では、手術野内からの液体（及び／又は固形物）吸引は調節可能であるが、手術野及びその周囲空気に生じた煙の吸引は、手術野からの液体（及び／又は固形物）の吸引の程度に対して行われる調節とは無関係に一定の高レベルで維持される。
【００１９】
神経外科手術又は血管手術の場合、例えば、吸引力で繊細な神経組織又は血管組織を損傷させないように、真空を最小限に適用することが望ましい。したがって、装置によって手術野から最大の煙吸引を提供する一方で、吸引装置によって手術野にかかる吸引量を減少させる能力を有することが望ましい。例えば、腹部の外科的処置の場合、処置の範囲内で手術野にかかる吸引量を増加させ、減少させることが望ましい。例えば、同じ腹部外科的処置では手術野比較的大きい吸引力を提供するのが望ましく、一方で、繊細な器官、ダクト及び血管系の周囲で焼灼メスを使用する場合には、これら繊細な構造物に吸引損傷を生じさせないように、灌注流体を吸引し、手術野に比較的小さい吸引力を提供するのが望ましい。
【００２０】
調節可能な真空を提供しながら、任意の非最大レベルでガス吸引流量を維持するための用途も、本明細書において同様に考えられる。
【００２１】
本明細書では、吸引装置内の調節可能な真空を使用して吸引装置内に吸引流を生成することを含み、吸引流は液体吸引流とガス吸引流とを含み、液体吸引流は調節可能であるが、ガス吸引流は、調節可能な真空の調節に呼応して実質的に一定の状態のままとなる方法を説明する。一実施形態では、調節可能な真空は、吸引装置内の相対的に低圧の領域によって生成される。一実施形態では、相対的に低圧の領域は、装置の第１の導管を通って装置の第２の導管に加圧ガス流を導くことによって生成される。一実施形態では、吸引装置は中心軸を有し、第１の導管は中心軸に対して９０度未満の角度で位置決めされる。一実施形態では、調節可能な真空は、第１の導管の直径を調節することによって調節される。
【００２２】
本明細書では、吸引装置内に吸引力を発生させる方法と、ガスの吸引流量が実質的に一定である間に液体の吸引流量が調節されるように吸引を調節する方法とを含む。一実施形態では、吸引力は、吸引装置内の相対的に低圧の領域によって生成される。一実施形態では、相対的に低圧の領域は、装置の第１の導管を通って装置の第２の導管に加圧ガス流を導くことによって生成される。一実施形態では、吸引装置は中心軸を有し、第１の導管は中心軸に対して９０度未満の角度で位置決めされる。一実施形態では、調節可能な真空は、第１の導管の直径を調節することによって調節される。
【００２３】
参考文献による引用
個々の刊行物、特許、又は特許出願が、具体的かつ個別に参照により援用されるのと同程度に、本明細書中で言及されるすべての刊行物、特許及び特許出願は参照により本明細書に援用されるものとする。
【図面の簡単な説明】
【００２４】
本明細書に記載の主題の新規な特徴は、添付の特許請求の範囲に詳細に記載されている。本主題の特徴及び利点は、本明細書に記載される主題の原理が利用される例示的な実施形態を示す以下の詳細な説明及び添付の図面を参照することによってより良く理解できるであろう。
【００２５】
【図１】吸引システムを示すブロック図である。
【００２６】
【図２】吸引システムを作動させる方法を示すブロック図である。
【００２７】
【図３】逆流防止を備えた吸引システムを示すブロック図である。
【００２８】
【図４】逆流警報を備えた吸引システムを示すブロック図である。
【００２９】
【図５】安全機能を備えた吸引システムを示すブロック図である。
【００３０】
【図６】安全機能を備えた吸引システムを作動させる方法を示すブロック図である。
【００３１】
【図７】妨害物除去制御を備えた吸引システムを示すブロック図である。
【００３２】
【図８】安全機能及び妨害物除去制御を備えた吸引システムを示すブロック図である。
【００３３】
【図９】安全機能及び妨害物除去制御を備えた吸引システムを作動させるための方法を示すブロック図である。
【００３４】
【図１０Ａ】濾過吸引システムを示すブロック図である。
【００３５】
【図１０Ｂ】濾過吸引システムの動作を示すブロック図である。
【００３６】
【図１１】濾過吸引システムを作動させる方法を示すブロック図である。
【００３７】
【図１２】正圧作動吸引装置を示すブロック図である。
【００３８】
【図１３】逆流防止を備えた正圧作動吸引装置を示すブロック図である。
【００３９】
【図１４】逆流警報を備えた正圧作動吸引装置を示すブロック図である。
【００４０】
【図１５】安全機能を備えた正圧作動吸引装置を示すブロック図である。
【００４１】
【図１６】安全機能を備えた濾過吸引装置を示すブロック図である。
【００４２】
【図１７】補償フィルタ吸引装置を示すブロック図である。
【００４３】
【図１８】補償フィルタ吸引装置を作動させる方法を示すブロック図である。
【００４４】
【図１９】調節可能な圧力ギャップを有する吸引装置を示すブロック図である。
【００４５】
【図２０】調節可能な圧力ギャップを有する吸引装置を作動させる方法を示す図である。
【００４６】
【図２１Ａ】逆流防止弁を備えた吸引装置を示す図である。
【００４７】
【図２１Ｂ】逆流防止弁を備えた吸引装置の導管を示す、図２１Ｂ１の拡大図である。
【図２１Ｃ】同上
【００４８】
【図２１Ｄ】正常動作中の逆流防止弁を備えた吸引装置の動作を示す図である。
【００４９】
【図２１Ｅ】障害物の場合の逆流防止弁を備えた吸引装置の動作を示す図である。
【００５０】
【図２２Ａ】逆流防止弁の分解図を示す図である。
【００５１】
【図２２Ｂ】妨害物発生中の逆流防止弁を示す図である。
【００５２】
【図２２Ｃ】正常動作中の逆流防止弁を示す図である。
【００５３】
【図２３Ａ】正常動作中の、安全機能を備えた正圧真空装置の動作を示す図である。
【００５４】
【図２３Ｂ】妨害発生の場合の安全機能を備えた正圧吸引装置の動作を示す図である。
【００５５】
【図２４Ａ】正圧作動吸引装置を示す図である。
【００５６】
【図２４Ｂ】図２４Ｂ１の拡大図であり、正圧作動吸引装置に対する調節可能な圧力ギャップの作動を示す図である。
【００５７】
【図２４Ｃ】図２４Ｃ１の拡大図であり、正圧作動吸引装置に対する調節可能な圧力ギャップの作動を示す図である。
【００５８】
【図２４Ｄ】正常動作中の正圧作動吸引装置の動作を示す図である。
【００５９】
【図２４Ｅ】正常動作中の正圧作動吸引装置の動作を示す図である。
【００６０】
【図２５】手術室で使用する吸引システムを示すブロック図である。
【００６１】
【図２６】手術室で使用する吸引システムを作動させる方法を示す図である。
【００６２】
【図２７】正圧作動吸引装置用のマフラを示す図である。
【００６３】
【図２８】２つの区間が互いに隣接して配置されているときに導管を形成する、傾斜した端部又は拡開した端部の角度を示す図である。
【００６４】
【図２９】異なる装置設定と、それに対応する煙流量を標準立方フィート／分（ｓｃｆｍ）で示し、静的真空をミリメートル水銀（ｍｍＨｇ）で示す表である。
【００６５】
【図３０】入力圧力３０ｐｓｉにおける異なる装置の聴覚ノイズレベル（ｄＢ）を示す表である。
【００６６】
【図３１】中心軸に対して３５度の角度を有する拡開端部（図３１Ａ）又は中心軸に対して５５度の角度を有する拡開端部（図３１Ｂ）を用いた計算流体力学（ＣＦＤ）解析を示す図である。
【００６７】
【図３２】中心軸に対して３５度の角度、又は中心軸に対して５５度の角度を付けての入力圧力を関数とした最大静的真空を示すグラフである。
【００６８】
【図３３】入力圧力３４ｐｓｉでの静的真空を関数とした空気消費（ｓｃｆｍ）を示すグラフである。
【００６９】
【図３４】入力圧力３０ｐｓｉでの静的真空を関数とした空気消費（ｓｃｆｍ）を示すグラフである。
【００７０】
【図３５】ポンド／平方インチ（ｐｓｉ）で表す入力空気圧を関数とした最大吸引時のノイズレベル（ｄＢ）を示すグラフである。
【００７１】
【図３６】シミュレートされたフィルタ閉塞を関数とした入口圧力及び出口流量を示すグラフである。
【００７２】
【図３７】試験装置を例示する画像であり、３７Ａが圧力計、３７Ｂが血圧計、３７Ｃが流量計、３７Ｄが騒音計、３７Ｅが流量計、及び３７Ｆが流量計である。
【００７３】
【図３８】空気消費測定のために設置された試験装置を示すフロー図である。
【００７４】
【図３９】静的真空測定のために設置された試験装置を示すフロー図である。
【００７５】
【図４０】静的真空及びノイズ測定のために設置された試験装置を示すフロー図である。
【００７６】
【図４１】吸引装置の概略図である。
【００７７】
【図４２】ガスの流れを使用して真空を生成する吸引装置の概略図である。
【００７８】
【図４３】装置の中を通って装置に導かれるガスの流れを使用して真空を生成する吸引装置の概略図である。
【００７９】
【図４４】ガスの流れを導くための一以上の導管を備える吸引装置の概略図である。
【００８０】
【図４５】は、ガスの流れを導くための一以上の導管を備えた吸引装置の概略図であり、一以上の導管は、装置の中心軸に対して９０度未満の角度である。
【００８１】
【図４６】角度の付いた導管を通るガスの方向によって真空が生成される吸引装置の概略図である。
【００８２】
【図４７】コアンダ効果を利用して真空を発生させる吸引装置の概略図である。
【００８３】
【図４８】装置の内部と、装置を取り巻く環境との間の圧力差が、装置に対する真空及び流量にどのように影響するかを示す図である。
【００８４】
【図４９】装置の機械的特性の変化が、装置に対する真空及び流量の両方にどのように影響するかを示す図である。
【００８５】
【図５０】実質的に一定の流量に対して可変真空がどのように達成されるかを示す図である。
【００８６】
【図５１】ブタ試験における煙の排出に関して、様々な装置条件を示す表である。
【００８７】
【図５２】ブタ試験における最大静的真空（ｍｍＨｇ）を示す表である。
【００８８】
【図５３】ブタ試験における最大静的真空（ｍｍＨｇ）を示すグラフである。
【００８９】
【図５４】ブタ実験における最大静的真空（ｍｍＨｇ）を関数としたデシベル（ｄＢ）での聴覚ノイズレベルを示す表である。
【００９０】
【図５５】２つのＹ軸上のＣＦＭで測定された吸引流における真空及びガス流のデータを示すグラフである。
【発明を実施するための形態】
【００９１】
本明細書では、吸引力を生成するための装置、方法及びシステムについて記載する。本明細書に開示された本発明の概念の少なくとも一実施形態を詳細に説明する前に、本発明の概念は、構成、実験、例示的データ、及び／又は以下の説明に記載された構成要素の配置、又は図面に図示されている構成の詳細への適用に限定されないことを理解すべきである。現在開示され、かつ請求項に係る発明の概念は、他の実施形態又は様々な方法で実施される、又は実施可能である。また、本明細書で使用される用語及び用語は、説明のみを目的とするものであり、決して制限するものではないことが理解されるべきである。
【００９２】
本発明の概念をより完全に理解するために、本発明の主題の実施形態に関する以下の詳細な説明では、多くの具体的な詳細が記載されている。しかし、開示内の本発明の概念は、これら特定の詳細なしに実施することができることは当業者には明らかであろう。他の例では、周知の特性は、即時開示を不必要に複雑化することを避けるため、詳細に記載していない。
【００９３】
さらに、別段の記載がない限り、「又は」とは、包含的又は排他的でないものをいう。例えば、条件Ａ又はＢは、Ａは真（又は存在する）で、Ｂは偽（又は存在しない）、Ａは偽（又は存在しない）でＢは真（又は存在する）、そして、ＡとＢは両方とも真（又は存在する）、のいずれかで満たされるものとする。
【００９４】
さらに、本発明の実施形態の要素及び構成要素を記述するために、「ａ」又は「ａｎ」の使用を採用している。これは便宜上のためだけであり、発明概念の一般的な感覚を付与するためだけのものである。この記述は、一つ、又は少なくとも一つを含むように読み取るべきであり、それが特に他の意味あることが明らかでない限り、単数形には複数形も含まれる。
【００９５】
本明細書で使用される用語「被験者」は、ヒト被験体又は任意の動物被験体を指す場合がある。
【００９６】
そして、本明細書で使用される用語「一実施形態」又は「実施形態」は、本実施形態に関連して記述される特定の要素、特性、構造、又は特徴は、少なくとも１つの実施形態に含まれることを意味する。明細書の様々な場所における「一実施形態」の文言の外観は、必ずしも同一の実施形態を参照しているわけではない。
【００９７】
いくつかの実施形態では、煙、組織及び体液のような内科的又は外科的副産物を除去するための吸引装置は、コアンダ効果を用いた空気流増幅器を用いて吸引力を生成する。吸引力は、主に、吸引装置に供給される空気又はガス（通常、周囲よりも高い圧力で加圧される）の流れから装置で生成されるが、外部吸引ポンプではなく（装置は吸引ポンプと共に使用されてもよい）、吸引装置に供給される。装置は、「逆」方向からの加圧ガスの流れと誤った方向に装置から流出することを防止する安全機能を備えていてもよい。換言すれば、装置は、問題を引き起こしたり、患者を傷つけたりする可能性がある、装置の吸引端からの加圧ガスの流出を防止するように構成される。
【００９８】
いくつかの実施形態では、一方向弁が、装置内部の気流経路に沿って存在し、装置の吸引端からの加圧ガスの流れの流出を確実に防止する。一方向弁は、加圧ガスが大気に流出できるように構成された迂回用ポートを含んでいてもよい。一方向弁は吸引ポートを空気流増幅器から隔離し、加圧ガスを迂回用ポートから逸らすことによって、単に吸引ポートを通る全ての流れを停止させることができる。
【００９９】
いくつかの実施形態では、装置は、装置が使用する排気経路を障害物が部分的又は全体的遮断したときに起動する警報を有していてもよい。この警報は、障害物によって引き起こされる逆流によって起動されることがある。この警報は、他の手段（例えば、電子的）によって起動されてもよい。いくつかの実施形態では、警報は、一方向弁の作動によって起動されてもよい。いくつかの実施形態では、警報は、迂回用ポートからの加圧ガスの流れによって起動されてもよい。
【０１００】
いくつかの実施形態では、警報は、装置内の圧力を測定するための１台以上の機械的ゲージ及び／又は電子変換器を含んでいてもよい。警報は、閾値基準に到達する装置内の内部圧力に呼応して起動するように構成されてもよい。いくつかの実施形態では、警報は、吸引装置の現在の内部圧力レベル、及び／又は内部圧力レベルが所望の作動範囲内にあるか否かをユーザに通知することもできる。
【０１０１】
警報は、ホイッスル、サイレン、ホーン、ブザー、振動、又はこれらの任意の組み合わせのような可聴警報であってもよい。警報は、装置上に配置された一定の光又は閃光のような視覚的な警報であってもよい。視覚的警報は、視覚的警報が起動されたときに光を発することができる「流れ遮断」のような、シンボル又は単語を有する点灯されたボタン又はアイコンであってもよい。警報は、位置が変わるタブ、レバー、ボタンなど、例えば、警報中に装置の外部に飛び出したり押し出されたりするボタン、又は、警報中に装置の外側で回転させるレバーなど、機械的な警報であってもよい。本装置は、一以上の警報を備えていてもよい。本装置は、一以上の視覚的警報、可聴警報、機械的警報、又はこれらの任意の組み合わせを含んでいてもよい。
【０１０２】
いくつかの実施形態では、吸引装置又はアタッチメントは、吸引装置又はアタッチメントの遠位端に向けて配置された吸引又は吸入ポートを含む。また、吸引装置又はアタッチメントは、第１の加圧ガス流を受け入れるための加圧ガスポートを含む。吸引装置又はアタッチメントの第１の空気流増幅器は、吸引ポートと流体連通している。空気流増幅器は、第１の加圧ガス流を受けて第１の低圧領域を生成するように構成される。この第１の低圧領域により、吸引装置又はアタッチメントの外側から吸引ポートへの第１の流れが生成される。第１の加圧ガス流と吸引ポートへの第１の流れが複合流は、第１の空気流増幅器の出力ポートを通過して排出される。
【０１０３】
吸引装置又はアタッチメントは、フィルタを含んでいてもよい。このフィルタは、複合流を受容（フィルタ処理）する。フィルタは、少なくとも１つのフィルタ吸入ポートと、少なくとも１つのフィルタ出力ポートとを含む。少なくとも１つのフィルタ吸入ポートは、少なくとも１つのフィルタ出力ポートを出る前に、フィルタに入る空気がフィルタ媒体を通過するようにフィルタ媒体に流体接続される。従って、複合流は、フィルタを通過する間に濾過される。
【０１０４】
いくつかの実施形態では、吸引装置又はアタッチメントは、第２の空気流増幅器を含んでいてもよい。第２の空気流増幅器は、第２の加圧ガス流から第２の流れを生成する第２の低圧領域を生成するように構成される。第２の空気流増幅器は、第２の加圧ガス流を受けて第２の低圧領域を生成する。複数の空気流増幅器を追加することにより、吸引装置の吸引能力が増大する。いくつかの実施形態では、第２の空気流増幅器は、第１の空気流増幅器に結合されてもよい。いくつかの実施形態では、第２の空気流増幅器は、フィルタの流動抵抗に起因する流れ及び／又は圧力（吸引力）の損失を補償するように構成されてもよい。例えば、第２の空気流増幅器は、フィルタの一部分（例えば、１／４、１／２など）又はフィルタの流れ抵抗の全てを補償することができる。別の実施例では、第２の空気流増幅器は、フィルタの流れ抵抗を超える（例えば、１．２５倍、１．５倍）吸引力を生成することができる。
【０１０５】
いくつかの実施形態では、吸引装置又はアタッチメントは、逆流防止装置を含んでいてもよい。この逆流防止装置（例えば、チェック弁、一方向弁等）は、加圧ガスが吸引ポートを介して流出するのを防ぐように構成することができる。逆流防止装置が省略されているか、起動していない場合には、出力ポートを通過する流れの障害物、閉塞又はその他の妨害物が生じた場合には、加圧ガスの流れが吸引ポートを介して流出することがある。障害物は、吸引装置自体、吸引装置やアタッチメントによって吸引された材料を収容して運搬するように構成された補助配管、ライン、管路などで起こりうる。
【０１０６】
いくつかの実施形態では、吸引装置又はアタッチメントは、警報を備える。逆流防止装置の起動に呼応して警報を起動させることができる。いくつかの実施形態では、逆流防止装置は、加圧ガス流を迂回用ポートにリダイレクトする。いくつかの実施形態では、ガス流が迂回用ポートへのリダイレクトに呼応して、警報が起動する。警報は聴覚的なものでもよい。警報は視覚的なものであってもよい（例えば、色、形状などを変化させる指標）。警報は機械的なもの（例えば、振動など）であってもよい。いくつかの実施形態では、警報は、空気が通過するときに可聴ノイズを生成するホイッスルを含む。
【０１０７】
いくつかの実施形態では、外科的副産物を除去する方法は、第１の空気流増幅器を含む吸引組立体によって加圧ガス流を受け入れることを含む。加圧ガス流は、第１の空気流増幅器に供給される。第１の空気流増幅器は、吸引組立体の吸引流を引き込むための低圧領域を生成する。吸引流は、外科的副産物を含んでいてもよい。吸引流は、吸引組立体の外部から吸引ポートに流れ、空気流増幅器を通って、正圧出力（又は排気）ポートを介して吸引組立体から排出される。
【０１０８】
吸引装置は、重量が約１０キログラム（ｋｇ）、５ｋｇ、４．５ｋｇ、４ｋｇ、３．５ｋｇ、３ｋｇ、２．５ｋｇ、２ｋｇ、１．５ｋｇ、１ｋｇ、又はそれ未満であってもよい。本装置は、約２ｋｇ未満でもよい。本装置は、約０．５ｋｇから約２ｋｇの重量を有していてもよい。
【０１０９】
吸引装置は、約１００センチメートル（ｃｍ）未満、７５ｃｍ、５０ｃｍ、４５ｃｍ、４０ｃｍ、３５ｃｍ、３０ｃｍ、２５ｃｍ、２０ｃｍ、１５ｃｍ、１４．５ｃｍ、１４ｃｍ、１３．５ｃｍ、１３ｃｍ、１２．５ｃｍ、１２ｃｍ、１１．５ｃｍ、１１ｃｍ、１０．５ｃｍ、１０ｃｍ、５．５ｃｍ、５ｃｍ又はそれ以下の最大外径を有していてもよい。最大外径は約１５ｃｍ未満であってもよい。最大外径は約１２ｃｍ未満であってもよい。最大外径は約１１．５ｃｍ未満であってもよい。最大外径は約５ｃｍ〜約１３ｃｍであってもよい。最大外径は約５０ｃｍ〜４０ｃｍであってもよい。最大外径は、約１００ｃｍ〜約５０ｃｍであってもよい。
【０１１０】
吸引装置は、最大外長が約２００ｃｍ、１５０ｃｍ、１００ｃｍ、７５ｃｍ、６０ｃｍ、５５ｃｍ、５０ｃｍ、４５ｃｍ、４４ｃｍ、４３ｃｍ、４２ｃｍ、４１ｃｍ、４０ｃｍ、３９ｃｍ、３８ｃｍ、３７ｃｍ、３６ｃｍ、３５ｃｍ、３４ｃｍ、３３ｃｍ、３２ｃｍ、３１ｃｍ、３０ｃｍ、２９ｃｍ、２８ｃｍ、２７ｃｍ、２６ｃｍ、２５ｃｍ、２０ｃｍ又はそれ未満でもよい。本装置は、約４５ｃｍ未満の最大外長を有していてもよい。本装置は、約４０ｃｍ未満の最大外長を有していてもよい。本装置は、約３９ｃｍの最大外長を有していてもよい。本装置は、約４０ｃｍ〜約２０ｃｍの最大外長を有していてもよい。本装置は、約２００ｃｍ〜約５０ｃｍの最大外長を有していてもよい。
【０１１１】
吸引装置は、最大外幅が約５０ｃｍ、４５ｃｍ、４０ｃｍ、３５ｃｍ、３０ｃｍ、２５ｃｍ、２４ｃｍ、２３ｃｍ、２２ｃｍ、２１ｃｍ、２０ｃｍ、１９ｃｍ、１８ｃｍ、１７ｃｍ、１６ｃｍ、１５ｃｍ、１４ｃｍ、１３ｃｍ、１２ｃｍ、１１ｃｍ、１０ｃｍ、９ｃｍ、８ｃｍ、７ｃｍ、６ｃｍ、５ｃｍ又はそれ未満でもよい。本装置は、約２０ｃｍ未満の最大外幅を有していてもよい。本装置は、約１９ｃｍ未満の最大外幅を有していてもよい。本装置は、約２０ｃｍ〜約１５ｃｍの最大外幅を有していてもよい。本装置は、約５０ｃｍ〜約２０ｃｍの最大外幅を有していてもよい。
【０１１２】
いくつかの実施形態では、吸引装置は、中空の筐体を備える。いくつかの実施形態では、中空の筐体は、一種類以上の金属、一種類以上のポリマー、一種類以上のプラスチック、一種類以上のセラミック、又はそれらの一種類以上の複合材料、又はこれらの任意の組み合わせを含んでいてもよい。本装置は、一種類以上のＦＤＡ承認材料を含んでいてもよい。本装置は、良好な機械加工特性又は機械加工性を有する一種類以上の材料を含んでいてもよい。本装置は、低摩擦係数が０．２５未満、０．２未満、０．１５未満、０．１未満、又はそれ未満である、一種類以上の材料を含んでいてもよい。本装置は、６，０００ポンド／平方インチ（ｐｓｉ）より大きい、７，０００ｐｓｉより大きい、８，０００ｐｓｉより大きい、９，０００ｐｓｉ以上、又はより大きい、高い引張強度を有する一以上の材料を含んでいてもよい。
【０１１３】
本装置は、一種類以上のポリマーを含んでいてもよい。本装置は、一種類以上のコーポリマーを含んでいてもよい。本装置は、アクリロニトリル−ブタジエン−スチレン（ＡＢＳ）を含んでいてもよい。本装置は、ポリアセタールを含んでいてもよい。例えば、本装置は、アセタール（ポリオキシメチレン）のようなホルムアルデヒドのポリアセタールを含んでいてもよい。本装置は、一種類以上のプラスチックを含んでいてもよい。本装置は、シリコーンオイル、シリコーンゴム、シリコーン樹脂、又はシリコーンコーキング剤のようなシロキサンを含む重合体、又はこれらの任意の組み合わせを含んでいてもよい。例えば、装置の一以上の弁は、シリコーンを含んでいてもよい。本装置は、ポリスチレン、ポリエチレン、焼結ガラス、ホウケイ酸ガラス、ガラス繊維、ナイロン、ポリアミド（ＰＡ）、ポリエーテルスルホン（ＰＥＳ）、ポリテトラフルオロエチレン（ＰＴＦＥ）、界面活性剤を含まない酢酸セルロース（ＳＦＣＡ）、再生セルロース（ＲＣ）、フッ化ポリビニリデン（ＰＶＤＦ）又はこれらの任意の組み合わせを含んでいてもよい。いくつかの実施形態では、本装置は、音抑制（すなわち、振動を防ぐ）、音吸収（すなわち、ノイズを吸収する）、音減衰（すなわち、音エネルギーの減少）、又はこれらの任意の組み合わせなどの消音のための一種類以上の材料を含んでいてもよい。本装置は、音抑制、音吸収、音減衰、又はこれらの任意の組み合わせを補助する幾何学的形状を備えていてもよい。本装置は、音抑制、音吸収、音減衰、又はそれらの任意の組み合わせを補助するためのラミネート層、表面マイクロアーキテクチャ、又はこれらの組み合わせを含んでいてもよい。本装置は、無響タイル、繊維ガラス充填品、ポリウレタン発泡体、多孔質発泡体（ゴム発泡体など）、メラミン発泡体（ホルムアルデヒドメラミンナトリウム重亜硫酸共重合体など）、ヘアフェルト、共振吸収剤、ヘルムホルツ共鳴器、又はこれらの任意の組み合わせを含んでいてもよい。本装置は、音響的デカップリングを単独で、又は音抑制のための一種類以上の材料と組み合わせて構成することができる。
【０１１４】
いくつかの実施形態では、吸引装置の筐体は、一以上の中空区間を備える。いくつかの実施形態では、吸引装置の筐体は、略互いにほぼ一直線に並ぶ一以上の中空区間を含んでいてもよい。いくつかの実施形態では、本装置の一以上の区間は、積み重ねても、他の類似した構造を含む、複数の異なる方位に配置されていてもよく、例えば、４つの中空区間が２つの中空区間を２つ積み重ねて配置してもよい。いくつかの実施形態では、一以上の中空区間は、一以上の中空区間が連続的であるように連通して構成される。いくつかの実施形態では、一以上の中空区間は、例えば、吸引の流れが、ある中空区間から別の中空区間に移動することができるように流動的に連続している。いくつかの実施形態では、一以上の中空区間は、例えば、吸引ガス、液体、固形物、又はそれらの任意の組み合わせの流れが、一つの中空区間から別の中空区間に移動することができるよう構成される。いくつかの実施形態では、筐体の中空区間は、ポートを含む他の構成要素をさらに含んでいてもよい。例えば、いくつかの実施形態では、吸引装置筐体の第１の中空区間は、吸入ポートを備え、これは、例えば、吸引配管と結合するための外部カプラ又はコネクタをさらに備えていてもよい。いくつかの実施形態では、装置筐体の第１の中空区間は、例えば妨害物によって本装置が適切に機能していないときに音を鳴らすように構成された警報を備えた警報ポートを備える。いくつかの実施形態では、一以上の中空区間は、一以上の他の中空区間が容易に連通するように構成され、配置された一以上の穴を含む。いくつかの実施形態では、第１の中空区間は、第２の中空区間に沿って配置され、第１の中空区間は、第１の中空区間の内部と連続する第１の穴を含み、第２の中空区間は、第２の中空区間の内部と連続する第２の穴を含み、第１の穴は、第２の穴に面し、整列される、又は実質的に整列されるように配置される。いくつかの実施形態では、一以上の中空区間は、管状であってもよい。いくつかの実施形態では、一以上の中空区間は、例えば、形状が立方体状又は球状を含む、任意の多角形の形状であってもよい。いくつかの実施形態では、中空区間内の穴は円形であってもよい。いくつかの実施形態では、中空区間内の穴は、例えば、楕円形、正方形、長方形、又は三角形を含む任意の形状を含んでいてもよい。いくつかの実施形態では、筐体は、さらに一以上の空気流増幅器機構を備えている。本装置の第１の区間、第２の区間、第３の区間、又は任意の付加的な区間は、例えば、円筒状、正方形、長方形、六角形、三角形、螺旋形状、台形形状、楕円形、又はこれらの任意の組み合わせを含んでいてもよい。中空区間の一部は、円筒状、正方形、長方形、六角形、三角形、螺旋形状、台形形状、楕円形状、又はこれらの任意の組み合わせを含んでいてもよい。中空区間は、複数の形状を含んでいてもよい。第１の中空区間、第２の中空区間、第３の中空区間、又は本装置の任意の付加的な区間は、消音又は減衰を助ける幾何学的形状を含んでいてもよい。例えば、筐体の内壁の一部は、消音を助けるために、表面マイクロアーキテクチャを含んでいてもよい。筐体の内壁の一部は、吸音性を有する材料を含むラミネート層、又は消音又はこれらの組み合わせを助けるための表面マイクロアーキテクチャを含むラミネート層を含んでいてもよい。いくつかの実施形態では、内壁の一部は、サウンドバッフルを含んでいてもよい。いくつかの実施形態では、内壁の部分は、ラビリンス形状、六角形形状、凸状形状、ハニカム形状、又はこれらの任意の組み合わせを含んでいてもよい。
【０１１５】
いくつかの実施形態では、吸引装置は、空気流増幅器機構を備える。いくつかの実施形態では、空気流増幅器機構は、中空区間の一以上の構成要素である。いくつかの実施形態では、空気流増幅器は、中空区間の一部ではない。いくつかの実施形態では、第１の中空区間の第１の穴は、第２の中空区間内の第２の穴と連続している。いくつかの実施形態では、第１の中空区間内の第１の穴は、第２の中空区間内の第２の穴と流体連続性を有しており、第１の中空区間及び第２の中空区間は、間隙空間によって物理的に分離される。いくつかの実施形態では、第１の中空区間及び第２の中空区間は、流体連続性があるが、間隙空間によって分離され、第１の区間の第１の穴は、第１の中空区間の表面全体をカバーせず、第１の穴を少なくとも部分的に囲む第１の中空区間の外側に固形物表面の領域がある。同様に、いくつかの実施形態では、第１の中空区間および第２の中空区間は、流体連続性を有しているが、間隙空間によって分離され、第２の区間の第２の穴は、第２の中空区間の表面全体をカバーしないので従って、第２の穴を少なくとも部分的に囲む、第２の中空区間の外側に固形物表面の領域が存在する。いくつかの実施形態では、第１の穴を取り囲む外面と第２の中空の第２の穴を取り囲む外面との間の間隙空間は、導管を形成する。本実施形態では、導管は、第１の穴を取り囲む外面を含む第１の壁と、第２の中空の第２の穴を取り囲む外面を含む第２の壁と、２つの壁の間の間隙空間とを含む。いくつかの実施形態では、導管は、筐体の外側にさらに伝送可能な筐体内に吸引力を受動的に生成するように構成された空気流増幅器機構の一部である。
【０１１６】
いくつかの実施形態では、空気流増幅器は、少なくとも部分的に、吸引装置筐体内に含まれる。いくつかの実施形態では、空気流増幅器は、周囲圧力に対する筐体内の低圧領域を生成するための機構を含み、その後、吸引力を生成する。いくつかの実施形態では、空気流増幅器は、加圧ガスのジェット流を、装置筐体の中空区間の一以上の内表面に沿って実質的に全体的に移動させる。空気流増幅器が、加圧ガスのジェット流を装置筐体の中空区間の一以上の内表面に沿って実質的に完全に移動させると、装置の中空区間の内部に低圧領域が形成される。いくつかの実施形態では、低圧領域が形成されると、ジェット流と実質的に同じ方向に吸引力を発生させる。いくつかの実施形態では、ジェット流によって生成される吸引力は、筐体内の吸入ポートで吸引力を生成する。いくつかの実施形態では、空気流増幅器は、加圧ガス流の流れを導くための機構を備える。いくつかの実施形態では、空気流増幅器は、加圧ガス流ポートと連続する導管を含み、ここで、導管は、加圧ガス流ポートから加圧ガスを受け入れるように構成されている。いくつかの実施形態では、導管は、筐体内の第１の中空区間と第２の中空区間との間に配置され、前記導管は、第２の中空区間内の穴と流体的に連続するように構成される。いくつかの実施形態では、導管は、第１の穴を取り囲む外面を含む第１の壁と、第２の中空の第２の穴を取り囲む外面を含む第２の壁と、２つの壁の間の間隙空間とを含む。いくつかの実施形態では、間隙空間は、環状の形状を含んでいてもよい。非限定的な例示的な実施形態において、間隙空間は、立方形、長方形、および三角形状を含む任意の形状を含んでいてもよい。いくつかの実施形態では、空気増幅器機構の導管および第２の穴は、加圧ガス流が導管から第２の穴へと流れるように、互いに対して位置決めされる。いくつかの実施形態では、導管および第２の穴は、加圧ガス流が導管を通って第２の中空空間へと流れるように、互いに対して位置決めされる。いくつかの実施形態では、導管と第２の穴は、加圧ガス流が導管を通って流れ、次いで第２の中空空間に入るように互いに対して位置決めされ、ここで、加圧ガスは、第２の中空区間の一以上の内表面に沿って実質的に全体に亘って流れるジェット流を形成し、コアンダ効果に従って、ジェット流に隣接する低圧領域を形成する。この実施形態では、第２の中空区間内の生成された低圧領域は、第１の中空区間から第２の中空区間内へ流れるより高い圧力空気の流れを引き起こし、吸引流又は吸引力を含む吸引装置の外側の環境からの流れを引き起こす。この実施形態では、吸引流又は力は、第２の中空区間を通して、間隙空間（第１の穴と第２の穴との間）を通って、第１の中空区間を通って、吸入ポートを通って伝送される。いくつかの実施形態では、第１の中空空間は、吸入又は吸引ポートを含み、そこを通って空気流増幅器機構によって生成された吸引力と、第２の中空区間とが、本装置の外側に伝送される。いくつかの実施形態では、本装置は、ガス、液体、固形物又はこれらの任意の組み合わせを吸引して、例えば蒸気を含む吸引力を与えるように構成されていてもよい。この吸引力は、ａ）排出物の一部、ｂ）加圧ガスの一部、又はｃ）本装置を通してのそれらの組み合わせを引き込む、又は押し出すことができる。この吸引力は、一以上のフィルタを介して、排出物の一部、加圧ガスの一部、又はこれらの組み合わせを引き込む、又は押し出すことができる。押し込み又は引き出しは、吸引流又は排出物の位置に対する導管の位置、又は加圧ガスの位置に依存する。
【０１１７】
いくつかの実施形態では、空気増幅器機構の導管は、空気増幅器の第２の穴に対して約０度〜９０度の角度で位置決めされる。いくつかの実施形態では、空気増幅器機構の導管は、空気増幅器の第２の穴に対して約９０度〜１８０度の角度で位置決めされる。いくつかの実施形態では、空気増幅器機構の導管は、空気増幅器の第２の穴に対して約１８０度の角度で位置決めされる。いくつかの実施形態では、空気増幅器機構の導管は、空気増幅器の第２の穴に対して約１７５度の角度で位置決めされる。いくつかの実施形態では、空気増幅器機構の導管は、空気増幅器の第２の穴に対して約１７０度の角度で位置決めされる。いくつかの実施形態では、空気増幅器機構の導管は、空気増幅器の第２の穴に対して約１６５度の角度で位置決めされる。いくつかの実施形態では、空気増幅器機構の導管は、空気増幅器の第２の穴に対して約１６０度の角度で位置決めされる。いくつかの実施形態では、空気増幅器機構の導管は、空気増幅器の第２の穴に対して約１５５度の角度で位置決めされる。いくつかの実施形態では、空気増幅器機構の導管は、空気増幅器の第２の穴に対して約１５０度の角度で位置決めされる。いくつかの実施形態では、空気増幅器機構の導管は、空気増幅器の第２の穴に対して約１４５度の角度で位置決めされる。いくつかの実施形態では、空気増幅器機構の導管は、空気増幅器の第２の穴に対して約１４０度の角度で位置決めされる。いくつかの実施形態では、空気増幅器機構の導管は、空気増幅器の第２の穴に対して約１３５度の角度で位置決めされる。いくつかの実施形態では、空気増幅器機構の導管は、空気増幅器の第２の穴に対して約１３０度の角度で位置決めされる。いくつかの実施形態では、空気増幅器機構の導管は、空気増幅器の第２の穴に対して約１２５度の角度で位置決めされる。いくつかの実施形態では、空気増幅器機構の導管は、空気増幅器の第２の穴に対して約１２０度の角度で位置決めされる。いくつかの実施形態では、空気増幅器機構の導管は、空気増幅器の第２の穴に対して約１１５度の角度で位置決めされる。いくつかの実施形態では、空気増幅器機構の導管は、空気増幅器の第２の穴に対して約１１０度の角度で位置決めされる。いくつかの実施形態では、空気増幅器機構の導管は、空気増幅器の第２の穴に対して約１０５度の角度で位置決めされる。いくつかの実施形態では、空気増幅器機構の導管は、空気増幅器の第２の穴に対して約１００度の角度で位置決めされる。いくつかの実施形態では、空気増幅器機構の導管は、空気増幅器の第２の穴に対して約９５度の角度で位置決めされる。いくつかの実施形態では、空気増幅器機構の導管は、空気増幅器の第２の穴に対して約９０度の角度で位置決めされる。いくつかの実施形態では、空気増幅器機構の導管は、空気増幅器の第２の穴に対して約８５度の角度で位置決めされる。いくつかの実施形態では、空気増幅器機構の導管は、空気増幅器の第２の穴に対して約８０度の角度で位置決めされる。いくつかの実施形態では、空気増幅器機構の導管は、空気増幅器の第２の穴に対して約７５度の角度で位置決めされる。いくつかの実施形態では、空気増幅器機構の導管は、空気増幅器の第２の穴に対して約７０度の角度で位置決めされる。いくつかの実施形態では、空気増幅器機構の導管は、空気増幅器の第２の穴に対して約６５度の角度で位置決めされる。いくつかの実施形態では、空気増幅器機構の導管は、空気増幅器の第２の穴に対して約６０度の角度で位置決めされる。いくつかの実施形態では、空気増幅器機構の導管は、空気増幅器の第２の穴に対して約５５度の角度で位置決めされる。いくつかの実施形態では、空気増幅器機構の導管は、空気増幅器の第２の穴に対して約５０度の角度で位置決めされる。いくつかの実施形態では、空気増幅器機構の導管は、空気増幅器の第２の穴に対して約４５度の角度で位置決めされる。いくつかの実施形態では、空気増幅器機構の導管は、空気増幅器の第２の穴に対して約４０度の角度で位置決めされる。いくつかの実施形態では、空気増幅器機構の導管は、空気増幅器の第２の穴に対して約３５度の角度で位置決めされる。いくつかの実施形態では、空気増幅器機構の導管は、空気増幅器の第２の穴に対して約３０度の角度で位置決めされる。いくつかの実施形態では、空気増幅器機構の導管は、空気増幅器の第２の穴に対して約２５度の角度で位置決めされる。いくつかの実施形態では、空気増幅器機構の導管は、空気増幅器の第２の穴に対して約２０度の角度で位置決めされる。いくつかの実施形態では、空気増幅器機構の導管は、空気増幅器の第２の穴に対して約１５度の角度で位置決めされる。いくつかの実施形態では、空気増幅器機構の導管は、空気増幅器の第２の穴に対して約１０度の角度で位置決めされる。いくつかの実施形態では、空気増幅器機構の導管は、空気増幅器の第２の穴に対して約５度の角度で位置決めされる。いくつかの実施形態では、空気増幅器機構の導管は、空気増幅器の第２の穴に対して約０度の角度で位置決めされる。
【０１１８】
０°〜９０°の角度を持つ１つの区間の傾斜した端部は、２つの間の間隙空間が導管を形成するように、約９０°〜約１８０°の角度で、第２の区間の拡開端部に隣接するように配置することができる。一区間の傾斜端部と第２の区間の拡開端部は、導管内の層流を強化するために、互いに実質的に平行であってもよい。第１の区間の傾斜端部の角度は、第２の区間の拡開端部の角度と一致させてもよい。第１の区間の傾斜端部の角度は、第２の区間の拡開端部の角度と類似していてもよい。例えば、第１の区間の傾斜端部は約９０°であってよく、第２の区間の拡開端部は約９０°であってもよい。第１の区間の傾斜端部は約５５°であってよく、第２の区間の拡開端部は約１２５°であってもよい。第１の区間の傾斜端部は約３５°であってよく、第２の区間の拡開端部は約１４５°であってもよい。拡開端部は、平滑か又は丸みを帯びた縁部を含み、導管を通る層流を増強又は許容することができる。
【０１１９】
導管は、一区間の傾斜端部を、約０°〜９０°の角度で、傾斜端部が約９０°〜約１８０°の角度である第２の区間に隣接して配置することによって形成することもできる。例えば、第１の区間の傾斜端部は約９０°であってよく、第２の区間の傾斜端部は約９０°であってもよい。第１の区間の傾斜端部は約５５°であってよく、第２の区間の傾斜端部は約１２５°であってもよい。第１の区間の傾斜端部は約３５°であってよく、第２の区間の傾斜端部は約１４５°であってもよい。
【０１２０】
傾斜端部の傾斜は、中心軸に対して約９０度（°）以下の角度でもよい。傾斜端部の傾斜は、９０°、８５°、８０°、７５°、７０°、６５°、６０°、５５°、５０°、４５°、４０°、３５°、３０°、２５°、２０°、１５°、１０°、５°又はそれ未満でもよい。傾斜端部の傾斜は、中心軸に対して約５５°でもよい。傾斜端部の傾斜は、中心軸に対して約３５°でもよい。傾斜端部の傾斜は、中心軸に対して約５５°から約３５°の間でもよい。傾斜端部の傾斜は、中心軸に対して約６０°から約２０°の間でもよい。
【０１２１】
傾斜端部の傾斜は、中心軸に対して約９０度（°）の角度で、又はそれ以上の角度でもよい。傾斜端部の傾斜は、９０°、９５°、１００°、１０５°、１１０°、１１５°、１２０°、１２５°、１３０°、１３５°、１４０°、１４５°、１５０°、１５５°、１６０°、１６５°、１７０°、１７５°、又は約１８０°でもよい。傾斜端部の傾斜は、中心軸に対して約１２５°で傾斜させてもよい。傾斜端部の傾斜は、中心軸に対して約１４５°でもよい。傾斜端部の傾斜は、中心軸に対して約１２５°〜約１４５°でもよい。傾斜端部の傾斜は、中心軸に対して約１２０°〜約１６０°でもよい。
【０１２２】
拡開端部は、中心軸に対して約９０度（°）の角度以上に拡開していてもよい。拡開端部は、約９０°、９５°、１００°、１０５°、１１０°、１１５°、１２０°、１２５°、１３０°、１３５°、１４０°、１４５°、１５０°、１５５°、１６０°、１６５°、１７０°、１７５°、又は約１８０°で拡開していてもよい。拡開端部は、中心軸に対して約１２５°で拡開していてもよい。拡開端部は、中心軸に対して約１４５°で拡開していてもよい。拡開端部は、中心軸に対して約１２５°〜約１４５°で拡開していてもよい。拡開端部は、中心軸に対して約１２０°〜約１６０°で拡開していてもよい。
【０１２３】
拡開端部の中心軸に対する角度は、約９０度未満でもよい。拡開端部は、中心軸に対して、約９０°、８５°、８０°、７５°、７０°、６５°、６０°、５５°、５０°、４５°、４０°、３５°、３０°、２５°、２０°、１５°、１０°、５°、又はそれ未満の角度を形成してもよい。拡開端部の中心軸に対して、約５５°の角度を形成してもよい。拡開端部の中心軸に対して、約３５°の角度を形成してもよい。拡開端部の中心軸に対して、約５５°〜約３５°の角度を形成してもよい。拡開端部の中心軸に対して、約６０°〜約２０°の角度を形成してもよい。
【０１２４】
傾斜は区間の一端から始まり、区間の反対側の端部に向かって続いていてもよい。傾斜は、区間の長さ部分を含んでいてもよい。例えば、傾斜した区間の長さ部分は、約１％、２％、３％、４％、５％、６％、７％、８％、９％、１０％、１５％、２０％、２５％、３０％、３５％、４０％、４５％、５０％、もしくはそれ未満であってもよい。傾斜した長さ部分は、約２５％未満でもよい。傾斜した長さ部分は、約１５％未満であってもよい。傾斜した長さ部分は、約１０％未満であってもよい。傾斜した長さ部分は、約５％未満であってもよい。傾斜した長さ部分は、約１％未満であってもよい。
【０１２５】
拡開は区間の一端から始まり、区間の反対側の端部まで続いていてもよい。拡開は、区間の長さ部分を含んでいてもよい。例えば、拡開である区間の長さ部分は、約１％、２％、３％、４％、５％、６％、７％、８％、９％、１０％、１５％、２０％、２５％、３０％、３５％、４０％、４５％、５０％もしくはそれ未満であってもよい。拡開された長さ部分は、約２５％未満であってもよい。拡開された長さ部分は、約１５％未満であってもよい。拡開された長さ部分は、約１０％未満であってもよい。拡開された長さ部分は、約５％未満であってもよい。拡開された長さ部分は、約１％未満であってもよい。
【０１２６】
一以上の傾斜端部の角度、一以上の拡開端部、又はこれらの任意の組み合わせは、調節可能であってもよい。ユーザは、例えば、一以上の角度を調節することができる。角度は、例えば、遠隔位置から自動的に調節されてもよい。角度は、吸入ポートにおける吸引能力などのフィードバック機構に従って調節されてもよい。ユーザは、チューナアームを機械的に回転させて、角度を調節してもよい。
【０１２７】
区間の一方又は両方の端部は、拡開、傾斜、角度付け、傾き、又は勾配をつけてもよい。例えば、区間は、第１の端部及び第２の端部を有することができ、そのうちの一方又は両方を、傾斜させてもよい。区間は、第１の端部と第２の端部を有することができ、そのうちの一方又は両方を拡開させてもよい。区間には、第１の傾斜端部と第２の拡開端部を有していてもよい。一以上の区間を直列にお互い隣接して配置することができる。例えば、傾斜端部に隣接して拡開端部を配置したり、傾斜端部を異なる傾斜端部に隣接して配置したりすることができる。２つの拡開端部を有する区間は、区間の２つの拡開端部の一つに隣接する各追加区間の傾斜端部を配置することによって、２つの追加区間と直列に配置することができる。
【０１２８】
いくつかの実施形態では、加圧ガスを供給する加圧ガスポート（正圧取込口のような）は、筐体の外側に沿って任意の点に隣接して配置されてもよい。いくつかの実施形態では、加圧ガスポートは、筐体に沿って空気増幅器の遠位側に位置してもよい（装置の近位端は、吸入ポートを有する端部を含む）。いくつかの実施形態では、加圧ガスポートは、空気増幅器の近位に位置してもよい（ここで、装置の近位端は、吸入ポートを有する端部を含む）。いくつかの実施形態では、ガスポートは、吸入ポート（例えば、ノズル）に隣接して配置されてもよい。いくつかの実施形態では、ガスポートは、排出ポート（例えば、加圧廃棄ポート）に隣接して配置されてもよい。いくつかの実施形態では、ガスポートは、導管の長さに沿って任意の点に配置されてもよい。
【０１２９】
いくつかの実施形態では、空気増幅器機構の一以上の構成要素は調節可能である。ユーザは例えば、空気増幅器の導管の間隙空間の幅は、例えば、第１の中空区間と第２の中空区間の一以上を互いに対して移動させることによって調節することができる（すなわち、導管の壁を互いに対して移動して）。いくつかの実施形態では、導管の間隙空間の幅は、例えば、遠隔位置から自動的に調節されてもよい。導管の間隙空間の幅は、吸入ポートにおける排出物の量、又は吸入ポートにおける液体吸引能力のようなフィードバック機構に従って調節してもよい。ユーザは、チューナアームを機械的に回転させて、導管の間隙空間の幅を調節してもよい。チューナアームは、例えば、導管の間隙空間の幅を調節するための線形運動を生成する螺旋状溝などの溝に動作可能に連結してもよい。
【０１３０】
導管の間隙空間の幅を小さくすることにより、液体吸引能力を増加させることができる。導管の間隙空間の幅を増加させることにより、液体吸引能力を低下させることができる。ガス吸引能力は、チューナアーム調節範囲にわたって、又は導管の一以上の間隙空間の調節可能幅の範囲にわたって、一定とすることができる。吸入ポート（例えば、ノズル）におけるガス吸引の液体吸引に対する体積比は、導管の間隙空間の幅の範囲にわたって、又はチューナアーム調節の範囲にわたって調節可能である。チューナアームは、連続的な回転を含むことができ、又は導管の間隙空間の特定の幅に対応する離散的な溝を含んでいてもよい。
【０１３１】
導管の長さは、第１の区間又は第２の区間の長さに比べて、約４０％、３５％、３０％、２５％、２０％、１５％、１４％、１３％、１２％、１１％、１０％、９％、８％、７％、６％、５％、４％、３％、２％、１％もしくはそれ未満であってもよい。導管の長さは、第１又は第２の区間の長さの約１０％未満であってもよい。導管の長さは、第１又は第２の区間の長さの約２０％未満であってもよい。導管の長さは、第１の区間又は第２の区間の長さの約１％〜約１０％であってもよい。導管の長さは、第１の区間又は第２の区間の長さの約１％〜約５％であってもよい。導管の長さは、第１の区間又は第２の区間の長さの約１％〜約１５％であってもよい。導管の長さは、第１の区間又は第２の区間の長さの約１％〜約２０％であってもよい。
【０１３２】
いくつかの実施形態では、導管の間隙空間の幅は、約１０センチメートル（ｃｍ）、９．５ｃｍ、９ｃｍ、８．５ｃｍ、８ｃｍ、７．５ｃｍ、７ｃｍ、６．５ｃｍ、６ｃｍ、５．５ｃｍ、５ｃｍ、４．５ｃｍ、４ｃｍ、３．５ｃｍ、３ｃｍ、２．５ｃｍ、２ｃｍ、１．５ｃｍ、１ｃｍ、もしくはそれ未満であってもよい。導管の間隙空間の幅は、約５０ミリメートル（ｍｍ）、４５ｍｍ、４０ｍｍ、３５ｍｍ、３０ｍｍ、２５ｍｍ、２０ｍｍ、１５ｍｍ、１０ｍｍ、９ｍｍ、８ｍｍ、７ｍｍ、６ｍｍ、５ｍｍ、４ｍｍ、３ｍｍ、２ｍｍ、１ｍｍ、０．５ｍｍ、もしくはそれ未満であってもよい。導管の間隙空間の幅は、約５ｍｍであってもよい。導管の間隙空間の幅は、約４ｍｍであってもよい。導管の間隙空間の幅は、約３ｍｍであってもよい。導管の間隙空間の幅は、約２ｍｍであってもよい。導管の間隙空間の幅は、約１ｃｍ未満であってもよい。導管の間隙空間の幅は、０ｍｍと約２ｍｍとの間で調節可能であってもよい。
【０１３３】
装置は、約４０ポンド／平方インチ（ｐｓｉ）、３５ｐｓｉ、３０ｐｓｉ、２９ｐｓｉ、２８ｐｓｉ、２７ｐｓｉ、２６ｐｓｉ、２５ｐｓｉ、２４ｐｓｉ、２３ｐｓｉ、２２ｐｓｉ、２１ｐｓｉ、２０ｐｓｉ、１９ｐｓｉ、１８ｐｓｉ、１７ｐｓｉ、１６ｐｓｉ、１５ｐｓｉ、１４ｐｓｉ、１３ｐｓｉ、１２ｐｓｉ、１１ｐｓｉ、１０ｐｓｉ、又は約５ｐｓｉの吸入ポートの液体吸引能力をかけてもよい。液体吸引能力は約２５ｐｓｉであってもよい。液体吸引能力は約２０ｐｓｉであってもよい。液体吸引能力は約１５ｐｓｉであってもよい。液体吸引能力は約１０ｐｓｉであってもよい。液体吸引能力は、約２５ｐｓｉ〜約１０ｐｓｉであってもよい。
【０１３４】
装置の液体吸引能力は調節可能であってもよい。液体吸引能力は、約２５ｐｓｉ〜約１０ｐｓｉで調節可能であってもよい。液体吸引能力は、約４０ｐｓｉ〜約５ｐｓｉで調節可能であってもよい。液体吸引能力は、約３０ｐｓｉ〜約１０ｐｓｉで調節可能であってもよい。液体吸引能力は、約２５ｐｓｉ〜約５ｐｓｉで調節可能であってもよい。液体吸引能力は、例えば、導管の間隙空間を調節することによってユーザは手動で調節することができ、又はユーザは、例えば遠隔位置で装置にプログラムできる液体吸引能力を指定することができる。
【０１３５】
間隙空間を調節することは、ガス吸引能力とは無関係であるが、吸入ポートでの液体吸引能力を変化させることができる。装置は、調節可能な液体吸引能力の広い範囲にわたって一定のガス吸引能力を維持することができる。装置は、約１０ポンド／平方インチ（ｐｓｉ）から約２５ｐｓｉまでの調節可能な液体吸引能力の範囲にわたって一定のガス吸引能力を維持することができる。装置は、約５ｐｓｉから約４０ｐｓｉまでの調節可能な液体吸引能力の範囲にわたって一定のガス吸引能力を維持することができる。装置は、約１０ｐｓｉから約３０ｐｓｉまでの調節可能な液体吸引能力の範囲にわたって一定のガス吸引能力を維持することができる。装置は、約５ｐｓｉから約２５ｐｓｉまでの調節可能な液体吸引能力の範囲にわたって一定のガス吸引能力を維持することができる。
【０１３６】
吸入ポートでの体積流量は、約４立方フィート／分（ｃｆｍ）、４．５ｃｆｍ、５ｃｆｍ、５．５ｃｆｍ、６ｃｆｍ、６．５ｃｆｍ、７ｃｆｍ、７．５ｃｆｍ、８ｃｆｍ、８．５ｃｆｍ、９ｃｆｍ、９．５ｃｆｍ、１０ｃｆｍ、１０．５ｃｆｍ、１１ｃｆｍ、１１．５ｃｆｍ、１２ｃｆｍ、１２．５ｃｆｍ、１３ｃｆｍ、１３．５ｃｆｍ、１４ｃｆｍ、１４．５ｃｆｍ、１５ｃｆｍ、１５．５ｃｆｍ、１６ｃｆｍ、１７ｃｆｍ、１８ｃｆｍ、１９ｃｆｍ、又は２０ｃｆｍでもよい。体積流量は約４ｃｆｍ〜約６ｃｆｍであってもよい。体積流量は約１２ｃｆｍ〜約１５ｃｆｍであってもよい。
【０１３７】
吸入ポートでの液体吸引速度は、約１００立方センチメートル／秒（ｃｃ／秒）、９５ｃｃ／秒、９０ｃｃ／秒、８５ｃｃ／秒、８０ｃｃ／秒、７５ｃｃ／秒、７０ｃｃ／秒、６５ｃｃ／秒、６０ｃｃ／秒、５５ｃｃ／秒、５０ｃｃ／秒、４５ｃｃ／秒、４０ｃｃ／秒、３５ｃｃ／秒、３０ｃｃ／秒、２５ｃｃ／秒、２０ｃｃ／秒、１５ｃｃ／秒、１０ｃｃ／秒、又は５ｃｃ／秒でもよい。液体吸引速度は、約６０ｃｃ／秒〜約５ｃｃ／秒であってもよい。液体吸引速度は少なくとも約３０ｃｃ／秒であってもよい。液体吸引速度は少なくとも２５ｃｃ／秒であってもよい。
【０１３８】
液体吸引速度は調節可能である。液体吸引速度は、約６０ｃｃ／秒〜約５ｃｃ／秒で調節可能である。液体吸引速度は、約６０ｃｃ／秒〜約３０ｃｃ／秒で調節可能である。液体吸引速度は、約１００ｃｃ／秒〜約３０ｃｃ／秒で調節可能である。液体吸引速度は、例えば、導管の間隙空間を調節することにより、ユーザが手動で調節でき、又は、ユーザは装置にプログラム可能な液体吸引速度を、例えば、遠隔位置で指定することができる。
【０１３９】
吸入ポートの内径は調節可能であってもよい。ユーザは、例えば、装置上で第３のチューナアームを回転させることによって、吸入ポートの内径を調節することができる。吸入ポートの内径は、吸入ポートに流入する排出物の体積に基づいて自動的に調節されてもよい。内径は、約５ミリメートル（ｍｍ）〜約１０センチメートル（ｃｍ）で調節可能であってもよい。内径は、約５ｍｍ〜約５０ｍｍで調節可能であってもよい。内径は、約２５ｍｍ〜約１００ｍｍで調節可能であってもよい。内径は、約０．５ｃｍ〜５ｃｍで調節可能であってもよい。内径は、約０．５ｃｍ〜約１０ｃｍで調節可能であってもよい。内径は、例えば、第３のチューナアームを調節することによって、ユーザによって手動で調節されてもよく、あるいは、例えば、遠隔位置において、ユーザは装置にプログラムされることができる吸入ポート内径を指定することができる。
【０１４０】
本願明細書に記載された吸引装置は、最小限の音を発生又は音を発生しないで吸引力を与える。本明細書に記載された吸引装置の動作は、一種類以上の音を生成することができる。一種類以上の音は、約４３デシベル（ｄＢ）のような背景ノイズと等価でもよい。一種類以上の音は、背景ノイズに比べて６ｄＢ未満大きくてもよい。一種類以上の音は、背景ノイズに比べて４ｄＢ未満大きくてもよい。一種類以上の音は、約４０ｄＢ、３５ｄＢ、３０ｄＢ、２９ｄＢ、２８ｄＢ、２７ｄＢ、２６ｄＢ、２５ｄＢ、２４ｄＢ、２３ｄＢ、２２ｄＢ、２１ｄＢ、２０ｄＢ、１９ｄＢ、１８ｄＢ、１７ｄＢ、１６ｄＢ、１５ｄＢ、１４ｄＢ、１３ｄＢ、１２ｄＢ、１１ｄＢ、１０ｄＢ、５ｄＢ、もしくはそれ未満であってもよい。一種類以上の音は、約４０ｄＢ未満でもよい。一種類以上の音は、約３０ｄＢ未満でもよい。一種類以上の音は、約２０ｄＢ未満でもよい。一種類以上の音は、約１０ｄＢ〜約３０ｄＢでもよい。一種類以上の音は、約１５ｄＢから約３５ｄＢの間でもよい。
【０１４１】
逆流警報又は警報を含む一以上の実施形態は、一種類以上の音を発してもよい。逆流警報から発せられる一以上の音は、可聴音であってもよい。逆流警報から発せられる一種類以上の音は、約１００ｄＢ、９５ｄＢ、９０ｄＢ、８５ｄＢ、８０ｄＢ、７５ｄＢ、７０ｄＢ、６５ｄＢ、６０ｄＢ、５５ｄＢ、５０ｄＢ、又は４５ｄＢであってもよい。逆流警報から発せられる一種類以上の音は、約８０ｄＢであってもよい。逆流警報から発せられる一種類以上の音は、約７０ｄＢであってもよい。逆流警報から発せられる一種類以上の音は、約６０ｄＢであってもよい。逆流警報から発せられる一種類以上の音は、約５０ｄＢであってもよい。逆流警報から発せられる一種類以上の音は、約４５ｄＢ〜約６０ｄＢであってもよい。逆流警報から発せられる一種類以上の音は、約４５ｄＢ〜約７５ｄＢであってもよい。
【０１４２】
装置は、一以上のフィルタを含んでいてもよい。例えば、２つ、３つ、４つ、５つ、又はそれ以上のフィルタが、装置に含まれてもよい。一以上のフィルタは、導管の間隙空間の前、導管の間隙空間の後、又はこれらの組み合わせで配置してもよい。一以上のフィルタは、吸入ポート（例えば、ノズル）、排出ポート（例えば、加圧廃棄ポート）、筐体内、又はこれらの任意の組み合わせに配置してもよい。一以上のフィルタは、固形物などの排出物を収集してもよい。一以上のフィルタは、細菌粒子、ウイルス粒子、固形の外科廃棄物、又はこれらの任意の組み合わせを収集してもよい。一以上のフィルタは、一以上のフィルタの孔径に基づいて固形の排出物を収集することができる。フィルタの孔径は、１００マイクロメータ（μｍ）、７０μｍ、２０μｍ、１０μｍ、５μｍ、２μｍ、１μｍ、０．７μｍ、０．５μｍ、０．４μｍ、０．３μｍ、０．２μｍ、０．１μｍ、０．０２μｍ、０．０１μｍもしくはそれ未満であってもよい。孔径は、約１００μｍ以下であってもよい。孔径は、約７０μｍ以下であってもよい。孔径は、約０．５μｍ以下であってもよい。孔径は、約０．２μｍ以下であってもよい。一以上のフィルタは直列に配置することができる。
【０１４３】
本装置は、流体試料、細胞試料、又は組織試料の収集などの収集に使用してもよい。例えば、本装置は、結腸鏡検査中にポリープの収集などの組織試料の収集に使用してもよい。本装置は、腫瘍生検試料の収集に使用してもよい。本装置は、手術中に血液試料の収集などの流体試料の収集に使用してもよい。
【０１４４】
試料を収集するために、本装置は、一以上のフィルタを含んでいてもよい。一以上のフィルタを装置に含むことにより、一以上の試料が吸引流から回収されるように、吸引流を選別することができる。一以上のフィルタにより組織試料を採取して、採取中で吸引することができる過剰なガス又は液体を濾過又は除去を可能にすることができる。一以上のフィルタにより、細胞試料を収集し、採取中で吸引され得る過剰なガス又は液体の濾過又は除去を可能にすることができる。一以上のフィルタにより、組織試料及び細胞試料を装置の別々の領域に集め、また採取中で吸引され得る過剰なガス又は液体の濾過又は除去を可能にすることができる。一以上のフィルタにより、異なる孔径フィルタを使用して、収集材料（すなわち組織、細胞、粒子）を分離することができる。一以上のフィルタにより、一以上の細胞表面マーカーに基づく正の選択又は負の選択を用いて、細胞試料などの収集材料を分離することができる。いくつかの実施形態では、本装置は、吸引流を選別し、特定の関心のある試料を収集するための特定の幾何学的形状の流体経路を含んでいてもよい。
【０１４５】
過剰なガス又は液体若しくは組織のような一以上のガス又は液体若しくは組織を装置から排出させることができる。過剰なガス又は液体もしくは組織は、さらに、被験者の状態を分析するための過剰な血液を収集すること又は更なる研究用として収集ユニットに収集することができる。過剰なガス又は液体、又は固形物は、被験者に使用するために再利用できる過剰な血液を回収することなど、さらなる用途のために再利用してもよい。本装置はまた、収集後に組織試料を保存するなどの、収集材料を保存するための収集ユニットを含んでいてもよい。
装置の収集ユニットは、使用中に装置に取り付けることができる別個のユニットなどの装置とは別個のものであってもよいし、装置内に形成してもよい。収集ユニットは再利用可能である。
【０１４６】
いくつかの実施形態では、本装置は、例えば、外科的処置の間に吸引力を提供するために使用してもよい。いくつかの実施形態では、本装置は、例えば、煙、血液、又は、例えば、糞便、膿、灌注、又は骨破片などを含む外科的デブリを吸引するように構成してもよい。いくつかの実施形態では、吸引装置は、完全に或いは一部の実施形態において、十分な吸引力を提供し、装置内に配置された又は装置に直列に配置される一以上のフィルタは、例えば、手術野から吸引されるガス、液体及び固形物を分離することができる。例えば、第１のフィルタは、固形物を濾過するために装置の吸入ポートの直前に配置され、第２のフィルタは、液体を濾過するために装置内に配置され、吸引されたガスからより小さい粒子を濾過する。
【０１４７】
外科的副産物は、一種類以上の液体（例えば、血液、唾液）、煙、組織及び／又は有害化学物質を含んでいてもよい。吸引流は、吸引組立体を出る前にフィルタを通過することができる。吸引流は、第２の空気増幅器（例えば、フィルタの後）を通して通過されてもよい。
【０１４８】
吸引流は、逆流防止装置（例えば、一方向弁）を通過して、加圧ガス流が吸引ポートを介して吸引組立体から流出するのを防ぐことができる（例えば、妨害物の場合）。ユーザは、吸引組立体内の障害物に対して警報を与えることができる。加圧ガスは、警報を起動させるために分流されることができる。加圧ガス流は、逆流防止装置が起動されるときに吸引組立体の迂回用ポートから出て、加圧ガス流が吸引ポートを介して吸引組立体から出るのを防ぐことができる。
【０１４９】
いくつかの実施形態では、吸引組立体は、低圧ポートに流入する流れ中の外科的副産物を受け入れるための低圧ポートを含む。吸引組立体はまた、正の圧力出口ポートを備え、吸引組立体から外科的副産物を収集する。正圧ガスポートは、加圧ガス流を受け入れる。第１の空気増幅器は、低圧ポートから正圧ポートへの流れを生成する。この流れは、吸引ポートから出口ポートへの吸引流に同伴された外科的副産物を押し出す。
【０１５０】
いくつかの実施形態では、吸引組立体は、一以上の弁を含んでいてもよい。一以上の弁は、一方向弁でよい。一以上の弁は、シャトル弁、圧力リリーフ弁、逆流防止弁、チェック弁、又はこれらの任意の組み合わせでもよい。
【０１５１】
いくつかの実施形態では、ばねは、シャトル弁などの一以上の弁を密閉するために使用されるエネルギーの源とすることができる。ばねは、約０ポンド（ｌｂｓ）〜約３０ｌｂｓの力を与えることができる。ばねは、約２ｌｂｓ〜約４ｌｂｓの力を与えることができる。ばねは、少なくとも約２．５ｌｂｓの力を与えることができる。ばねは、少なくとも約２ｌｂｓの力を与えることができる。ばねは、少なくとも約１．５ｌｂｓの力を与えることができる。ばねは、少なくとも約１ｌｂｓの力を与えることができる。ばねは、少なくとも約０．５ｌｂｓの力を与えることができる。ばねは、約０．５ｌｂｓ〜１ｌｂｓの力を与えることができる。ばねは、約０．５ｌｂｓ〜約０．８ｌｂｓの力を与えることができる。
【０１５２】
いくつかの実施形態では、吸引組立体は、逆流防止弁を含んでいてもよい。逆流防止弁は、低圧ポートを介して加圧ガス流を遮断する。特に、逆流防止弁は、障害物が逆流防止弁と排出ポートとの間の流れを遮断する際に、低圧ポートから加圧ガスが流出するのを止める。逆流防止弁はまた、加圧ガス流を吸引組立体の迂回用ポートから迂回させることができる。
【０１５３】
いくつかの実施形態では、空気増幅器装置は、第１の端部に第１の開口部と、第２の端部に第２の開口部とを有する、ほぼ円筒形空洞を規定する構造を有する。円筒形空洞は、空洞の内壁によって規定される。構造体は、噴出開口部を規定する第１の端部近傍の内壁に環状の開口部のような間隙空間を有する。この噴出開口部は、加圧ガスを環状の開口部から流出可能に構成されるので、低圧領域が第１の端部で生成され、増幅された流れが第２の端部で生成される。環状の開口部はさらに、加圧ガスが、第２の端部に向かう空洞の内壁に対して角度（例えば、０°〜９０°）を付けて空洞内に入るように構成される。いくつかの実施形態では、より鋭角（例えば、３０°〜５０°）が望ましいことがある。空洞は、環状の開口部が空洞と連通する箇所まで直径が大きくなって拡開状になっている。
【０１５４】
いくつかの実施形態では、環状の開口部のような間隙空間の寸法を調節して、第１の端部における周囲空気と低圧領域との間の圧力差を制御することができる。構造体の一部は、回転可能で、環状の開口部の寸法を調節することにより、圧力差を制御することができる。環状の開口部は、空洞に流入する加圧ガスが環状の開口部を規定する構造体の部分の湾曲面に付着するような輪郭を有し、それによって、増幅された流れの全体的な質量流量を増加させる低圧領域を形成することができる。
【０１５５】
環状の開口部の寸法は、空気増幅器によって供給される液体吸引に対するガス吸引の比率を制御するために調節可能である。いくつかの実施形態では、吸引装置は、環状の開口部の寸法を調節するための回転可能な部材を含み、第１の端部における周囲空気と低圧領域との間の圧力差を制御する。いくつかの実施形態では、環状の開口部は、空洞に流入する加圧ガスが環状の開口部を規定する構造体の部分の湾曲面に付着するようなプロファイルを有し、それによって、増幅された流れの全体的な質量流量を増加させる低圧領域を形成する。環状の開口部は、空洞に流入する加圧ガスが環状の開口部を規定する構造体の部分に付着するようなプロファイルを有し、それによって、増幅された流れの全体的な質量流量を増加させる低圧領域を形成することができる。
【０１５６】
いくつかの実施形態では、吸引力を生成するための装置は、第１の端部に第１の開口部を有する空洞を規定する筐体と、第２の端部における第２の開口部とを備える。本装置はまた、少なくとも１つの開口部からガス流を排出するように構成された筐体の内面に少なくとも１つの開口部を有し、前記第１の端部に低圧領域が形成され、前記第２の端部に複合流が生成される。この複合流は、ガス流と、低圧領域の結果として第１の端部に入る吸引流とを含む。また、本装置は、少なくとも１つの開口部を操作して、低圧領域と周囲圧力との間の圧力差の量を調節するための制御装置を有する。
【０１５７】
いくつかの実施形態では、少なくとも１つの開口部は、コアンダ効果を利用するように構成される。いくつかの実施形態では、少なくとも１つの開口部はベンチュリ効果を利用するように構成される。装置はまた、複合流に障害が起きたときに、少なくとも１つの開口部からガス流を停止させる妨害物検出器を有していてもよい。
【０１５８】
いくつかの実施形態では、医療用吸引装置は、加圧ガスの流れを受け入れるための正圧入力ポートを備える。本装置はまた、吸引装置内への排出物を同伴して流入させるための低圧領域を供給するための入力ポートを備えている。本装置はまた、加圧ガスの流れと入力ポートを介して吸引装置に流入する排出物の流れとを出力する正圧出力ポートを含む。また、本装置は、入力ポートと連通して、少なくとも加圧ガスが吸引ポートを通って流出することを防止するためのチェック弁を有する。
【０１５９】
いくつかの実施形態では、医療用吸引装置は、チェック弁が吸引ポートを介して流れを阻止しているときに機械的に起動する警報を含む。チェック弁の起動は、いくつかの実施形態では、加圧ガス流の少なくとも一部を迂回させて、警報を起動させてもよい。加圧ガスのこの迂回した部分は、可聴警報を生成することができる。例えば、迂回した部分は、ホイッスルを通過し、それによって、可聴音を生成してもよい。警報は可視インジケータでもよい。加圧されたガスの迂回した部分は、医療用吸引装置のオペレータにインジケータを可視表示する部材を移動させることができる。この警報は、医療用吸引装置内の圧力を測定するための機械的なゲージ又は電子変換器を含んでいてもよい。警報は、閾値基準に到達する装置内の内部圧力に呼応して作動するように構成してもよい。警報は、装置の現在の内部圧力レベル、及び／又は一種類以上の内部圧力レベルが所望の作動範囲内にあるか否かをユーザに通知することもできる。
【０１６０】
いくつかの実施形態では、医療用吸引装置は、吸気ポートから排気ポートまでの内部管腔を備えている。内部管腔と流体連通する空気増幅器組立体。空気増幅器組立体は圧縮空気源を受け取り、圧縮空気は空気増幅器組立体によって導かれて、入力ポートに低圧領域を形成し、排気ポートから流出する。医療用吸引装置はまた、入力ポートと空気増幅器組立体との間の内部管腔に逆流防止弁を備える。
【０１６１】
いくつかの実施形態では、医療用吸引装置は、機械的に起動する警報を備え、逆流防止弁が吸引ポートを介して流出するのを防止する。逆流防止弁が入力ポートを介して流出するのを防ぐために逆流防止弁を起動させることによって、圧縮空気の流れの少なくとも一部を迂回させて警報を作動させることもできる。この警報は、圧縮空気の流れの一部によって生成される可聴音である。例えば、圧縮空気の流れの一部はホイッスルを通過し、それによって、可聴音を生成することができる。警報は可視インジケータであってもよい。圧縮空気の流れの迂回した部分は、可視インジケータを医療用吸引装置のオペレータに見えるように部材を移動させることができる。
【０１６２】
いくつかの実施形態では、医療用吸引装置は、妨害物を除去するために、逆流防止弁とともに管腔の少なくとも一部を加圧する妨害物除去制御を含んでいてもよい。例えば、妨害物除去制御が起動すると、圧縮空気によって排気ポートから妨害物を強制的に排除することができる。
【０１６３】
いくつかの実施形態では、医療用吸引装置を操作する方法は、加圧ガス流を受け入れることを含む。この方法はまた、加圧ガス流を利用して、入力ポートに低圧領域を形成し、吸引装置へ排出物を同伴させ、受け入れることを含む。この方法はまた、出力ポートを介して、加圧ガス流と、入力ポートを介して受け入れる排出物の流れとを排出することを含む。この方法はまた、弁を起動して、加圧ガス流を減少させ、第１の閾値基準以下の出力ポートを介して排出される排出物の流れを減少させる妨害物に呼応して、少なくとも加圧ガス流が入力ポートを介して流出することを防ぐことを含む。
【０１６４】
いくつかの実施形態では、方法は、圧力ガス流を減少させる妨害物と、第２の閾値基準以下の出力ポートを介して排出される排出物の流れに呼応して、警報を起動するステップをさらに含む。いくつかの実施形態では、加圧ガス流の流れと出力ポートから排出される排出物の流れを同じだけ減少させることによって、第１の閾値基準及び第２の閾値基準を適合させる。警報は弁に接続され、弁が起動するときに警報を起動させることができる。
【０１６５】
図１は、吸引システム１００を示すブロック図である。図１において、吸引システム１００は、真空発生器１１０を備える。真空発生器１１０は、真空発生器１１０、入力ポート１１１、吸引ポート１１２、及び排気ポート１１３を含む。真空発生器１１０は、入力ポート１１１から正圧ガス供給１２１を受け入れるように構成される。真空発生器１１０は、吸引ポート１１２の近傍の正圧ガス供給１２１から低圧領域１２２を生成するように構成される。低圧領域１２２は、周囲の気圧よりも圧力が低い。周囲の気圧は、低圧領域１２２の圧力を克服して、吸引装置１００内に吸引力を生成する。低圧領域１２２は、吸引ポート１１２を介して、排出物（例えば、液体、ガス、固形物）を真空発生器１１０に引き込む。真空発生器１１０に引き込まれた排出物は、排気ポート１１３から真空発生器１１０によって押し出される。排気ポート１１３は、収集された排出物の流出物と、入力ポート１１１を介して受け取られたガスとを出力する。この流出物は、回収、分離及び／又は処分のために配管、パイプ等に出力されてもよい。
【０１６６】
「正圧」及び「低圧」という用語は相対的な用語であることを理解するべきである。これらの用語は、真空発生器１１０の近傍の周囲空気／ガス圧力に対して相対的なものであることを理解するべきである。例えば、正圧ガス供給１２１は、圧縮空気、窒素、二酸化炭素あるいは他のガス圧力源の流れであってもよい。この場合、正圧ガス供給１２１は、真空発生器１１０を囲む周囲空気より高く加圧される。同様に、低圧領域１２２は、吸引ポート１１２近傍の空気圧が周囲空気よりも小さい領域であってもよい。この低圧領域は、吸引ポート１１２付近の空気、おそらくは同伴している排出物を吸引ポート１１２に流入させる。
【０１６７】
いくつかの実施形態では、真空発生器１１０は、正圧ガス供給１２１から低圧領域１２２を生成するために流体流増幅器（別名、流量乗算器）を利用する。別の実施形態では、真空発生器１１０は正圧ガス供給１２１で駆動される機械的ポンプ又はファンを利用して、低圧領域１２２を生成する。
【０１６８】
いくつかの実施形態では、真空発生器１１０は、ハンドヘルド操作用として構成してもよい。この構成では、真空発生器１１０は、操作されながら一以上の手によって保持できるようにサイズ決めされ、形作ることができる。従って、永久的に取り付けられた（又は、可搬であるが、大きい）吸引ポンプではなく、真空発生器１１０は、排出物を吸引ポート１１２に吸引するように作動する比較的小さな装置であってもよく、排気ポート１１３から排出物を押し出すことができる。真空発生器１１０は、ハンドヘルド操作用として構成されてもよいが、別の手順（例えば、腹腔鏡検査、ロボット等）とともに使用されてもよいことは理解するべきである。
【０１６９】
正圧ガス供給１２１を受け、正圧流出物１２３を生成することによって、入力ポート１１１及び排気ポート１１３に接続された配管及び／又はパイプは、薄壁で、圧潰可能でもよいことは理解するべきである。正圧ガス供給１２１及び正圧流出物１２３の正圧が圧潰可能な配管を「押し開く」か「膨張させる」ことから、入力ポート１１１及び排気ポート１１３に接続された配管及び／又はパイプは圧潰可能である。したがって、供給される真空ライン又は真空源（例えば、真空ポンプ及び／又は配管壁ポート）に依存する「負圧」システムと共に使用するものに比べ、より軽量で、及び／又はより安価な配管を真空発生器１１０と共に使用できる。
【０１７０】
入力ポート１１１は、吸引装置１００の壁内に配置される。入力ポート１１１は、正圧ガス供給１２１を受け入れるように構成されている。入力ポートは、真空発生器１１０に結合される。入力ポート１１１０は、正圧ガス供給１２１を真空発生器１１０に導くように構成されている。真空発生器１１０は、正圧ガス供給１２１を受け入れるように構成される。いくつかの実施形態では、入力ポート１１１は、正圧ガス供給１２１を真空発生器１１０の内壁に対して角度をつけて導くように構成される。
【０１７１】
吸引ポート１１２は、吸引装置１００の遠位端に配置されている。吸引ポート１１２は、低圧領域１２２を介して排出物の流れを受け取るように構成されている。吸引ポート１１２は、真空発生器１１０の遠位端に結合されるように構成される。吸引ポート１１２は、排出物の流れを真空発生器１１０に導くように構成されている。真空発生器１１０は、吸引ポート１１２から排出物の流れを受け入取ように構成されている。
【０１７２】
排気ポート１１３は、吸引装置１００の基端側に配置されている。排気ポート１１３は、真空発生器１１０に結合される。排気ポート１１３は、正圧ガス供給１２１と、真空発生器から吸引ポート１１２で受け取った排出物の流れとの複合流を、受け入れるように構成されている。排気ポート１１３は、少なくとも複合流を吸引装置１００から排出するように構成されている。いくつかの実施形態では、排気ポート１１３は、正圧流出物１２３を受け入れるように構成された配管を取り付けるための取り付け具を含んでいてもよい。
【０１７３】
図２は、吸引システムを作動させる方法を示すブロック図である。図２に示されるステップは、吸引システム１００の一以上の要素によって実行されてもよい。加圧ガス流は、入力ポート（２０２）で受け入れる。例えば、入力ポート１１１は、正圧ガス供給１２１を受け取り、真空発生器１１０に供給するように構成される。真空発生器１１０は、空気流増幅器の一例である。吸引ポート（２０４）の近傍には低圧領域が形成される。例えば、真空発生器１１０は、正圧ガス供給１２１から吸引ポート１１２の近傍の低圧領域を生成するように構成されている。吸引装置（２０６）には、排出物の流れが引き込まれる。例えば、低圧領域１２２は、周囲の気圧よりも低い。これにより、排出物の流れが吸引ポート１１２に流入する。
吸引ポート１１２は、この排出物の流れを受け入れるように構成されている。加圧ガス流と排出物の流れとを含む複合流は、排気ポート（２０８）から排出されるように構成されている。例えば、吸引組立体１００は、真空発生器１１０に複合流（正圧ガス供給１２１と、吸引ポート１１２で受け取った排出物の流れを含む）を通過させ、正圧流出物１２３として排気ポート１１３から排出させる。
【０１７４】
図３は、逆流防止３００を備えた吸引システムを示すブロック図である。逆流防止３００を備えた吸引システムは、真空発生器３１０を含み、入力ポート３１１、吸引ポート３１２、排気ポート３１３、逆流防止装置３１６を含む。吸引システム３００は、吸引システム１００の一例であるが、逆流防止３００を備えた吸引システムは、逆流防止装置３１６を備えている。
【０１７５】
真空発生器３１０は、入力ポート３１１を介して正圧ガス供給３２１を受け、吸引ポート３１２に低圧領域３２２を生成する。低圧領域３２２は、逆流防止３００によって吸引システム内へ排出物を流入させて同伴する。吸引ポート３１２は、真空発生器３１０に入る外科的副産物（例えば、煙、組織、ガス、液体、有害化学物質など）を同伴及び受容するように構成されている。典型的な操作では、真空発生器３１０に引き込まれた外科的副産物は、真空発生器３１０によって正圧流出物３２３として排気ポート３１３から推進される。排気ポート３１３は、正圧ガス供給３２１に同伴された外科的副産物を含む正圧流出物３２３を出力する。正圧流出物３２３は、回収、分離、及び／又は処分するため、管、パイプ等に出力されてもよい。
【０１７６】
しかし、排気ポート３１３（又は、正圧流出物３２３を運ぶために接続された管）は、詰まったり、閉塞したりすることがある。この場合、障害物が、正圧流出物３２３の全て又は一部を排気ポート３１３からの流出を阻止する場合がある。逆流防止装置３１６がない場合、正圧流出物３２３を排気ポート３１３から流出させられない場合には、正圧流出物３２３は、代わりに、吸引ポート３１２から排出させることができる。正圧流出物３２３（特に正圧ガス供給３２１）を吸引ポート３１２から排出することは望ましくないので、吸引ポート３１２の近傍にあるもの（例えば患者）に損傷や他の問題を引き起こす可能性がある。しかしながら、逆流防止装置３１６は、少なくとも正圧流出物３２３の流れを、吸引ポート３１２から流出しないよう、停止するように構成される。
【０１７７】
逆流防止装置３１６は、低圧領域３２２を形成する真空発生器３１０の一以上の成分に対して、正圧ガス供給３２１の供給を遮断することにより、真空発生器３１０の作動を停止させることができる。逆流防止装置３１６は、排出物のいかなる「逆」流も吸引ポート３１２から流出しないように防止することによって、真空発生器３１０の作動を停止させることができる。例えば、逆流防止装置３１６は、吸引ポート３１２に沿って配置してもよい。逆流防止装置３１６は、排出物が吸引ポート３１２から流出するように流れ始めるときに起動させることができる。逆流防止装置３１６は、一旦起動すると、起動されたままとなり、正圧ガス供給３２１が排除される（すなわち、オフとなる）まで、又は妨害物が除去されるまで、吸引ポート３１２から流れないように防止するように構成してもよい。逆流防止装置３１６は、起動されると、正圧ガス供給３２１を迂回用ポートから流出させ、正圧ガス供給３２１と正圧流出物３２３が真空発生器３１０から流出するようにしてもよい。
【０１７８】
図４は、逆流警報４００を備えた吸引システムを示すブロック図である。逆流警報４００を備えた吸引システムは、吸引システム１００及び吸引システム３００の一例であるが、逆流警報３００を備えた吸引システムは、逆流警報４１７を含む。逆流警報４００を備えた吸引システムは、真空発生器４１０、正圧入力ポート４１１、吸引ポート４１２、排気ポート４１３、低圧領域４２２、正圧流出物４２３、及び逆流警報４１７を含む。
【０１７９】
逆流警報４１７は、吸引システム４００のユーザに、妨害物の存在を警告するように構成されている。一旦妨害物に対する警報が出ると、ユーザは次のいずれかの操作を実行できる。（１）真空発生器４１０の使用を停止し、（２）妨害物を除去して正常動作を回復させ、（３）正圧ガス供給４２１の供給を停止させ、真空発生器４１０を停止させる。
【０１８０】
逆流警報４１７は、可聴警報（例えば、笛又は他の警報タイプのノイズ）、可視警報（例えば、フラグやその他の可視インジケータ）、触覚警報（例えば、振動）、又はその他の何らかのタイプの警報を生成して、ユーザに妨害物の存在を知らせるようにすることができる。逆流警報４１７は、警報を生成するために機械的又は電気的手段を使用することができる。警報を生成するために使用され得るいくつかの機械的手段の例を提供するために、逆流警報４１７は、空気圧を使用して笛式装置を使って可聴警報を生成することができ、フラグ又は他の可視インジケータを物理的に動かすことによって可視警報を生成すること、又は質量を物理的に動かすことによって触覚警報を発生することができる。同様に、逆流警報４１７によって、変換器、質量空気流センサなどを含む種々の電子部品を使用して、逆流及び信号回路を検出し、逆流警報４１７を起動することができる。
【０１８１】
いくつかの実施形態では、逆流警報４１７は、真空発生器４１０内の圧力を測定するための一以上の機械的ゲージ又は電子変換器を含んでいてもよい。逆流警報４１７は、閾値基準に達する真空装置４１０内の内部圧力に呼応して起動されるように構成されてもよい。逆流警報４１７はまた、真空発生器４１０の現在の内部圧力レベル及び／又は内部圧力レベルが所望の作動範囲内にあるかどうかをユーザに通知することもできる。本明細書に記載される様々なタイプの警報は、個別に又は組み合わせて使用することができる。同様に、逆流警報４１７は、逆流を個別に又は組み合わせて検出するための機械的手段及び電気的手段の両方を使用してもよい。
【０１８２】
いくつかの例では、真空発生器４１０は、例えば、逆流防止装置３１０などのチェック弁を有し、入力ポート４１１と連通して、少なくとも正圧ガス供給４２１が吸引ポート４１２から流出するのを防ぐことができる。逆流警報４１７は、チェック弁が正圧ガス供給４２１を吸引ポート４１２から流出させないようにするときに起動するように構成されてもよい。正圧ガス供給４２１が吸引ポート４１２から流出するのを防ぐためのチェック弁の起動は、正圧ガス供給４２１の少なくとも一部を迂回させて逆流警報４１７を作動させることができる。逆流警報４１７は、正圧ガス供給４２１の一部を使用して可聴音を生成することができる。例えば、逆流警報４１７は、笛を通して正圧ガス供給の一部を指示することができ、それによって、可聴音を生成することができる。あるいは、逆流警報４１７は、可視インジケータを使用して、使用に妨害物の存在を通知することができる。逆流警報４１７は、正圧ガス供給４２１の一部を迂回させて、逆流警報４００を備えた吸引システムのオペレータに可視インジケータを可視化する部材を移動させることができる。
【０１８３】
図５は、安全機能５００を備えた吸引システムを示すブロック図である。安全機能５００を備えた吸引システムは、吸引システム１００の例、逆流防止３００を備えた吸引システム、逆流警報４００を備えた吸引システムであってもよいが、安全機能５００を備えた吸引システムは、代替的な構成及び操作方法を有していてもよい。安全機能５００を備えた吸引システムは、真空発生器５１０、正圧入力ポート５１１、吸引ポート５１２、排気ポート５１３、逆流防止装置５１６、及び逆流警報５１７を備える。
逆流防止装置５１６は、逆流警報５１７に動作可能に結合されている。
【０１８４】
逆流防止装置５１６は、低圧領域５２２を形成する真空発生器５１０の一以上の成分に対して正圧ガス供給５２１の供給を遮断することにより、真空発生器５１０の動作を停止させることができる。逆流防止装置５１６は、排出物のいかなる「逆」流も吸引ポート５１２を介して流出しないように防止することによって、真空発生器５１０の動作を停止させることができる。逆流防止装置５１６は、排出物が吸引ポート５１２から流出するように流れ始めるときに起動させることができる。逆流防止装置５１６は、一旦起動すると、起動されたままとなり、正圧ガス供給５２１が排除される（すなわち、オフとなる）まで、又は妨害物が除去されるまで、吸引ポート５１２から流れないように防止するように構成してもよい。
【０１８５】
逆流防止装置５１６は、逆流防止装置５１６の起動に呼応して逆流警報５１７を起動させるために逆流警報５１７に動作可能に連結されていてもよい。このようにして、妨害物に呼応して、真空発生器５１０は、流出物の逆流が吸引ポート５１２から流出するのを停止（すなわち、防止）するとともに、ユーザに妨害物の警報を出す。
【０１８６】
逆流変化５１７は、逆流防止装置５１６に動作可能に結合されている。逆流警報５１７は、真空発生器５１０のユーザに対して妨害物の存在を警告するように構成されている。一旦妨害物に対する警報が出ると、ユーザは次のいずれかの操作を実行できる。（１）真空発生装置５１０の使用を停止し、（２）妨害物を除去して正常動作を回復させ、（３）正圧ガス供給５２１の供給を停止させ、真空発生器５１０を停止させる。
【０１８７】
逆流警報５１７は、可聴警報（例えば、笛、又は他の警報タイプのノイズ）、可視警報（例えば、フラグやその他の可視インジケータ）、触覚警報（例えば、振動）、又はその他の何らかのタイプの警報を生成して、ユーザに妨害物の存在を知らせるようにすることができる。逆流警報５１７は、警報を生成するために機械的又は電気的手段を使用することができる。警報を生成するために使用され得るいくつかの機械的手段の例を提供するために、逆流警報５１７は、空気圧を使用して笛式装置を使って可聴警報を生成することができ、フラグ又は他の可視インジケータを物理的に動かすことによって可視警報を生成すること、又は質量を物理的に動かすことによって触覚警報を発生することができる。同様に、逆流警報５１７によって、変換器、質量空気流センサなどを含む種々の電子部品を使用して、逆流及び信号回路を検出し、逆流警報５１７を起動することができる。本明細書に記載される様々なタイプの警報は、個別に又は組み合わせて使用することができる。
同様に、逆流警報５１７は、逆流を個別に、又は組み合わせて検出するための機械的手段及び電気的手段の両方を使用してもよい。
【０１８８】
いくつかの実施形態では、逆流警報５１７は、真空発生器５１０内の圧力を測定するための一以上の機械的ゲージ又は電子変換器を含んでいてもよい。逆流警報５１７は、閾値基準に達する真空装置５１０内の内部圧力、例えば、障害物の存在を示す内部圧力の増加に呼応して起動されるように構成されてもよい。逆流警報５１７はまた、真空発生器５１０の現在の内部圧力レベル及び／又は内部圧力レベルが所望の作動範囲内にあるかどうかをユーザに通知することができる。本明細書に記載される様々なタイプの警報は、個別に又は組み合わせて使用することができる。同様に、逆流警報５１７は、逆流を個別に、又は組み合わせて検出するための機械的手段及び電気的手段の両方を使用してもよい。
【０１８９】
真空発生器５１０は、入力ポート５１１と連通する逆流防止装置５１６を備えており、少なくとも正圧ガス供給５２１が吸引ポート５１２から流出することを防止する。逆流警報５１７は、逆流防止装置５１６が正圧ガス供給５２１を吸引ポート５１２から流出させないようにするときに作動するように構成されてもよい。正圧ガス供給５２１及び正圧流出物５２３が吸引ポート５１２から流出するのを防止するための逆流防止装置５１６の起動により、正圧ガス供給５２１の少なくとも一部を迂回させて逆流警報５１７を起動させることができる。逆流警報５１７は、正圧ガス供給５２１の一部を使用して可聴音を生成することができる。例えば、逆流警報５１７は、笛を介して正圧ガス供給の一部を指示することができ、それによって、可聴音を生成することができる。あるいは、逆流警報５１７は、可視インジケータを使用して、使用に妨害物の存在を通知することができる。逆流警報５１７は、正圧ガス供給５２１の一部を迂回させて、逆流警報５００を有する吸引システムのオペレータに可視インジケータを可視化する部材を移動させることができる。
【０１９０】
図６は、安全機能を備えた吸引システムを作動させる方法を示すブロック図である。図６に示されるステップは、吸引システム５００の一以上の要素によって実行されてもよい。加圧ガス流は、入力ポート（６０２）で受け入れる。例えば、入力ポート５１１は、正圧ガス供給５２１を受け取り、それを真空発生器５１０に供給するように構成されている。真空発生器５１０は、空気流増幅器の一例である。吸引ポート（６０４）の近傍には低圧領域が形成されている。例えば、真空発生器５１０は、負圧発生装置５１０を通るように正圧ガス供給５２１を導くことによって、吸引ポート５１２近くの低圧領域５２２を生成するように構成される。排出物の流れが吸引システム（６０６）に引き込まれる。例えば、低圧領域５２２は、周囲の気圧よりも低い。これにより、排出物の流れが吸引ポート５１２に流入する。吸引ポート５１２は、この排出物の流れを受け入れるように構成されている。加圧ガス流と吸引ポートで受け取った排出物の流れとを含む複合流が排気ポート（６０８）から排出される。例えば、安全機能５００を備えた吸引システムは、正圧流出物５２３として排気ポート５１３から、複合流（正圧ガス供給５２１及び吸引ポート５１２で受け取られた排出物の流れを含んでいてもよい）を排出するように構成されている。少なくとも加圧ガス流は、吸引ポート（６１０）からは出ないように遮断される。例えば、逆流防止装置５１６は、少なくとも正圧ガス供給５２１が吸引ポート５１２から流出することを防止するように構成されている。逆流防止装置５１６は、安全機能５００を備えた吸引システムの一部が妨害物によって妨害されるときに起動してもよい。加圧ガス流を迂回させて、警報を起動、一以上の迂回用ポート（６１２）から排出させる。例えば、逆流防止装置５１６は、正圧ガス供給５２１を迂回させて、警報５１７を起動し、一以上の迂回用ポートから排出させるように構成されている。
【０１９１】
図７は、妨害物除去制御７００を備えた吸引システムを示すブロック図である。妨害物除去制御７００を備えた吸引システムは、吸引システム１００の一例であり、逆流防止３００を備えた吸引システム、逆流警報４００を備えた吸引システム、及び安全機能５００を備えた吸引システムであるが、妨害物除去制御７００を備えた吸引システムは、妨害物除去制御７０８を含む。妨害物除去制御７００を備えた吸引システムは、逆流解消制御７０８、真空発生器７１０、入力ポート７１１、吸引ポート７１２、排気ポート７１３、低圧領域７２２、及び逆流防止装置７１６を備える。
【０１９２】
妨害物除去制御７０８は、ユーザ入力に呼応して正圧ガス供給７２１から受けた真空発生器７１０内の圧力を増加させるように構成されている。作動時には、妨害物除去制御７０８が作動されると、正圧ガス供給７２１から受けた真空発生器７１０内の圧力が上昇する。この真空発生器７１０内の圧力の増加は、妨害物を排気ポート７１３から強制的に排出することができる。妨害物は、正圧流出物７２３として除去されてもよい。いくつかの実施形態では、真空発生器７１０は、妨害物除去制御７００による吸引システムに障害が起きた場合に、正圧ガス供給７２１を出口吸引ポート７１２から迂回させるように構成された一以上の迂回用ポートを含んでいてもよい。いくつかの実施形態では、妨害物除去制御７０８は、真空発生器７１０内の圧力を増加させることができるように、一以上の迂回用ポートを遮断するように構成されてもよい。いくつかの実施形態では、妨害物除去制御７０８は、逆流防止装置７１６と連動して作動して、圧力を増加させることができる。そのような実施形態では、逆流防止装置７１６は、正圧ガス供給７２１が吸引ポート７１２から流出しないように遮断するように構成されてもよく、妨害物除去制御７０８は、真空発生器７１０内の圧力を増加させるために、同時に一以上の迂回用ポートを遮断することができる。
【０１９３】
図８は、安全機能及び妨害物除去制御８００を備えた吸引システムを示すブロック図である。安全機能及び妨害物除去制御８００を備えた吸引システムは、吸引システム１００の一例であり、逆流防止３００を備えた吸引システム、逆流警報４００を備えた吸引システム、安全機能５００を備えた吸引システム、及び逆流解消制御７００を備えた吸引システムを備えているが、安全機能を備えた吸引システムと妨害物除去制御８００は、代替構成及び操作方法を含んでいてもよい。図８において、安全機能及び妨害物除去制御８００を備えた吸引システムは、逆流解消制御８０８、真空発生器８１０、入力ポート８１１、吸引ポート８１２、排気ポート８１３、逆流防止装置８１６、逆流警報８１７、及びキャニスタ８６０を含む。
【０１９４】
逆流解消制御８０８は、真空発生器８１０からの障害物又は妨害物を排気ポート８１３から排出するように構成されている。逆流解消制御８０８は、真空発生器８１０内の正圧ガス供給８２１から供給される圧力を増加させるように構成されている。この圧力の増加は、障害物又は妨害物を排気ポート８１３から強制的に排出させることができる。いくつかの実施形態では、逆流解消制御８０８は、逆流防止装置８１６と連動することができる。そのような例では、逆流防止装置８１６は、正圧ガス供給８２１を吸引ポート８１２から流出しないように遮断し、正圧ガス供給８２１を一以上の迂回用ポートから迂回させることができる。妨害物除去制御は、正圧ガス供給８２１からの圧力を真空発生器８１０内で増加させるために、一以上の迂回用ポートを遮断するように構成してもよい。
【０１９５】
真空発生器８１０は、入力ポート８１１から正圧ガス供給８２１を受け入れるように構成されている。真空発生器８１０は、正圧ガス供給８２１から吸引ポート８１２近傍に低圧領域８２２を生成するように構成されている。いくつかの実施形態では、入力ポート８１１は、真空発生器８１０の内壁に対して角度を付けて真空発生器８１０に正圧ガス供給を供給するように構成される。真空発生器８１０は、コアンダ効果を利用して低圧領域８２２を生成するように構成されてもよい。
【０１９６】
入力ポート８１１は、正圧ガス供給８２１を受け取り、それを真空発生器８１０に供給するように構成されている。いくつかの実施形態では、入力ポート８１１は、真空発生器８１０の内壁に対して角度を付けて正圧ガス供給８２１を真空発生器８１０に供給するように構成されてもよい。配管を使って、正圧ガス供給８２１を入力ポート８１１に供給してもよい。いくつかの実施形態では、入力ポート８１１は、配管を入力ポート８１１に結合するための取り付け具を含んでいてもよい。使用できる取り付け具のタイプには、返し付き、クイック切断、又は圧縮取り付け具などがある。
【０１９７】
吸引ポート８１２は、真空発生器８１０の遠位端に向かって配置される。吸引ポート８１２は、排出物の流れを受け取って、それを真空発生器８１０に供給するように構成されている。作動中、低圧領域８２２は、排出物の流れを吸引ポート８１２に吸引する。吸引ポート８１２は、真空発生器８１０へ排出物の流れを供給する。いくつかの実施形態において、吸引ポート８１２は、吸引ポート８１２の壁に放射状に配列された開口部を含んでいてもよい。開口部は、吸引ポート８１２の近傍に追加の吸引力を提供する。開口部はベンチュリ効果を利用するように構成してもよい。開口部は、ユーザ入力に呼応して開閉するように構成してもよい。
【０１９８】
排気ポート８１３は、真空発生器８１０からの正圧流出物を収集源に導くように構成されている。キャニスタ８６０は、収集源の一例である。いくつかの実施形態では、排気ポート８１３は、配管に結合するための取り付け具を含んでいてもよい。使用することができる取り付け具の種類には、返し付き、クイック切断、圧縮取り付け具などがある。配管を利用して、排気ポート８１３をキャニスタ８６０に結合させてもよい。
【０１９９】
逆流防止装置８１６は、低圧領域８２２を形成する真空発生器８１０の一つ以上の成分に対して、正圧ガス供給８２１の供給を遮断することにより、真空発生器８１０の動作を停止させることができる。逆流防止装置８１６は、排出物のいかなる「逆」流も吸引ポート８１２を介して流出しないよう防止することによって、真空発生器８１０の動作を停止させることができる。例えば、逆流防止装置８１６は、吸引ポート８１２に沿って配置してもよい。逆流防止装置８１６は、排出物が吸引ポート８１２から流出するように流れ始めるときに起動させることができる。逆流防止装置８１６は、一旦起動すると、起動されたままとなり、正圧ガス供給８２１が排除される（すなわち、オフとなる）まで、又は妨害物が除去されるまで、吸引ポート８１２から流れないように防止するように構成してもよい。逆流防止装置８１６は、逆流防止装置８１６の起動に呼応して逆流警報８１７を起動させるために逆流警報８１７に動作可能に連結されていてもよい。このようにして、妨害物に呼応して、真空発生器８１０は、吸引ポート８１２から流出した流出物の逆流を停止（すなわち、防止）し、ユーザに妨害物の警報を出す。
【０２００】
逆流警報８１７は、真空発生器８１０のユーザに対して妨害物の存在を警告するように構成されている。一旦妨害物に対する警報が出ると、ユーザは次のいずれかの操作を実行できる。（１）真空発生装置８１０の使用を停止し、（２）妨害物を除去して正常動作を回復させ、（３）正圧ガス供給８２１の供給を停止させ、真空発生器８１０を停止させる。作動時、逆流警報８１７は、逆流防止装置８１６が正圧ガス供給８２１を吸引ポート８１２から流出させないようにするときに作動するように構成されてもよい。逆流警報８１７は、閾値基準に達する真空装置８１０内の内部圧力に呼応して起動されるように構成されてもよい。閾値基準の一例としては、障害物を示すことができる、真空発生器８１０内で予め決められた圧力レベルが含まれる。逆流警報８１７は、可聴警報（例えば、笛又は他の警報タイプのノイズ）、可視警報（例えば、フラグやその他の可視インジケータ）、触覚警報（例えば、振動）、又はその他の何らかのタイプの警報を生成して、ユーザに妨害物の存在を知らせるようにすることができる。逆流警報８１７は、警報を生成するために機械的又は電気的手段を使用することができる。逆流警報８１７は、正圧ガス供給８２１の一部を使用して可聴音を生成することができる。例えば、逆流警報８１７は、笛を介して正圧ガス供給の一部を指示することができ、それによって、可聴音を生成することができる。あるいは、逆流警報８１７は、可視インジケータを使用して、使用に妨害物の存在を通知することができる。逆流警報８１７は、正圧ガス供給８２１の一部を迂回させて、可視インジケータをオペレータに可視にする部材を移動させることができる。同様に、逆流警報８１７によって、逆流警報８１７を作動させるために逆流及び信号回路を検出するために、変換器、質量空気流センサなどを含む種々の電子部品を使用することができる。逆流警報８１７は、本明細書に記載された警報の一つ又は複数の組み合わせを使用して、妨害物の存在について真空発生器８１０のユーザに通知することができる。
【０２０１】
キャニスタ８６０は、収集、分離、及び／又は廃棄のために排気ポート８１３から出力される廃棄物を受け取るように構成されている。いくつかの実施形態では、キャニスタ８６０は、収集、分離及び／又は廃棄のために、管、パイプ等への出力に結合してもよい。いくつかの実施形態では、キャニスタ８６０は、真空源に接続された吸引キャニスタであってもよい。キャニスタ８６０は、フィルタを含んでいてもよい。キャニスタ８６０は、プラスチック、ガラス、金属、又は所望の特性を有するその他の材料から製造することができる。いくつかの望ましい特性は、コスト、滅菌できるということ、製造方法、用途、又はその他の測定基準を含んでいてもよい。
【０２０２】
図９は、安全機能及び妨害物除去制御を備えた吸引システムを作動させるための方法を示すブロック図である。図９に示されるステップは、安全機能及び妨害物除去制御８００を備えた吸引システムの一以上の要素によって実行されてもよい。入力ポート（９０２）において、加圧ガス供給を受け取る。例えば、入力ポート８１１は、正圧ガス供給８２１を受け取って、それを真空発生器８１０に供給するように構成される。真空発生器８１０は、空気流増幅器の一例である。吸引ポート（９０４）の近傍には低圧領域が形成されている。例えば、真空発生器８１０は、真空発生器８１０を通して正圧ガス供給８２１を指示することによって、吸引ポート８１２近くの低圧領域を生成するように構成される。排出物の流れが吸引システム（９０６）に引き込まれる。例えば、低圧領域８２２は、周囲の気圧よりも低い。これにより、排出物の流れが吸引ポート８１２に流入する。吸引ポート８１２は、安全機能及び妨害物除去制御８００を備えた吸引システム内への排出物の流れを受け入れるように構成されている。排気ポート（９０８）からは、加圧ガス供給と排出物の流れとを含む、複合流が流出される。例えば、安全機能と妨害物除去制御８００を備えた吸引組立体は、排気ポート８１３から、複合流（正圧ガス供給８２１及び吸引ポート８１２で受け取られた排出物の流れを含む）を排出するように構成されている。少なくとも加圧ガス流は、吸引ポート（９１０）で流出しないように遮断される。例えば、逆流防止装置８１６は、安全機能と妨害物除去制御８００を備えた吸引システムの一部が閉塞されたときに作動するように構成されている。逆流防止装置８１６は、少なくとも正圧ガス供給８２１が吸引ポート８１２を介して流出することを防止するように構成されている。加圧ガス流は、警報を作動させ、一以上の迂回用ポート（９１２）から出力されるように迂回させられる。例えば、逆流防止装置５１６は、加圧ガス供給５２１の少なくとも一部を迂回させて警報５１７を作動させ、残りを迂回用ポートから排出させるように構成されている。吸引システム内の圧力は、障害物が排気ポート（９１４）から排出されるまで増加させる。例えば、妨害物除去制御８０８は、妨害物が排気ポート８１３から排出されるまで正圧ガス供給８２１からの圧力を増加させるように構成されている。複合流を収集する（９１６）。例えば、キャニスタ８６０は、排気ポート８１３に結合されている。排気ポート８１３は、複合流をキャニスタ８６０に導くように構成されている。キャニスタ８６０は、少なくとも複合流を収集するように構成されている。
【０２０３】
図１０Ａは、濾過吸引システム１０００のフィルタ処理を示すブロック図である。濾過吸引システム１０００は、吸引システム１００の一例であり、逆流防止３００を備えた吸引システム、逆流警報４００を備えた吸引システム、安全機能５００を備えた吸引システム、逆流解消制御７００を備えた吸引システム、及び安全機能と妨害物除去制御８００を備えた吸引システムであるが、濾過吸引システム１０００は、フィルタ１０３０を含む。図１０Ａに示されるように、濾過吸引システム１０００は、真空発生器１０１０、入力ポート１０１１、吸引ポート１０１２、排気ポート１０１３、及びフィルタ１０３０を含む。
【０２０４】
真空発生器１０１０は、正圧ガス１０２１を受け取って、吸引ポート１０１２に低圧領域１０２２を生成するように構成されている。低圧領域１０２２は、濾過吸引システム１０００へ排出物を同伴し、これを受け取る。排出物は、外科的副産物（例えば、煙、組織、ガス、液体、有害化学物質など）を含んでいてもよい。典型的な動作では、真空発生器１０１０に引き込まれた外科的副産物は、真空発生器１０１０によってフィルタ１０３０を介して排気ポート１０１３から推進される。
【０２０５】
フィルタ１０３０は、複合流（正圧ガス１０２１及び外科的副産物を含んでいてもよい）に含まれる排出物を捕獲するように構成されている。フィルタ１０３０の様々な実施形態は、異なる動作を用いて異なるタイプの排出物を捕獲することができる。フィルタ１０３０は、一以上のフィルタ吸入ポート（排気ポート１０１３がこの例ではフィルタ吸入ポートと一体になっている）と、一以上のフィルタ出力ポート１０３３とを含む。一以上のフィルタ吸入ポートは、真空発生器１０１０からの複合流を受け入れるように構成されている。フィルタ１０３０は、複合流に含まれる排出物を捕獲し、濾液をフィルタ排出ポート１０３０に通過させる。フィルタ１０３０は、ハンドヘルド操作のために構成された濾過吸引システム１０００内に含まれてもよい。あるいは、フィルタ１０３０は、真空発生器１０１０のハンドヘルド部から離れた距離に配置されてもよい。外科的副産物及び正圧ガス１０２１は、フィルタ１０３０への移送のために管、パイプなどに出力されてもよい。
【０２０６】
フィルタ１０３０は、機械的、生物学的、化学的、その他の種類のフィルタ又はこれらの任意の組み合わせを含んでいてもよい。機械的濾過は、物理的バリア又はフィルタ媒体タイプのフィルタ、渦フィルタ、又はサイクロン型フィルタ、又はこれらの組み合わせを含んでいてもよい。
【０２０７】
物理的バリア又はフィルタ媒体を用いたフィルタは、粒子がフィルタ媒体を通過しないよう、物理的にブロックすることにより、粒子を保持する。フィルタ媒体を通過する流出物から固形物を機械的又は物理的濾過する。フィルタ媒体は、種々の材料及び多孔性で利用可能であり、それらを選択することにより、抽出可能な粒子のサイズを制限できる。フィルタ媒体中の細孔が大きいほど、粒子状排出物は大きくなければフィルタで抽出することはできない。異なる材料とフィルタ媒体の多孔性との組み合わせを利用して、収集された排出物の流出物を含む特定の要素を分離し、吸引ポート１０１２を介して受け取ったガスは、排気ポート１０１３からフィルタ１０３０へと排出する。
【０２０８】
渦又はサイクロンフィルタは、サイクロン分離法によって作動して物理的バリア又はフィルタ媒体を必要とせずに、流出物から微粒子を除去する。回転効果と重力を使用して、固形物と流体の混合物を分離する。この方法は、気体流から液体の微細な液滴を分離するためにも使用することができる。
【０２０９】
生物学的濾過は、微生物や菌類などの生きた微生物を用いて、流出物からの汚染物質、有害な化学物質、及びその他の望ましくない内容物を捕獲し、生物学的に分解する。生物学的濾過は、ガス及び液体とともに使用することができる。生物学的フィルタは、有益な微生物が増殖するフィルタ媒体を含む。生物学的フィルタ媒体は、砂、プラスチック、金属、セラミックス、及びその他の材料から製造することができる。表面積−体積比が大きい材料は、通常は、生物学的フィルタにおいて最も優れた性能を発揮する。
【０２１０】
化学的濾過は、活性炭、樹脂、及びその他の吸着剤を介して、流出物から溶解された粒子を除去する。化学的濾過媒体は、望ましくない溶解排出物を付着させる。化学媒体としては、活性炭や樹脂などの２種類がある。活性炭は、ある種の有機又は無機物質が付着できるような顕微鏡的細孔を有する。炭素は、流出物から多くの有害な要素を除去する。イオン交換樹脂は、特定の分子を吸着させて付着させる働きをする。樹脂は炭素と組み合わせることができる。樹脂は、炭素の濾過能力を強化することが多い。化学的濾過のためには、タンパク質の発泡体のスキミングやオゾンによる酸化も用いられる。
【０２１１】
図１０Ｂは、濾過吸引システム１０００の動作を示すブロック図である。作動時に、真空発生器１０１０は、正圧ガス１０２１を受け取って、吸引ポート１０１２に低圧領域を形成し、排気ポート１０１３における正圧流出物を発生させる。真空発生器１０１０は、流量乗算器の一例である。吸引ポート１０１２は、低圧領域によって、排出物（例えば、流体１０２４及び固形物１０２６）１０２５を真空発生器１０１０に引き込む。真空発生器１０１０に引き込まれた排出物１０２５は、真空発生器１０１０によってフィルタ１０３０を介して排気ポート１０１３から押し出される。フィルタ１０３０は、固形物１０５０を除去し、濾液１０２７を通過させて、フィルタ排出ポート１０３３において、フィルタ１０３０から排出させる。
【０２１２】
図１１は、濾過吸引システムを作動させる方法を示すブロック図である。図１１に示されたステップは、濾過吸引システム１０００の一以上の要素によって実行してもよい。加圧ガス流は、入力ポートで受け入れる（１１０２）。例えば、入力ポート１０１１は、正圧ガス供給１０２１を受け取り、真空発生器１０１０に供給するように構成される。真空発生器１０１０は、空気流量乗算器の一例である。吸引ポートの近傍には低圧領域が形成される（１１０４）。例えば、真空発生器１０１０は、吸引ポート１０１２の近傍の正圧ガス供給１０２１を使用して低圧領域１０２２を生成するように構成されている。排出物の流れが吸引システムに引き込まれる（１１０６）。例えば、低圧領域１０２２は、周囲の気圧よりも低い。これにより、排出物の流れが吸引ポート１０１２に流入する。吸引ポート１０１２は、濾過吸引システム１０００を介して排出物の流れを導くように構成される。加圧ガス流と、吸引ポートで受け取られた排出物の流れとを含む複合流は、フィルタを通過する（１１０８）。例えば、真空発生器１０１０は、フィルタ１０３０を介して、複合流（正圧ガス１０２１及び吸引ポート１０１２で受け取られた排出物の流れを含んでいてもよい）を通過させるように構成される。複合流に含まれる固形物はフィルタ内に捕捉され、濾液はフィルタを通過して回収される（１１１０）。例えば、フィルタ１０３０は、固形物１０５０を捕獲するように構成され、濾液１０２７を通過させて回収する。
【０２１３】
図１２は、正圧作動吸引装置１２００を示すブロック図である。正圧吸引装置１２００は、吸引システム１００の一例であるが、正圧作動吸引装置１２００は、代替的な構成及び作動方法を有してもよい。図１２に示すように、正圧作動吸引装置１２００は、吸引装置１２１０、正圧入口１２１１、吸引口１２１２、排出ポート１２１３、及び流体流乗算器１２１５を含む。
【０２１４】
吸引装置１２１０は吸引口１２１２付近に真空領域１２２２を形成して排出物を吸引装置１２１０に引き込み、加圧流出物を排出ポート１２１３から排出するように構成されている。排出物には、固形物、液体及びガスを組み合わせたもの、及び変動する比率で含まれるものを含んでいてもよい。いくつかの実施形態では、排出物は外科的副産物を含んでいてもよい。吸引装置１２１０は、正圧供給１２２１から真空領域１２２２を生成するように構成されている。いくつかの実施形態では、吸引装置１２１０は、コアンダ効果を利用して、正圧供給１２２１から真空領域１２２２を生成することができる。
【０２１５】
正圧入口１２１１は正圧供給１２２１を受け取り、それを流体流乗算器１２１５に供給するように構成される。いくつかの実施形態では、正圧入口１２１１は、流体流乗算器１２１５の内壁に対して角度を付けて、流体流乗算器１２１５に正圧供給１２２１を供給するように構成される。配管を使用して正圧供給１２２１を正圧入口１２１１に供給してもよい。いくつかの実施形態では、正圧入口１２１１は、配管を正圧入口１２１１に結合するための取り付け具を含んでいてもよい。使用することができる取り付け具の種類には、返し付き、クイック切断、圧縮取り付け具などがある。
【０２１６】
吸引口１２１２は、吸引装置１２１０の遠位端に向かって配置されている。吸引口１２１２は、排出物の流れを受け取り、それを吸引装置１２１０に供給するように構成されている。作動時に、真空領域１２２２は、吸引口１２１２内に排出物の流れを引き込む。吸引口１２１２は、流体流乗算器１２１５への排出物の流れを供給する。いくつかの実施形態では、吸引口１２１２は、吸引口１２１２の壁に放射状に配列された複数の開口部を含んでいてもよい。開口部は、吸引口１２１２付近に追加の吸引力を提供する。いくつかの実施形態では、開口部はベンチュリ効果を利用するように構成してもよい。いくつかの実施形態では、開口部は、ユーザ入力に呼応して開閉するように構成してもよい。
【０２１７】
排出ポート１２１３は、加圧流出物１２２３を吸引装置１２１０から収集源へ導くように構成される。いくつかの実施形態では、排出ポート１２１３は、配管に結合するための取り付け具を含んでいてもよい。使用することができる取り付け具の種類には、返し付き、クイック切断、圧縮取り付け具などがある。
【０２１８】
流体流乗算器１２１５は正圧入口１２１１から正圧供給１２２１を受け取るように構成される。いくつかの実施形態では、正圧入口１２１１は、流体流乗算器１２１５の内壁に対して角度を付けて、流体流乗算器１２１５に正圧供給１２２１を供給することができる。流体流乗算器１２１５は、吸引口１２１２の近傍に正圧供給１２２１から真空領域１２２２を生成するように構成されている。真空領域１２２２は、周囲の気圧よりも圧力が低い。周囲の気圧は、真空領域１２２２の圧力を克服して、吸引装置１２１０内に吸引力を生成する。真空領域１２２２は、排出物（例えば、液体、ガス、固形物）を吸引口１２１２に引き込む。吸引口１２１２は、排出物を吸引装置１２１０に供給するように構成されている。吸引装置１２１０に引き込まれた排出物は、流体流乗算器１２１５によって排出ポート１２１３から押し出される。排出ポート１２１３は、加圧流出物１２２３を出力する（これは、正圧供給１２２１及び吸引口１２１２で収集された排出物を含んでいてもよい）。加圧流出物１２２３は、管、パイプ等に出力され、回収、分離及び／又は処分してもよい。
【０２１９】
「正圧」及び「低圧」という用語は相対的な用語であることを理解するべきである。これらの用語は、吸引装置１２１０の近傍の周囲空気／ガス圧力に対して相対的なものであることを理解するべきである。例えば、正圧供給１２２１は、圧縮空気、窒素、二酸化炭素あるいはいくつかの他のガス圧力源の流れであってもよい。この場合、正圧供給１２２１は、吸引装置１２１０を囲む周囲空気のより高く加圧される。同様に、真空領域１２２２は、吸引口１２１２近傍の空気圧が周囲空気よりも小さい領域であってもよい。真空領域１２２２は、吸引口１２１２近傍の空気、おそらくは同伴している排出物を吸引口１２１２に流入させる。
【０２２０】
いくつかの実施形態では、吸引装置１２１０は、ハンドヘルド操作用に構成してもよい。この構成では、吸引装置１２１０は、操作されながら一以上の手によって保持できるようにサイズ決めされ、形作ることができる。したがって、永久的に取り付けられた（又は、可搬であるが、大きい）吸引ポンプではなく、吸引装置１２１０は、排出物を吸引口１２１２に吸引するように作動する比較的小さな装置であってもよく、排出ポート１２１３から排出物を押し出すことができる。吸引装置１２１０は、ハンドヘルド操作用として構成してもよいが、別の手順（例えば、腹腔鏡検査、ロボット等）とともに使用してもよいことは理解するべきである。
【０２２１】
正圧供給１２２１を受け、加圧流出物１２２３を生成することによって、正圧入口１２１１および排出ポート１２１３に接続された管及び／又はパイプは、薄壁であり、圧潰可能であることを理解するべきである。正圧入口１２１１及び排出ポート１２１３に接続された管及び／又はパイプは、正圧供給１２２１の正圧および加圧流出物１２２３が圧潰可能な配管を「押し開く」か「膨張させる」ことにより、圧潰可能である。従って、供給される真空ライン又は真空源（例えば、真空ポンプ及び／又は配管壁ポート）に依存する「負圧」システムと共に使用するものに比べ、より軽量で、及び／又はより安価な配管を吸引装置１２１０と共に使用できる。
【０２２２】
いくつかの実施形態では、流体流乗算器１２１５は、第１の端部に吸引口１２１２を有し、第２の端部で排出ポート１２１３を備えた略円筒形空洞を規定する構造を含んでいてもよい。円筒形空洞は、空洞の内壁によって規定される。さらに、構造は、正圧供給１２２１が環状の開口部から流出できるように構成され噴出開口部を規定する吸引口１２１２近くの内壁に環状の開口部を有し、真空領域１２２２が吸引口１２１２で生成され、積層された流れが排出ポート１２１３で生成されるようにしてもよい。環状の開口部は、正圧供給１２２１が排出ポート１２１３近くの空洞の内壁に対して角度を付けて空洞に入るように構成され、空洞は、環状の開口部が空洞と連通する、より大きな直径となるまで拡開されるように構成してもよい。環状の開口部はまた、加圧ガスが、第２の端部に向かう空洞の内壁に対して角度（例えば、０°〜９０°）を付けて空洞内に入るように構成される。いくつかの実施形態では、より鋭角（例えば、３０°〜５０°）が望ましい場合がある。
【０２２３】
環状の開口部などの間隙空間の寸法は、周囲空気と真空領域１２２２との間の圧力差を制御するために調節可能であってもよい。環状の開口部は、空洞に入る正圧供給１２２１が環状の開口部を規定する構造体の部分の湾曲面に付着して、真空領域１２２２を形成するように構成され、これにより、急増した流れの全体的な質量流量を増加させるように構成してもよい。さらに、流体流乗算器１２１５は、環状の開口部の寸法を調節して圧力差を制御するために回転可能な構造を含んでいてもよい。環状の開口部を調節することにより、オペレータ又はユーザは、流体流乗算器１２１５によって供給される液体吸引に対するガス吸引の比率を制御することができる。
【０２２４】
図１３は、逆流防止１３００を備えた正圧作動吸引装置を示すブロック図である。逆流防止１３００を備えた正圧作動吸引装置は、正圧作動吸引装置１２００の一例であるが、逆流防止１３００を備えた正圧作動吸引装置は逆流防止弁１３１６を備えている。逆流防止１３００を備えた正圧作動吸引装置は、吸引装置１３１０、正圧入口１３１１、吸引口１３１２、排出ポート１３１３、流体流乗算器１３１５、及び逆流防止弁１３１６を備えている。
【０２２５】
作動時、吸引装置１３１０は正圧入口１３１１で正圧供給１３２１を受け、正圧供給１３２１を流体流乗算器１３１５に導くことによって吸引口１３１２付近に真空領域１３２２を生成する。真空領域１３２２は、周囲の気圧よりも圧力が低い。周囲の気圧は、真空領域１３２２の圧力を克服して、吸引装置１３１０内に吸引力を生成する。真空領域１３２２は、排出物（例えば、液体、ガス、固形物）を、吸引口１３１２から吸引装置１３１０に引き込む。一般的な動作では、吸引装置１３１０に引き込まれた排出物は、回収のために排出ポート１３１３から流出する流体流乗算器１３１５によって推進される。
【０２２６】
しかしながら、排出ポート１３１３（又は、加圧流出物１３２３を運ぶために接続されたチューブ）は、詰まったり、閉塞したりすることがある。この場合、障害物は、加圧流出物１３２３の全て又は大部分が排出ポート１３１３から流出するのを防止することができる。逆流防止弁１３１６がない場合、加圧流出物１３２３が排出ポート１３１３から流出することができなければ、加圧流出物１３２３は、代わりに吸引口１３１２から排出される。加圧流出物１３２３（及び、特に正圧供給１３２１）の吐出は望ましくないので、吸引口１３１２（例えば患者）の近傍の個所に損傷又は他の問題を引き起こす可能性がある。しかしながら、逆流防止弁１３１６は、吸引口１３１２から流出しないよう、少なくとも正圧供給１３２１の流れを停止するように構成されている。
【０２２７】
逆流防止弁１３１６は、吸引装置１３１０の動作を停止させるように構成されている。逆流防止弁１３１６は、真空領域１３２２を形成する吸引装置１３１０の一以上の構成要素への正圧供給１３２１の供給を遮断することによって、吸引装置１３１０の動作を停止させることができる。逆流防止弁１３１６は、排出物のいかなる「逆」流も吸引口１３１２を介して流出しないように防止することによって、吸引装置１３１０の動作を停止させることができる。例えば、逆流防止弁１３１６は、吸引口１３１２に沿って配置してもよい。逆流防止弁１３１６は、排出物が吸引口１３１２から流出するように流れ始めるときに起動させることができる。逆流防止弁１３１６は、一旦起動すると、起動されたままとなり、正圧供給１３２１が排除される（即ち、オフとなる）まで、又は妨害物が解消されるまで、吸引口１３１２からの流出を防止するように起動されるように構成される。
【０２２８】
図１４は、逆流警報１４００を備えた正圧作動吸引装置を示すブロック図である。逆流警報１４００を備えた正圧作動吸引装置は、正圧作動吸引装置１２００の一例であるが、逆流警報１４００を備えた正圧作動吸引装置は、警報１４１７を備える。逆流警報１０００を備えた正圧作動吸引装置は、吸引装置１４１０、正圧入口１４１１、吸引口１４１２、排出ポート１４１３、流体流乗算器１４１５及び警報１４１７を含む。
【０２２９】
作動時、吸引装置１４１０は正圧供給１４２１を受けて吸引口１４１２に真空領域１４２２を生成する。真空領域１４２２は、逆流警報１４００を備えた正圧作動吸引装置内に排出物を同伴し、受け取る。吸引ポート１４１２は、吸引装置１４１０に入る外科的副産物（例えば、煙、組織、ガス、液体、有害化学物質等）を同伴し、受け入れるように構成されている。一般的な動作では、吸引装置１４１０に引き込まれた外科的副産物は、流体流乗算器１４１５によって加圧流出物１４２３として排出ポート１４１３から押し出される。排出ポート１４１３は、正圧供給１４２１と同伴される外科的副産物を含む加圧流出物１４２３を出力するように構成されている。加圧流出物１４２３は、管、パイプ等に出力され、回収、分離及び／又は処分してもよい。
【０２３０】
しかしながら、排出ポート１４１３（又は、加圧流出物１４２３を運ぶために接続された管）は、詰まったり、閉塞したりすることがある。この場合、障害物は、加圧流出物１４２３の全て又は大部分が排出ポート１４１３から流出するのを防止することができる。加圧流出物１４２３が排出ポート１４１３から流出することができない場合には、代わりに、加圧流出物１４２３は、吸引口１４１２から排出されることができる。
【０２３１】
警報１４１７は、吸引装置１４１０のオペレータ又はユーザに、妨害物の存在を知らせるように構成されている。妨害物に対する警報が出ると、ユーザは次のいずれか一以上の操作を実行できる。（１）吸引装置１４１０の使用を停止し、（２）妨害物を除去して正常動作を回復させ、（３）正圧供給１４２１の供給を停止させ、吸引装置１４１０を停止させる。
【０２３２】
警報１４１７は、可聴警報（例えば、笛やその他の警報型のノイズ）を生成することができる。警報１４１７は、可視警報（例えば、フラグやその他の可視インジケータ）を生成することができる。警報１４１７は、触覚警報（例えば、振動）を生成することができ、あるいはその他の種類の警報を発生させて、ユーザに妨害物が存在することを知らせることができる。警報１４１７は、警報を生成するために機械的又は電気的手段を使用することができる。警報を生成するために使用可能な機械的手段の例を挙げる。警報１４１７は、正圧供給１４２１を使用して、笛式装置を使用する可聴警報を生成することができ、フラグ又は他の可視インジケータを物理的に移動させることによって可視警報を生成することができ、あるいは質量を物理的に動かすことによって触覚警報を発生することができる。同様に、変換器、質量空気流センサ等を含む種々の電子部品を警報１４１７に使用し、障害物または逆流及び信号回路を検出して警報１４１７を起動することができる。本明細書に記載される様々なタイプの警報は、個別に又は組み合わせて使用することができる。
【０２３３】
図１５は、安全機能１５００を備えた正圧作動吸引装置を示すブロック図である。安全機能１１００を備えた正圧作動吸引装置は、正圧作動吸引装置１２００、逆流防止１３００を備えた正圧作動吸引装置、及び逆流警報１４００を備えた正圧作動吸引装置の一例であるが、安全機能１５００を備えた正圧作動吸引装置は、代替構成及び作動方法を含んでいてもよい。
【０２３４】
安全機能１５００を備えた正圧作動吸引装置は、吸引装置１５１０、正圧入口１５１１、吸引口１５１２、排出ポート１５１３、流体流乗算器１５１５、逆流防止弁１５１６及び警報１５１７を含む。
【０２３５】
作動時、吸引装置１５１０は正圧入口１５１１で正圧供給１５２１を受け、正圧供給１５２１を流体流乗算器１５１５に導くことによって吸引口１５１２付近に真空領域１５２２を生成する。真空領域１５２２は、周囲の気圧よりも圧力が低い。周囲の気圧は、真空領域１５２２の圧力を克服して、吸引装置１５１０内に吸引力を生成する。真空領域１５２２は、吸引口１５１２を介して、排出物（例えば、液体、ガス及び固形物）を吸引装置１５１０に引き込む。一般的な動作では、吸引装置１５１０に引き込まれた排出物は、流体流乗算器１５１５によって排出ポート１５１３から押し出される。
【０２３６】
流体流乗算器１１１５は、非限定的ではあるが、コアンダ効果、ベンチュリ効果、流体同伴及び流体誘発を含む流体動力学的原理を利用して、吸引装置１５１０を介して流出物を増幅する。排出ポート１５１３は、収集された排出物の加圧流出物１５２３と、吸引口１５１２を介して受け取られたガスとを出力する。
加圧流出物１５２３は、管、パイプ等に出力され、回収、分離及び／又は処分してもよい。
【０２３７】
しかしながら、排出ポート１５１３（又は、加圧流出物１５２３を運ぶために接続された管）は、詰まったり、閉塞したりすることがある。この場合、障害物は、加圧流出物１５２３の全て又は大部分が排出ポート１５１３から流出するのを防止することができる。加圧流出物１５２３が排出ポート１５１３から流出することができない場合には、代わりに、加圧流出物１５２３は、吸引口１５１２から排出されることができる。
【０２３８】
逆流防止弁１５１６は、真空領域１５２２を形成する吸引装置１５１０の一以上の構成要素への正圧供給１５２１の供給を遮断することによって、吸引装置１５１０の動作を停止させることができる。逆流防止弁１５１６は、排出物のいかなる「逆」流も吸引口１５１２を介して流出することを防止することによって、吸引装置１５１０の動作を停止させることができる。例えば、逆流防止弁１５１６は、吸引口１５１２に沿って配置してもよい。逆流防止弁１５１６は、排出物が吸引口１５１２から流出するように流れ始めるときに起動させることができる。逆流防止弁１５１６は、一旦起動すると、起動されたままとなり、正圧供給１５２１が排除される（即ち、オフとなる）まで、又は妨害物が除去されるまで、吸引口１５１２からの流出を防止するように作動されるように構成される。
【０２３９】
警報１５１７は、吸引装置１５１０のユーザに対して、妨害物の存在を警告するように構成されている。妨害物に対する警報が出ると、ユーザは次のいずれか一以上の操作を実行できる。（１）吸引装置１５１０の使用を停止し、（２）妨害物を除去して正常動作を回復させ、（３）正圧供給１５２１の供給を停止させ、吸引装置１５１０を停止させる。
【０２４０】
逆流防止弁１５１６は、逆流防止弁１５１６の起動に呼応して警報１５１７を起動させるために、警報１５１７に動作可能に連結されていてもよい。このようにして、妨害物に呼応して、吸引装置１５１０は、吸引口１５１２からの加圧流出物１５２３の逆流を停止（すなわち防止）するとともに、ユーザに妨害物の警報を出す。
【０２４１】
警報１５１７は、可聴警報（例えば、笛又は他の警報タイプのノイズ）、可視警報（例えば、フラグやその他の可視インジケータ）、触覚警報（例えば、振動）、又はその他の何らかのタイプの警報を利用して、ユーザに妨害物の存在を知らせるようにすることができる。警報１５１７は、警報を生成するために機械的又は電気的手段を使用することができる。本明細書に記載される様々なタイプの警報は、個別に又は組み合わせて使用することができる。
【０２４２】
図１６は、安全機能１６００を備えた濾過吸引装置を示すブロック図である。安全機能１６００を備えた正圧作動吸引装置は、正圧作動吸引装置１２００、逆流防止１３００を備えた正圧作動吸引装置、逆流警報１４００を備えた正圧作動吸引装置、及び安全機能１５００を備えた正圧作動吸引装置であるが、安全機能１６００を備えた濾過吸引装置は、フィルタ１６３０及びキャニスタ１６６０を含む。安全機能１６００を備えた濾過吸引装置は、吸引システム１６１０、正圧入力ポート１６１１、真空ポート１６１２、正圧排出ポート１６１３、流体加速器１６１５、逆流弁１６１６、安全警報１６１７、フィルタ１６３０、およびキャニスタ１６６０を含む。
【０２４３】
キャニスタ１６６０は、回収、分離、及び／又は廃棄のために正圧排出ポート１６１３から出力される廃棄物を受け取るように構成されている。いくつかの実施形態では、キャニスタ１６６０は、真空源に接続された吸引キャニスタであってもよい。いくつかの実施形態では、キャニスタ１６６０は、フィルタを含んでいてもよい。キャニスタ１６６０は、プラスチック、ガラス、金属あるいは所望の特性を備えた他の材料から製造してもよい。いくつかの望ましい特性は、コスト、滅菌できるということ、製造方法、用途あるいはその他の測定基準を含んでいてもよい。
【０２４４】
作動中、吸引システム１６１０は正圧入力ポート１６１１で圧力供給１６２１を受け、圧力供給１６２１を流体加速器１６１５に導くことによって、真空ポート１６１２に吸引領域１６２２を生成する。吸引領域１６２２は、周囲の気圧よりも圧力が低い。周囲の気圧は、吸引領域１６２２内の圧力を克服し、吸引システム１６１０内に吸引力を生成する。吸引領域１６２２は、真空ポート１６１２を介して、排出物（例えば、液体、ガス及び固形物）を吸引システム１６１０に引き込む。一般的な動作では、吸引システム１６１０に引き込まれた排出物は、フィルタ１６３０を通して流体加速器１６１５によって推進され、濾液は、正圧排出ポート１６１３に向けられる。正圧排出ポート１６１３は、濾液をキャニスタ１６６０に導く。
【０２４５】
流体加速器１６１５は、フィルタ１６３０に結合するように構成される。流体加速器１６１５は、圧力供給１６２１を使用して、フィルタ１６３０を通して流出物を押し出す。フィルタ１６３０は、排出物を捕獲し、濾液を正圧排出ポート１６１２に通過させるように構成される。正圧出力１６１３は、キャニスタ１６６０に結合されるように構成される。正圧出力１６１３は、吸引システム１６１０からキャニスタ１６６０へ濾液を供給する。いくつかの実施形態では、キャニスタ１６６０は、真空供給に接続してもよい。
【０２４６】
しかし、正圧排出ポート１６１３、フィルタ１６３０又はキャニスタ１６６０は、詰まったり、閉塞したりする可能性がある。これが起こると、障害物は、流出物の全て又は大部分が正圧排出ポート１６１３から流出するのを防止することができる。流出物が正圧排出ポート１６１３から流出することができない場合、代わりに流出物は真空ポート１６１２から排出される。
【０２４７】
逆流弁１６１６は、吸引領域１６２２が形成される吸引システム１６１０の一以上の構成要素への圧力供給１６２１の供給を遮断することによって、吸引システム１６１０の動作を停止させることができる。逆流弁１６１６は、排出物のいかなる「逆」流れも真空ポート１６１２を介して流出することを防止することによって、吸引システム１６１０の動作を停止させることができる。例えば、逆流弁１６１６は、真空ポート１６１２に沿って配置してもよい。逆流弁１６１６は、排出物が流れを真空ポート１６１２から流出させるように流れ始めるときに起動させることができる。逆流弁１６１６は、一旦起動すると、起動されたままとなり、圧力供給１６２１が除去される（すなわち、オフとなる）か、又は妨害物が除去されるまで、真空ポート１６１２からの流出を防ぐように構成してもよい。
【０２４８】
安全警報１６１７は、吸引システム１６１０のユーザに対して、妨害物の存在を警告するように構成されている。妨害物に対する警報が出ると、ユーザは次のいずれか一以上の操作を実行できる。（１）吸引システム１６１０の使用を中止し、（２）妨害物を除去して正常動作を回復させ、（３）圧力供給１６２１の供給を停止させて、吸引システム１６１０を停止させる。
【０２４９】
逆流弁１６１６の起動に呼応して安全警報１６１７を起動させるために、安全警報１６１７は、逆流弁１６１６に動作可能に連結されていてもよい。このようにして、妨害物に呼応して、吸引システム１６１０は、真空ポート１６１２から流出した流出物の逆流を停止（すなわち防止）するとともに、ユーザに妨害物の警報を出す。
【０２５０】
図１７は、補償濾過吸引装置１７００を示す。補償濾過吸引装置１７００は、正圧作動吸引装置１２００、逆流防止１３００を備えた正圧作動吸引装置、逆流警報１４００を備えた正圧作動吸引装置、安全機能１５００を備えた正圧作動吸引装置、及び安全機能１６００を備えた濾過吸引装置の一例であるが、補償濾過吸引装置１７００は、流量乗算器１７３５を備えている。補償濾過吸引装置１７００は、吸引力発生器１７１０、正圧入力ポート１７１１、取込口１７１２、排出出口１７１３、流量乗算器１７１５、チェック弁１７１６、逆流警報１７１７、フィルタ１７３０、及び流量乗算器１７３５を含む。流量乗算器１７３５は、フィルタ１７３０と流量乗算器１７３５との間に低圧領域を形成することによって、フィルタ１７３０を通して流れ抵抗を補償するように構成される。
【０２５１】
作動時、吸引力発生器１７１０は正圧入力ポート１７１１、１７１４、に正圧ガス１７２１を受け、正圧ガス１７２１はそれぞれ流量乗算器１７１５、１７３５を流れるように導かれる。流量乗算器１７１５、１７３５は、正圧ガス１７２１から流量乗算器１７１５、１７３５よりも遠位の低圧領域を生成するように構成される。結合された低圧領域は、取込口１７１２近傍の低圧帯１７２２を生成する。低圧帯１７２２は、周囲の気圧よりも圧力が低い。周囲の気圧は、低圧帯１７２２の圧力を克服して、吸引力発生器１７１０内に吸引力を生成する。低圧帯１７２２は、取込口１７１２を介して、排出物（例えば、液体、ガス及び固形物）を吸引力発生器１７１０に引き込む。一般的な動作では、吸引力発生器１７１０に引き込まれた排出物は、フィルタ１７３０を通して流量乗算器１７１５、１７３５によって推進され、排出出口１７１３から排出される。
【０２５２】
流量乗算器１７１５、１７３５は、それぞれ非限定的ではあるが、コアンダ効果、ベンチュリ効果、流体同伴及び流体誘発を含む吸引力発生器１７１０を介して流出物を生成及び加速する流体動力学的原理を利用することができる。コアンダ効果は、フィルタ１７３０の両側にある流量乗算器１７１５、１７３５によって使用してもよい。図１７は流量乗算器１７１５及び１７３５のみを図示しているが、流量乗算器１７１５及び１７３５に類似した複数の流量乗算器は、フィルタ１７３０の前後で直列又は並列操作で組み合わせてもよいことが理解されるべきである。
【０２５３】
しかしながら、排出出口１７１３及び／又はフィルタ１７３０（または加圧濾液１７２７を運ぶために接続された管）は、詰まったり、閉塞したりすることがある。これが起こると、障害物は、流出物の全て又は大部分が排出出口１７１３から流出するのを防止することができる。流出物が排出出口１７１３から流出することができない場合、流出物は代わりに取込口１７１２から排出される。正圧ガス１７２１の流れは、障害物が排出出口１７１３を遮断した場合に取込口１７１２から流出するように逆流させることができ、それによって、他の場所ではなく、取込口１７１２から流出する正圧ガス１７２１を供給することができる。
【０２５４】
チェック弁１７１６は、低圧帯１７２２が形成される吸引力発生器１７１０の一以上の構成要素に対して正圧ガス１７２１の供給を遮断することによって、吸引力発生器１７１０の動作を停止させることができる。チェック弁１７１６は、排出物の「逆」の流れが取込口１７１２を介して流出することを防止することによって、吸引力発生器１７１０の動作を停止させることができる。例えば、チェック弁１７１６は、取込口１７１２に沿って配置してもよい。チェック弁１７１６は、排出物を取込口１７１２から流出させるように排出物が流れ始めるときに作動させることができる。チェック弁１７１６は、一旦起動すると、起動されたままとなり、正圧ガス１７２１が除去される（すなわち、オフ）か、又は妨害物が除去されるまで、取込口１７１２からの流出を防ぐように構成してもよい。
【０２５５】
逆流警報１７１７は、吸引力発生器１７１０のユーザに対して、妨害物の存在を警告するように構成されている。逆流警報１７１７は、チェック弁１７１６に動作可能に連結されて、チェック弁１７１６の起動に呼応して逆流警報１７１７を起動させることが可能である。このようにして、妨害物に呼応して、吸引力発生器１７１０は、取込口１７１２から流出した流出物の逆流を停止（すなわち防止）するとともに、ユーザに妨害物の警報を出す。
【０２５６】
フィルタ１７３０は、機械的、生物学的、化学的、又はその他の種類のフィルタを含み、これらの任意の組み合わせを含んでいてもよい。フィルタ１７３０は、少なくとも１つのフィルタ吸入ポートと、少なくとも１つのフィルタ出力ポートとを含む。少なくとも１つのフィルタ吸入ポートは、外科的副産物及び正圧ガス１７２１がフィルタ１７３０を通過するように、流量乗算器１７１５に結合される。少なくとも１つのフィルタ出力ポートは、流量乗算器１７３５に結合される。
【０２５７】
吸引力発生器１７１０は、流量乗算器１７３５を含む。流量乗算器１７３５は、フィルタ１７３０の入力ポートと流体連通する。作動中、流量乗算器１７３５は正圧入力ポート１７１４において正圧ガス１７２１を受け取り、フィルタ１７３０と流量乗算器１７３５との間に低圧帯を生成する。流量乗算器１７３５は、フィルタ１７３０の流れ抵抗に起因する流れ及び／又は圧力（吸引力）損失を補償するように構成してもよい。例えば、流量乗算器１７３５は、フィルタ１７３０の流れ抵抗の部分（例えば、１／４、１／２等）を補償することができる。流量乗算器は、より多くのフィルタ１７３０の流れ抵抗（例えば、１．２５倍、１．５倍又は２倍）補償するように構成してもよい。流量乗算器１７３５は、排出出口１７１３に結合される。流量乗算器１７３５は、フィルタ１７３０から排出される濾液を排出出口１７１３に排出するように構成されている。
【０２５８】
図１８は、補償フィルタ吸引装置を作動させる方法を示すブロック図である。図１８に示されるステップは、補償濾過吸引装置１７００の一以上の要素によって実行してもよい。加圧ガス流を、第１の入力ポートと第２の入力ポートとで受け取る（１８０２）。例えば、正圧入力ポート１７１１は、正圧ガス１７２１を受け取り、それを流量乗算器１７１５に供給するように構成されている。正圧入力ポート１７１４は、正圧ガス１７２１を受け取り、それを流量乗算器１７３５に供給するように構成されている。吸引ポートの近傍には低圧領域が形成される（１８０４）。例えば、吸引力発生器１７１０は、流量乗算器１７１５、１７３５を介して正圧ガス１７２１を導くことによって取込口１７１２近傍の低圧帯１７２２を生成するように構成される。吸引装置には、排出物の流れが引き込まれる（１８０６）。例えば、低圧帯１７２２は、周囲の気圧よりも小さい。これにより、排出物の流れが取込口１７１２に入るようになる。取込口１７１２は、排出物の流れを受け取り、吸引力発生器１７１０を介して排出物の流れを導くように構成される。加圧ガス流と排出物の流れとを含む複合流は、フィルタを通過する（１８０８）。例えば、流量乗算器１７１５は、フィルタ１７３０を介して、複合流（正圧ガス１７２１及び取込口１７１２で受け取られる排出物の流れを含むことができる）を導くように構成される。複合流に含まれる粒子はフィルタに捕獲され、濾液はフィルタを通過して第２の流量乗算器に送られる（１８１０）。例えば、フィルタ１７３０は、流量乗算器１７１５と流量乗算器１７３５との間に配置する。フィルタ１７３０は、粒子を捕獲し、濾液を流量乗算器１７３５に導くように構成される。フィルタと流量乗算器との間に低圧領域が形成される（１８１２）。例えば、流量乗算器１７３５は、フィルタ１７３０と排出出口１７１３との間に配置する。流量乗算器１７３５は、フィルタ１７３０と流量乗算器１７３５との間に低圧領域を生成するように構成される。濾液は、流量乗算器を通過して排気ポートから排出される（１８１４）。流量乗算器１７３５は、フィルタ１７３０から濾液を受け取り、排気ポート１７１３を通して濾液を排出するように構成されている。
【０２５９】
図１９は、調節可能な圧力ギャップ１９００を備えた吸引装置を示すブロック図である。調節可能な圧力ギャップを備えた吸引装置は、吸引システム１００の一例であり、逆流防止３００を備えた吸引システム、逆流警報４００を備えた吸引システム、安全機能５００を備えた吸引システム、濾過吸引システム１０００、正圧作動吸引装置１２００、逆流防止１３００を備えた正圧作動吸引装置、逆流警報１４００を備えた正圧作動吸引装置、安全機能１５００を備えた正圧作動吸引装置及び安全機能１６００を備えた濾過吸引装置を含むが、調節圧力ギャップ１９００を備えた吸引装置は、調節可能な圧力ギャップ１９３１及び運動変換装置１９４２を含む。調節可能な圧力ギャップ１９００を備えた吸引装置は、吸引装置１９１０、正圧入力ポート１９１１、入口１９１２、出口１９１３、流体加速器１９１５、弁１９１６、警報１９１７、フィルタ１９３０、調節可能な圧力ギャップ１９３１および運動変換装置１９４２を含む。
【０２６０】
正圧入力ポート１９１１は、正圧１９２１を受け入れるように構成されている。
正圧入力ポートは、正の圧力源に結合するための手段を含む。作動中、正圧入力ポート１９１１は、正圧１９２１を調節可能な圧力ギャップ１９３１に導く。
【０２６１】
調節可能な圧力ギャップ１９３１は、正圧１９２１を流体加速器１９１５に導く環状の開口部を含む。調節可能な圧力ギャップ１９３１の寸法は、ユーザ入力を受け取る運動変換装置１９４２に呼応して調節してもよい。低圧領域１９２２と周囲の気圧との間の圧力差は、調節可能な圧力ギャップ１９３１によって制御してもよい。例えば、調節可能な圧力ギャップ１９３１の寸法を増加させることによって、低圧領域１９２２と周囲の気圧との間の圧力差を増加させることができる。
調節可能な圧力ギャップ１９３１の寸法を減少させることにより、低圧領域１９２２と周囲の気圧との間の圧力差を減少させることができる。ユーザは、ユーザが吸引したい排出物の種類に応じて、低圧領域１９２２と周囲の気圧との間の圧力差を変化させるよう選択することができる。例えば、ユーザは、低圧領域１９２２と周囲の気圧との間の圧力差を調節して、液体よりも多くの煙を吸引することができる。あるいは、ユーザは、液体を吸引するように低圧領域１９２２と周囲の気圧との間の圧力差を、調節することができる。
【０２６２】
運動変換装置１９４２は、ユーザ入力を調節可能な圧力ギャップ１９３１の調節に変換するように構成される。いくつかの実施形態では、運動変換装置１９４２は、ユーザ入力から大きな動きを、調節可能な圧力ギャップ１９３１の寸法を調節するためのより小さな動きに変換するように構成される。いくつかの実施形態では、運動変換装置１９４２は、回転可能な要素を含むように構成されており、回転可能な要素は、回転するユーザ入力を、調節可能な圧力ギャップ１９３１の寸法の線形調節に変換する。いくつかの実施形態では、運動変換部は、調節可能な圧力ギャップ１９３１の寸法を調節できる摺動部材を含んでいてもよい。いくつかの実施形態では、運動変換部１９３１は、より大きなユーザ入力動作をより小さなユーザ入力動作に変換して、調節可能な圧力ギャップ１９３１の寸法を調節できるレバーを含んでいてもよい。
【０２６３】
図２０は調節可能な圧力ギャップを備えた吸引装置を作動させる方法を示す図である。図２０に示すステップは、調節可能な圧力ギャップ１９００を備えた吸引装置の一種類以上の要素によって実行してもよい。加圧ガス流は、入力ポートで受け入れる（２００２）。例えば、調節可能な圧力ギャップ１９００備えた吸引装置は、正圧１９２１を受け取り、それを調節可能な圧力ギャップ１９３１に供給するように構成された入力ポート１９１１を含む。加圧ガス流は、調節可能な圧力ギャップに供給される（２００４）。例えば、正圧入力ポート１９１１は、調節可能な圧力ギャップ１９３１に結合される。正圧入力ポート１９１１は、調節可能な圧力ギャップ１９３１に正圧１９２１を供給するように構成されている。ユーザ入力は、調節可能な圧力ギャップの調節に変換される（２００６）。例えば、運動変換装置１９４２は、ユーザ入力を受信し、ユーザ入力を調節可能な圧力ギャップ１９３１の調節に変換するように構成されている。吸引ポートの近傍には低圧領域が形成されている（２００８）。例えば、流体加速器１９１５は、正圧１９２１から入力１０１２近傍の低圧領域１９２２を形成するように構成されている。調節可能な圧力ギャップ１９３１は、低圧領域１９２２と周囲の気圧との間の圧力差を変化させるように調節できるように構成される。吸引装置には、排出物の流れが引き込まれる（２０１０）。例えば、流体加速器１９１５は、周囲の気圧より低い低圧領域１９２２を生成する。これによって、排出物の流れが吸引装置１９１０に引き込まれることになる。加圧ガス流と、吸引ポートで受け取られた排出物の流れとを含む複合流は、フィルタを通過する（２０１２）。例えば、流体加速器１９１５は、フィルタ１９３０に結合される。流体加速器１９１５は、フィルタ１９３０を通して、複合流（正圧１９２１及び入口１９１２で受け取られる排出物の流れを含むことができる）を通過させるように構成されている。
複合流に含まれる粒子はフィルタ内に捕獲され、濾液はフィルタを通過して出力ポートに送られる（２０１４）。例えば、フィルタ１９３０は、固形物を捕獲し、加圧された濾液１９２７を出口１９１３に通過させるように構成されている。
【０２６４】
図２１Ａは、逆流防止弁２１００を備えた吸引装置を示すブロック図である。逆流防止弁２１００を備えた吸引装置は、吸引装置１００、逆流防止３００を備えた吸引システム、正圧作動吸引装置１２００、逆流防止１３００を備えた正圧作動吸引装置、及び調節可能な圧力ギャップ１９００備えた吸引装置の一例であるが、逆流防止弁２１００を備えた吸引装置は、代替的な構成と作動方法とを備えていてもよい。図２１Ａに示すように、逆流防止弁２１００を備えた吸引装置は、加圧ガスポート（例えば、正圧取込口）２１１１、吸引組立体２１１２、ノズル２１１４、流体加速器２１１５、及び逆流防止弁２１１６を含む。
【０２６５】
逆流防止弁２１００を備えた吸引装置は、コアンダ効果を備えた流体加速器２１１５を使用してノズル２１１４付近に吸引力を生成する。吸引力は、主に、外部吸引ポンプではなく（装置は、吸引ポンプとともに使用してもよいが）、流体加速器２１１５に供給される（通常は周囲の圧力より高く加圧される）正圧供給２１２１の流れからの逆流防止弁２１００を備えた吸引装置によって生成する。逆流防止２１００を備えた吸引装置は、煙、組織、体液などの内科的又は外科的副産物を除去するために使用してもよい。逆流防止弁２１００を備えた吸引装置は、逆流防止弁２１１６を備えており、この逆流防止弁２１１６は、「逆」方向からの加圧ガスが流れ、誤った方向にノズル２１１４から流出するのを防止する。すなわち、逆流防止弁２１００を備えた吸引装置は、加圧ガスがノズル２１１４から流出するのを防止するように構成されており、これにより、患者の問題や患者の損傷を防止することができる。
【０２６６】
逆流防止弁２１００を備えた吸引装置は、加圧ガスポート２１１１を備えている。加圧ガスポート２１１１は、正圧供給２１２１を受け、それを導管２１２９（環状の開口部など）に供給するように構成されている。導管２１２９の寸法は、流量調節器２１２０を介して調節可能であり、ノズル２１１４の付近に発生する低圧領域と周囲の気圧との差を制御することができる。配管を使用して、加圧ガスポート２１１１に正圧供給２１２１を供給してもよい。いくつかの実施形態では、加圧ガスポート２１１１は、配管を加圧ガスポート２１１１に結合するための取り付け具を含んでいてもよい。使用することができる取り付け具の種類には、返し付き、クイック切断、圧縮取り付け具などがある。
【０２６７】
逆流防止弁２１００を備えた吸引装置は、吸引組立体２１１２を備えている。吸引組立体２１１２は、逆流防止弁２１００を備えた吸引装置の遠位端に向かって配置されている。吸引組立体２１１２は、逆流防止弁２１１６を収容するように構成されている。吸引組立体は、逆流防止弁が起動されたときに、少なくとも正圧供給２１２１の流れを排気ポート２１８１に導くように構成された排気ポート２１８１を含む。
【０２６８】
逆流防止弁２１００を備えた吸引装置は、ノズル２１１４を備えている。図２１Ａは、狭い遠位端と広い近位端と備えた円錐形の空洞を備えたノズル２１１４の実施形態を例示する。狭い遠位端は、圧入摩擦取り付け具、突起、ねじ、ルアー取り付け具、又は付属品（例えば、配管、針等）をノズル２１１４に取り付けるためのその他の手段を含むように構成してもよい。ノズル２１１４は、吸引組立体２１１２に結合されるように構成された近位端を含む。ノズル２１１４は、排出物の流れ／吸引流２１２４を受け取り、それを吸引組立体２１１２に供給するように構成されている。ノズル２１１４は、置換可能に構成される。特定の用途に対して構成されたノズル２１１４の異なる実施形態を、逆流防止弁２１００を備えた吸引装置と共に使用してもよい。いくつかの実施形態では、ノズル２１１４は、ノズル２１１４の壁に放射状に配列された開口部を含んでいてもよい。開口部は、ノズル２１１４近傍で付加的な吸引力を提供する。いくつかの実施形態では、開口部はベンチュリ効果を利用するように構成してもよい。いくつかの実施形態では、開口部は、ユーザ入力に呼応して開閉するように構成してもよい。
【０２６９】
逆流防止弁２１００を備えた吸引装置は、流体加速器２１１５を備えている。流体加速器２１１５は、流体加速器取込口２１１８、流体加速器筐体２１１９、流量制御２１２０、及び導管２１２９を含む。流体加速器２１１５は、正圧供給２１２１からノズル２１１４近傍の低圧領域を生成するように構成される。流体加速器２１１５は、コアンダ効果を利用するように構成してもよい。流体加速器２１１５は、正圧供給２１２１を受けてノズル２１１４付近の第１の低圧領域を生成するように構成されている。流体加速器は、ノズル２１１４で受け取る排出物の流れ／吸引流２１２４を加速するように構成されており、正圧流出物２１２３（正圧供給２１２１及び排出物の流れ／吸引流２１２４を含んでいてもよい）を、加圧廃棄ポート／排出ポート２１１３から放出するように構成されている。ノズル２１１４の付近に発生した低圧領域と周囲の気圧との間の圧力差は、流量制御器２１２０によって調節してもよい。流量コントローラ２１２０は、液体より多くのガスを吸引するように調節してもよい。流量コントローラ２１２０は、液体を吸引するように調節してもよい。
【０２７０】
流体加速器２１１５は、流体加速器取込口２１１８を含む。流体加速器取込口２１１８は、逆流防止弁２１１６と流体加速器２１１５との間に配置される。流体加速器取込口２１１８は、ノズル２１１４で受け入れられた排出物の流れを流体加速器２１１５に供給するように構成されている。流体加速器取込口２１１８は、可変寸法を有する複数の円錐空洞を含む。円錐空洞は、各々が、広い遠位端と、狭い近位端とを含む。いくつかの実施形態では、円錐空洞は、ベンチュリ効果を利用するように構成してもよい。流体加速器取込口２１１８は、流体加速器２１１５を連結するように構成される。流体加速器取込口２１１８は、近位端に配置されたテーパ部を含む幾何学的形状を含んでいてもよい。流体加速器取込口２１１８のテーパ部分は、流れコントローラ２１２０と組み合わせて構成されて、導管２１２９を形成することができる。流体加速器取込口２１１８の近位端に配置されたテーパ部分の幾何学的形状は、流体加速器２１１５の内壁に対して角度を付けて流体加速器２１１５に正圧供給２１２１を供給するように構成してもよい。
【０２７１】
流体加速器２１１５は、流体加速器筐体２１１９を含む。流体加速器筐体２１１９は、逆流防止弁２１００を備えた吸引装置の近位端近傍に配置される。流体加速器筐体２１１９は、加圧ガスポート２１１１と流量制御部２１２０とに結合するように構成されている。流体加速器筐体２１１９は、流量制御部２１２０に結合するように構成されたねじを含んでいてもよい。ねじは、流量制御部２１２０の回転運動を、導管２１２９の寸法を調節する線形運動に変換するように構成してもよい。流体加速器筐体２１１９は、第１の端部に第１の開口部を有し、第２の端部に第２の開口部を備えた略円筒形空洞を含む。円筒形空洞は、流体加速器筐体２１１９の内壁によって規定される。流体加速器筐体２１１９は、第１の端部近傍の内壁に導管２１２９を含む。導管２１２９は、流体加速器２１１５の内壁に対して角度を付けて正圧供給２１２１を供給するように構成してもよい。
【０２７２】
流体加速器２１１５は、流量制御部２１２０を含む。流量制御部は、加圧廃棄ポート／排出ポート２１１３を含む。流量制御部２１２０は、流体加速器筐体２１１９に結合されるように構成される。流量制御部２１２０は、加圧廃棄ポート１９１３を含む。流量制御部２１２０は、流量制御部２１２０の遠位端に配置された拡開要素を含んでいてもよい。拡開要素は、流体加速器取込口２１１８と組み合わせて構成され、流体加速器２１１５の内壁に関して角度を付けて正圧を供給することができる。流量コントローラは、導管２１２９を調節するために回転可能である。導管２１２９は、ノズル２１１４における周囲空気と低圧領域との間の圧力差を制御するために調節可能である。導管２１２９の寸法は、流体加速器２１１５によって供給されるガス吸引力と液体吸引力と固形物吸引力に対する比を制御するために調節可能であってもよい。導管２１２９は、空洞に流入する加圧ガスが導管２１２９を規定する構造部分の湾曲面に結合するように輪郭を形成しており、それによって、加速された流れの全体的な質量流量を増加させる低圧領域が形成される。流量制御部２１２０は、流量制御部２１２０と流体加速器筐体２１１９との間にシールを供給するためのＯリングを含んでいてもよい。
【０２７３】
流量制御部２１２０は、加圧廃棄ポート／排出ポート２１１３を含む。加圧廃棄ポート／排出ポート２１１３は、流量制御部２１２０の遠位端に配置される。加圧廃棄ポート／排出ポート２１１３は、正圧流出物２１２３を廃棄物収納部に導くように構成されている。廃棄物収納部は、正圧流出物を運び去るように構成された収集キャニスタ、廃棄物ドレン、配管又はパイプ配管を含んでいてもよい。いくつかの実施形態では、加圧廃棄ポート／排出ポート２１１３は、配管に連結するための取り付け具を含んでいてもよい。使用することができる取り付け具の種類には、返し付き、クイック切断、圧縮取り付け具などがある。図２１Ａに示される実施形態では、加圧廃棄ポート／排出ポート２１１３は、加圧廃棄ポート／排出ポート２１１３を配管に結合するためのＯリングを含む。
【０２７４】
流体加速器２１１５は導管２１２９を含む。環状の開口部は、流体加速器取込口２１１８と流体加速器の筐体２１１９との間に配置される。導管２１２９は、正圧供給２１２１が導管２１２９を通って流れ、ノズル２１１４の近傍で低圧領域が生成されるように構成された噴出開口部を規定する。導管２１２９は、加圧ガスポート２１１１から正圧供給２１２１を受け、それを流体加速器２１１５に供給するように構成される。流体加速器取込口２１１８の近位端及び流量制御部２１２０の遠位端は、導管２１２９を形成するように構成してもよい。導管２１２９は、正圧供給２１２１が、円筒形空洞の内壁に対して角度（例えば、０°〜９０°）を付けて流体加速器２１１５に入るように構成してもよい。いくつかの実施形態では、より鋭角（例えば、３０°〜５０°）が望ましい場合がある。
【０２７５】
逆流防止弁２１００を備えた吸引装置は、逆流防止弁２１１６を備えている。逆流防止弁２１１６は、逆流防止弁体２１８０と、ダイヤフラム２１８５とを備えている。逆流防止弁２１１６は、逆流防止弁２１００を備えた吸引装置内の気流経路に沿って設ける。正常動作中、逆流防止弁２１１６は、排気ポート２１８１を遮断して、ノズル２１１４の付近に最大の吸引力を与えるように構成されている。逆流防止弁２１１６は、低圧領域を生成する流体加速器２１１５の一以上の構成要素への正圧供給２１２１を遮断することによって、流体加速器２１１５の動作を停止させることができる。逆流防止弁２１１６は、吸引組立体２１１２又はノズル２１１４を介して排出物のいかなる「逆」流をも停止させるように構成されている。逆流防止弁２１１６は、一旦起動すると、起動されたままで、正圧ガス供給がなくなる（すなわち、オフ）か、又は妨害物が除去されるまで、吸引組立体２１１２又はノズル１２１４からの流れが排出できないように構成してもよい。
【０２７６】
逆流防止弁２１１４は、正圧供給２１２１が、逆流防止弁２１００を備えた吸引装置の所望の限界を超えて上昇するのを防ぐために、起動されたときに、少なくとも正圧供給２１２１を排気ポート２１８１に迂回させるように構成してもよい。この実施例では、排気ポート２１８１は、吸引組立体２１１２に一体化されている。逆流防止弁２１００を備えた吸引装置の一部内で障害物又は妨害物が生じた場合、逆流防止弁２１１６は、吸引組立体２１１２内を移動して排気ポート２１８１を開放するように構成される。排気ポート２１８１を開放することにより、正圧ガス２１２１が逆流防止弁２１００を備えた吸引装置から排出できるようになる。
【０２７７】
逆流防止弁２１１６は、ダイヤフラム２１８５を含む。ダイヤフラム２１８５は、可撓性材料から構成される。ダイヤフラム２１８５は、流れに呼応して撓むように構成されている。ダイヤフラム２１８５は、流れの方向に撓むことによって正常動作中に逆流防止弁２１１６を通って第１の方向へ流れることができるように構成される。ダイヤフラム２１８５は、正圧供給２１２１が逆流防止弁体２１８０を介して第２の方向に通過しないよう、防ぐように構成されている。逆流防止弁体２１８０は、ダイヤフラム２１８５の撓みを第２の方向に制限する構造要素を備えている。逆流防止弁２１１６は、逆流防止弁２１００を備えた吸引装置又はその一部が詰まったり、閉塞したりした場合に起動するように構成されている。起動されると、正圧供給２１２１は、撓みが逆流防止弁体２１８０によって制限されるまで、ダイヤフラム２１８５を撓ませる。ダイヤフラム２１８５の撓みが逆流防止弁体２１８０によって制限されると、正圧供給２１２１が、ダイヤフラム２１８５に力を加える。ダイヤフラム２１８５は、正圧供給２１２１からの力を逆流防止弁２１１６に伝達することによって、逆流防止弁体２１８０を吸引組立体２１１２内で摺動させる。逆流防止弁体２１８０が起動すると、少なくとも正圧供給２１２１の流れが吸引組立体２１１２又はノズル２１１４から流出しないように防止される。ダイヤフラム２１８５は、逆流防止弁２１１６が起動したときに正圧供給を排気ポート２１８１に導くように構成してもよい。
【０２７８】
図２１Ｂ１は、装置の中心軸２１２６を示しており、そこから角度２１２８を測定する。吸入ポート２１１７は、流体加速器２１１５の一端に配置され、排出ポート２１１３は、反対側の端部に配置される。低圧チャンバ２１２７は、排出物の流れ／吸引流２１２４が生成される流体加速器２１１５の内部容積部分のことである。
【０２７９】
図２１Ｂ及び２１Ｃは、逆流防止弁２１００を備えた吸引装置の導管２１２９を図示した拡大図である。第１の中空区間２１２２、流体加速器筐体２１１９、及び第２の中空区間２１２５は、導管２１２９を形成するように構成される。第１の中空区間２１２２は、第２の中空区間２１２５の第２の開口部２１３４に隣接することができる第１の開口部２１３３を含んでいてもよい。第１の対向面２１３０は、少なくとも部分的に、第１の開口部２１３３を取り囲むことができる。第２の対向面２１３２は、少なくとも部分的に、第２の開口部２１３４を取り囲むことができる。第１の対向面２１３０は、第２の対向面２１３２に面することができる。第１の対向面２１３０又は第２の対向面２１３２は、面取りされ、拡開され、角度を付けられているか、又はこれらの任意の組み合わせであってもよい。導管２１２９は圧力ギャップ２１３１を含む。圧力ギャップ２１３１は調節可能となるように構成される。圧力ギャップ２１３１の寸法を調節することによって、導管２１２９を介して正圧供給２１２１の流量が調節される。導管２１２９を介して正圧供給２１２１の流量を調節することによって、ノズル２１１４の近傍で発生される低圧領域と周囲の気圧との間の圧力差が調節され、それによって逆流防止２１００を備えた吸引装置の流れを調節することができる。圧力ギャップ２１３１は、流体加速器２１１５によって供給されるガス吸引力と液体吸引と固形物吸引力に対する比を制御するために調節可能であってもよい。流体の流れを調節することにより、ユーザは、逆流防止弁２１００を備えた吸引装置を調節して、所望の比率のガス（例えば、煙）、液体及び固形物、又は３つすべての組み合わせを摂取することができる。導管２１２９は、正圧供給２１２１が流体加速器２１１５の内壁に対して角度（例えば、０°〜９０°）で流体加速器２１１５に入るように構成してもよい。いくつかの実施形態では、より鋭角（例えば、３０°〜５０°）が望ましい場合がある。
【０２８０】
導管２１２９は、部分的に、第１の中空区間２１２２で構成される。第１の中空区間２１２２の近位端及び第２の中空区間２１２５の遠位端は、正圧供給２１２１が導管２１２９を通して流れることを可能にするように構成された噴出開口部を規定する。第１の中空区間２１２２の近位端は、正圧供給２１２１の流れを導くように構成された幾何学的形状を含んでいてもよい。
【０２８１】
導管２１２９は、部分的には、流体加速器筐体２１１９から構成される。流体加速器筐体２１１９は、加圧ガスポート２１１１に結合される。流体加速器筐体は、正圧供給２１２１を受け、導管２１２９に供給するように構成される。流体加速器筐体２１１９は、第２の中空区間２１２５に結合するように構成されたねじを含んでいてもよい。ねじにより、第２の中空区間２１２５を回転させることによって圧力ギャップ２１３１を調節することが可能である。第２の中空区間２１２５は、回転運動を直線運動に変換して、圧力ギャップ２１３１を調節するように構成してもよい。
【０２８２】
導管２１２９は、部分的に、第２の中空区間２１２５で構成されている。第２の中空区間２１２５の遠位端は、流体加速器２１１５の内壁に対して角度を付けて流体加速器に入るよう、正圧供給２１２１を導くように拡開していてもよい。第２の中空区間２１２５は、流体加速器筐体２１１９と嵌合するように構成されたねじを含んでいてもよい。ねじは、第２の中空区間２１２５の回転運動を、圧力ギャップ２１３１を調節する直線運動に変換するように構成してもよい。圧力ギャップ２１３１の調節は、ノズル２１１４の近傍で発生する低圧領域と周囲の気圧との差を調節する。
【０２８３】
図２１Ｂは、導管２１２９を示す図である。図２１Ｂに示すように、圧力ギャップ２１３１を調節することにより、図２１Ｃに示す圧力ギャップ２１３１に対して導管２１２９を通る正圧供給２１２１の流れを増加できるようになる。図２１Ｂに示されるような圧力ギャップ２１３１は、ノズル２１１４の近傍に発生する低圧領域と周囲の気圧との間に大きな差を生じさせるので、逆流防止弁２１００を備えた吸引装置により図２１Ｃに示す圧力ギャップ２１３１よりも多くの流れを生成する。
【０２８４】
導管２１２９は、中心軸２１２６に対して角度２１２８を有する。中心軸２１２６に対する角度２１２８により、流体加速器２１１５に対して角度を付けて加圧ガスポート２１１１から受けた圧力を供給するように構成されている。いくつかの実施形態では、中心軸２１２６に対する角度２１２８は、コアンダ効果を利用して吸引力を生成するように構成してもよい。いくつかの実施形態では、中心軸２１２６に対する角度２１２８は、鋭角（例えば、０°〜９０°）であってもよい。いくつかの実施形態では、中心軸２１２６に対する角度２１２８は、３０°〜６０°の間であってもよい。いくつかの実施形態では、中心軸２１２６に対する角度２１２８は、５５°であってもよい。
【０２８５】
図２１Ｃは、導管２１２９を示す図である。図２１Ｃに示すように、圧力ギャップ２１３１を調節することにより、図２１Ｂに示すように、圧力ギャップ２１３１に対して、導管２１２９を通る正圧供給２１２１の流れを減少できるように調節する。図２１Ｃに示されるような圧力ギャップ２１３１は、ノズル２１１４の近傍に発生する低圧領域と周囲の気圧との間に生じる差が小さいので、逆流防止弁２１００を備えた吸引装置により図２１Ｂに示す圧力ギャップ２１３１よりも少ない流れを生成する。
【０２８６】
図２１Ｄは正常動作中の逆流防止弁２１００を備えた吸引装置の動作を示す図である。逆流防止弁２１１６は、吸引組立体２１１２内で近位及び遠位方向に移動するように構成される。正常動作中、逆流防止弁２１１６は、吸引組立体２１１２内の近位位置まで摺動して、排気ポート２１８１を遮断し、逆流防止弁２１００を備えた吸引装置を通して流れるようにする。妨害物の場合、逆流防止弁２１１６は、吸引組立体２１１２内の遠位位置まで摺動して、吸引組立体２１１２又はノズル２１１４を通る逆流を防止する。遠位位置では、逆流防止弁は排気ポート２１８１を開き、少なくとも正圧供給２１２１を排気する。
【０２８７】
作動時には、加圧ガスポート２１１１に正圧供給２１２１が導入される。加圧ガスポート２１１１は、導管２１２９を介して正圧供給２１２１を流体加速器２１１５に供給する。導管２１２９を通る流れの量は、流量制御器２１２０を調節することによって制御される。逆流防止弁２１００を備えた吸引装置の一部は、特に流体加速器２１１５において、ノズル２１１４付近の低圧領域を形成して、逆流防止弁２１００を備えた吸引装置を通って排出物の流れ／吸引流２１２４を同伴し、誘導する。
【０２８８】
作動中、流体加速器２１１５は、加圧ガスポート２１１１で正圧供給２１２１を受け取り、正圧供給２１２１を流体加速器２１１５に導くことによって、ノズル２１１４に低圧領域を生成する。ノズル２１１４の低圧領域は、周囲の気圧よりも圧力が低い。周囲の気圧は、低圧領域の圧力を克服し、それによってノズル２１１４に吸引力を生じさせる。ノズル２１１４の近傍に発生する低圧領域は、排出物の流れ／吸引流２１２４を吸引組立体２１１２に引き込む。排出物の流れ／吸引流２１２４は、液体、ガス及び固形物を含んでいてもよい。引き出された排出物の流れ／吸引流２１２４は、正圧流出物２１２３として加圧廃棄ポート／排出ポート２１１３内の流体加速器２１１５によって押し出される。正圧流出物２１２３は、正圧供給２１２１と排出物の流れ／吸引流２１２４との複合流を含んでいてもよい。
【０２８９】
図２１Ｅは、障害物の際に逆流防止弁２１００を備えた吸引装置の動作を示す図である。図２ＩＥに示すように、加圧廃棄ポート／排出ポート２１１３は障害物２１５０によって遮断される。障害物２１５０は、正圧供給２１２１の全て又は大部分が加圧廃棄ポート／排出ポート２１１３から流出するのを防止することができる。逆流防止弁２１１６なしでは、正圧供給２１２１（又は正圧供給２１２１と正圧流出２１２３との組み合わせ）が加圧廃棄ポート／排出ポート２１１３から流出することができない場合には、正圧供給２１２１そして恐らく正圧流出物２１２３は、代わりにノズル２１１４から排出させることができる。流出物（及び、特に正圧供給２１２１）の排出は望ましくなく、ノズル２１１４（例えば患者）の近傍のアイテムに損傷又は他の問題を引き起こす可能性がある。しかしながら、逆流防止弁２１１６は、正圧供給２１２１の流れと、正圧流出物２１２３を少なくとも停止させ、ノズル２１１４を通して流出しないように構成されている。
【０２９０】
逆流防止弁２１１６は、ノズル２１１４を介して排出物のいかなる「逆」流も防止することにより逆流防止弁２１００を備えた吸引装置の作動を停止させることができる。逆流防止弁２１１６は、逆流防止弁体２１８０と、排気ポート２１８１と、ダイヤフラム２１８５とを備えている。逆流防止弁２１１６は、流れがノズル２１１４から流出するように排出物が流れ始めるときに起動させることができる。逆流防止弁２１１６は、一旦起動すると、起動されたままとなり、正圧供給２１２１が停止される（すなわち、オフとなる）か、又は障害物２１５０が除去されるまでノズル２１１４から流出することを防止するように構成してもよい。
【０２９１】
図２１Ｅは、障害物が生じた場合の逆流防止部２１００を備えた吸引装置の動作を示す図である。障害物２１５０は、正圧供給２１２１が加圧廃棄ポート／排出ポート２１１３を流出するのを防止する。正圧供給２１２１は障害物２１５０によって加圧廃棄ポート／排出ポート２１１３から出ることができないので、正圧供給２１２１の流れはノズル２１１４への方向を逆転する。正圧供給２１２１により、ダイヤフラム２１８５が逆流防止弁体２１８０に対して撓む。
圧力は、ダイヤフラム２１８５から逆流防止弁２１１６に移動し、逆流防止弁２１１６は、吸引組立体２１１２内で摺動する。起動されると、逆流防止弁２１１６は排気ポート２１８１を開き、排気ポート２１８１を通して正圧供給２１２１を排出できるようになる。
【０２９２】
図２２Ａは、逆流防止弁２２００の分解図を示す図である。逆流防止弁２２２０は逆流防止装置３１６、逆流防止装置５１６、逆流防止装置７１６、逆流防止装置８１６、逆流防止弁１３１６、逆流防止弁１５１６、逆流弁１６１６、チェック弁１７１６、弁１９１６、逆流防止弁２１１６の一例であるが、逆流防止弁２２００は代替的な構成や作動方法を含んでいてもよい。逆流防止弁２２００は、摺動体２２８０とダイヤフラム２２８５とを備えている。
【０２９３】
逆流防止弁２２００は、摺動体２２８０を備えている。摺動体２２８０は、整列機能２２８２、雄型継手２２８３、開口２２８６、及び支持要素２２８８を含む。摺動体２２８０は、例えば、吸引組立体２１１２などの筐体内に設けるように構成される。摺動体２２８０は、整列機能２２８２を含む。整列機能２２８２は、摺動体２２８０内に含有物を含む。整列機能は、逆流防止弁２２００が回転するのを防止するために、筐体内に含まれる整列機能となるように構成してもよい。摺動体２２８０は支持要素２２８８を含む。支持要素２２８８は、ダイヤフラム２２８５に構造的支持を提供するように構成されている。ダイヤフラム２２８５は、可撓性材料から構成される。支持要素２２８８は、ダイヤフラム２２８５の撓み量を一方向に制限するように構成されている。正圧力源からの圧力は、支持要素２２８８によってダイヤフラム２２８５から摺動体２２８０に伝達される。雄型継手は、摺動体２２８０をダイヤフラム２２８５に連結するように構成される。図２２Ａに例示すように、雄型継手２２８３は、スナップ嵌めを使用して雌型継手２２８４に結合されるように構成される。いくつかの実施形態では、雄型継手２２８３は、機械的ファスナ（例えば、ネジ、ボルト、リベット等）、接着剤が塗布される点、又は雄型継手２２８３を雌型継手２２８４に結合する他の手段であってもよい。摺動体２２８０は開口２２８６を有する。開口２２８６は、摺動体２２８０を通して排出物の流れを可能にするように構成される。
【０２９４】
逆流防止弁２２００は、ダイヤフラム２２８５を含む。ダイヤフラム２２８５は、一方向に開口２２８６を通過する流れを遮断する一方で、逆方向への流れを可能とするように構成されている。ダイヤフラム２２８５は、可撓性材料から構成される。ダイヤフラム２２８５は、圧力に呼応して撓むように構成される。圧力流が一方向に進行するとき、ダイヤフラム２２８５は、流れが開口２２８６を通過できるように撓むように構成される。圧力流が逆方向に進行するとき、ダイヤフラム２２８５は、撓みが支持要素２２８８によって制限されるまで撓むように構成される。ダイヤフラム２２８５は、圧力源から摺動体２２８０へ圧力を伝達するように構成されている。この圧力の伝達により、摺動体２２８０が筐体内で移動する。ダイヤフラム２２８５は、雌型継手２２８４を含む。雌型継手２２８４は、ダイヤフラム２２８５を摺動体２２８０に連結するように構成されている。図２２Ａに示すように、雌型継手２２８４は、スナップ嵌めを使用して雄型継手２２８３に結合されるように構成される。いくつかの実施形態では、雌型継手２２８４は、機械的ファスナー（例えば、ネジ、ボルト、リベット等）のための穴であってもよいし、接着剤が塗布された点、あるいは雌型継手２２８４を雄型継手２２８３に結合する他の方法であってもよい。
【０２９５】
図２２Ｂは、妨害物発生中の逆流防止弁２２００を示す図である。妨害物の場合には、圧力源からの圧力でダイヤフラム２２８５が撓む。ダイヤフラム２２８５の撓みは支持要素２２８８によって制限される。図２２Ｂに示すように、ダイヤフラム２２８５は支持要素２２８８上に静止している。この動作モードでは、ダイヤフラム２２８５は圧力源から摺動体２２８０へ圧力を伝達することができる。この圧力の伝達により逆流防止弁２２００を起動させることができる。
【０２９６】
図２２Ｃは、正常動作中の逆流防止弁２２００を示す図である。正常動作中、圧力源からの圧力によりダイヤフラム２２８５が撓み、それによって開口２２８６内を流れることができるようになる。圧力源からの圧力は、ダイヤフラム２２８５に作用することができる。圧力は、雄型継手２２８３及び雌型継手２２８４によって、ダイヤフラム２２８５から摺動体２２８０に伝達してもよい。正常動作中、圧力源からの圧力はダイヤフラム２２８５に作用して、それによって逆流防止弁２２００を筐体内で摺動させることができる。停止した場合、逆流防止弁２２０は、排気ポートを遮断するように構成してもよい。
【０２９７】
図２３Ａは、正常動作中の、安全機能２３００を備えた正圧真空装置の動作を示す図である。安全機能２３００備えた正圧真空装置は、吸引システム１００、逆流防止３００を備えた吸引システム、逆流警報４００備えた吸引システム、安全機能５００を備えた吸引システム、正圧作動吸引装置１２００、逆流防止１３００を備えた正圧作動吸引装置、逆流警報１４００を備えた正圧作動吸引装置、及び安全機能１５００を備えた正圧作動吸引装置の一例であるが、安全機能２３００を備えた正圧作動真空装置は、代替構成及び作動方法を含んでいてもよい。安全機能２３００備えた正圧真空装置は、加圧ガスポート（正圧入力ポートなど）２３１１、低圧チャンバ２３１２、流出物出口２３１３、流体流増幅器２３１５、安全弁２３１６、安全弁体２３８０、及び警報／安全警報２３１７を備える。
【０２９８】
作動時に、流体流増幅器２３１５は加圧ガス供給２３２１を受け、低圧チャンバ２３１２の近傍に低圧領域を生成する。流体流増幅器２３１５は、コアンダ効果を利用して、低圧チャンバ２３１２近くの低圧領域を生成するように構成してもよい。低圧領域は、低圧チャンバ２３１２内の近傍に安全弁２３１６を引き込み、逆流迂回用ポート２３８１及び開放ダイヤフラム２３８５を遮断する。正常動作中、逆流防止弁２１１６は、逆流迂回用ポート２３８１をブロックして、低圧チャンバ２３１２に対し、最大の吸引力を与える。低圧領域は、排出物の流れ／吸引流２３２４を低圧チャンバ２３１２に引き込む。排出物の流れ／吸引流２３２４は、液体、ガス及び固形物を含んでいてもよい。低圧チャンバ２１２７は、排出物の流れ／吸引流２３２４を流体流増幅器２３１５に導く。流体流増幅器２３１５は、層流を生成するように構成される。排出物の流れ／吸引流２３２４は、流体流増幅器２３１５内の加圧ガス供給２３２１と同伴され、正圧流出物２３２３として流出物出口２３１３から排出してもよい。流体流増幅器２３１５内の層流により、正圧ガス供給２３２１が流出物出口２３１３によって排出物の流れ／吸引流２３２４から分離できるようになる。流出物出口２３１３は、加圧ガス供給２３２１と正圧流出物２３２３を別々の流れとして排出するように構成してもよい。流出物出口２３１３は、加圧ガス供給２３２１及び正圧流出物２３２３の収集、さらなる分離、及び／又は処分のために管、パイプ等に結合するように構成してもよい。
【０２９９】
図２３Ｂは、妨害物が生じた場合の、安全機能２３００を備えた正圧吸引装置の動作を示す図である。安全機能２３００を備えた正圧吸引装置を通る流れは、障害物２３５０によって遮断される。障害物２３５０は、加圧ガス供給２３２１の全て又は大部分が流出物出口２３１３から流出しないよう、防止することができる。加圧ガス供給２３２１が流出物出口２３１３から排出されないようにすると、加圧ガス供給２３２１は、低圧チャンバ２３１２から強制的に排出させられることがある。逆流安全性弁２３１６がなければ、加圧ガス供給２３２１、及びおそらくは排出物の流れ／吸引流２３２４は、低圧チャンバ２３１２から排出されてしまう可能性がある。排出加圧ガス供給２３２１と排出物の流れ／吸引流２３２４は望ましくないので、低圧チャンバ２３１２の近傍の個所（例えば患者）に損傷又は他の問題を引き起こす可能性がある。しかし、安全弁２３１６は、安全弁体２３８０と共に、低圧チャンバ２３１２を介して排出しないよう、加圧ガス供給２３２１の流れを少なくとも停止させるように構成されている。
【０３００】
図２３Ｂは、加圧ガス供給２３２１が流出物出口２３１３から流出するのを阻止している障害物２３５０を図示している。加圧ガス供給２３２１は障害物２３５０によって流出物出口２３１３を出射することができないので、加圧ガス供給２３２１の流れは低圧チャンバ２３１２へ方向を逆転させる。加圧ガス供給２３２１は、ダイヤフラム２３８５を閉じて、安全弁２３１６を低圧チャンバ２３１２内にスライドさせる。一旦起動すると、安全弁２３１６は逆流迂回用ポート２３８１を開いて加圧ガス供給２３２１を逃がし、それによって、圧力が安全機能２３００を備えた正圧吸引装置内の望ましい限界を超えて上昇しないよう、防ぐことができる。
【０３０１】
逆流迂回用ポート２３８１は、警報／安全警報２３１７に動作可能に結合される。逆流迂回用ポート２３８１は、安全弁２３１６が起動されると、加圧ガス供給２３２１を警報／安全警報２３１７に導くように構成してもよい。この例では、警報／安全警報２３１７は、加圧ガス供給２３２１を使用して可聴警報を生成するように構成されている。
【０３０２】
図２４Ａは、正圧作動吸引装置２４００を示す図である。正圧作動吸引装置２４００は、吸引システム１００、逆流防止３００を備えた吸引システム、逆流警報４００備えた吸引システム、安全機能５００を備えた吸引システム、濾過吸引システム１０００、正圧作動吸引装置１２００、逆流警報１４００を備えた正圧作動吸引装置、及び安全機能１５００を備えた正圧作動吸引装置、安全機能１６００を備えた濾過吸引装置、及び調節可能な圧力ギャップ１９００備えた吸引装置の一例であるが、正圧作動吸引装置２４００は、代替的な構成及び動作の方法を含んでいてもよい。正圧作動吸引装置２４００は、加圧ガスポート（正圧取込口など）２４１１、吸引組立体２４１２、出口／排出ポート２４１３、流体加速器２４１５、逆流防止弁２４１６、警告／警報２４１７、流体加速器取込口２４１８、流れ制御部２４２０、入口／入力ポート２４２２、導管（環状の開口部など）２４２９、及びフィルタ２４３０を備える。
【０３０３】
加圧ガスポート２４１１は、正圧源から正の圧力を受け取るように構成される。正圧源は、周囲の気圧より高い圧力でガスを供給するように構成される。正圧源は、圧縮機からの圧縮ガス、高圧ガスボンベからのガス、又は人間の呼気を含んでいてもよい。加圧ガスポート２４１１は、導管２４２９を介して流体加速器２４１５に正の圧力を供給するように構成される。
【０３０４】
吸引組立体２４１２は、正圧作動吸引装置２４００の遠位端に向かって配置される。吸引組立体２４１２は、入口／入力ポート２４２２を含む。吸引組立体２４１２は、排出物の流れを受け取るように構成されている。吸引組立体２４１２は、逆流防止弁２４１６を収容するように構成されている。
【０３０５】
流体加速器２４１５は、吸引組立体２４１２内及び入口／入力ポート２４２２の近傍に低圧領域を生成するように構成される。流体加速器２４１５によって生成された低圧領域は、周囲の気圧より低い。低圧領域は、周囲の気圧が、排出物の流れを入口／入力ポート２４２２及び吸引組立体２４１２を通して押し出す。排出物の流れは、液体、固形物及びガスを含んでいてもよい。
【０３０６】
出口／排出ポート２４１３は、正圧作動吸引装置２４００の近位端に向かって配置される。出口／排出ポート２４１３は、フィルタ２４３０から濾液を受け取るように構成されている。出口／排出ポート２４１３は、フィルタ２４３０から受け取った濾液を収集源に出力するように構成してもよい。収集源は、配管、キャニスタ、又は廃棄物ドレンを含んでいてもよい。
【０３０７】
流体加速器２４１５は、正圧供給２４２１を使用して、排出物の流れ／吸引流２４２４の流れを加速するように構成される。流体加速器２４１５は導管２４２９を含む。導管２４２９は、加圧ガスポート２４１１から受け入れた正圧供給２４２１を、流体加速器２４１５の内壁に対して角度を付けて導くように構成されている。流体加速器２４１５は、正圧供給２４２１から入口／入力ポート２４２２近傍の低圧領域を生成するためにコアンダ効果を利用するように構成してもよい。流体加速器２４１５は、正圧流出物２４２３を生成するように構成される。正圧流出物２４２３は、正圧供給２４２１と排出物の流れ／吸引流２４２４とが複合流を含んでいてもよい。流体加速器２４１５は、フィルタ２４３０通して正圧流出物を導くように構成される。フィルタ２４３０は、正圧流出物２４２３に含まれる粒子を捕獲するように構成され、正圧の濾液２４２６を出口／排出ポート２４１３に通過させる。
【０３０８】
逆流防止弁２４１６は、吸引組立体２４１２と流体加速器２４１５との間に配置される。逆流防止弁２４１６は、少なくとも正圧供給２４２１が入口／入力ポート２４２２から流出することを防止するように構成されている。
【０３０９】
警告／警報２４１７は、正圧作動吸引装置２４００を通る流れが閉塞されたことをユーザに知らせるように構成されている。警告／警報２４１７は、逆流防止弁２４１６と連動して作動するように構成してもよい。逆流防止弁２４１６の起動によって、吸引組立体２４１２を通しての流れを遮断することができる。逆流防止弁２４１６は、排気ポート２１８１を介して正圧供給２４２１を警告／警報２４１７に導くように構成してもよい。警告／警報２４１７は、正圧供給２４２１から警報を生成するように構成してもよい。
【０３１０】
流体加速器取込口２４１８は、各々が広い端部と狭い端部を有する複数の円錐部を含む。いくつかの実施形態では、流体加速器取込口は、ベンチュリ効果を利用して、流体加速器取込口２４１８を通る流れを加速させるように構成してもよい。流体加速器の摂取は、入口／入力ポート２４２２で受け入れた排出物の流れを流体加速器２４１５に導くように構成される。
【０３１１】
流れ制御部２４２０は、正圧作動吸引装置２４００の遠位端に向かって配置されている。流れ制御部２４２０は、ユーザ入力を受け取るように構成された回転可能な部材を含む。流量制御は、ユーザ入力から受け取った回転運動を直線運動に変換し、この回転運動は、流体加速器取込口２４１８と流体加速器２４１５との間に配置された圧力ギャップを調節することができる。いくつかの実施形態では、流れ制御部２４２０は、より大きな運動を導管２４２９の近傍でより小さな運動に変換することができる。
【０３１２】
導管２４２９は、流体加速器取込口２４１８と流体加速器２４１５との間に配置される。導管２４２９は、調節可能な圧力ギャップを含む。調節可能な圧力ギャップは、導管２４２９を介して加圧ガスポート２４１１から受け入れる圧力の流れを制御し、ひいては、流体加速器２４１５への圧力の流れを制御する。導管２４２９は、流れ制御部２４２０を調節することによって、ユーザによって調節されてもよい。低圧領域の強度は、導管２４２９を調節することによって調節されてもよい。
【０３１３】
フィルタ２４３０は、正圧作動吸引装置２４００の近位端近傍に配置される。フィルタ２４３０は、正圧流出物２４２３を受け取るように構成される。フィルタ２４３０は、粒子を捕獲し、正圧の濾液２４２６を出口／排出ポート２４１３に通過させるように構成されている。
【０３１４】
図２４Ｂは図２４Ｂ１の拡大図であり、正圧作動吸引装置に対する調節可能な圧力ギャップ２４３１の動作を例示する概略図である。流れ制御部２４２０は、チューナアーム２４４０のような調節機能を含む。チューナアーム２４４０は、ユーザが入口／入力ポート２４２２の近傍で低圧領域を制御できるように構成されている。この実施形態では、チューナアーム２４４０により、ユーザが片手を使用して調節可能な圧力ギャップ２４３１を調節できるようになる。チューナアーム２４４０は、ユーザからの回転入力を受信するように構成されている。チューナアーム２４４０は、流れ制御部２４２０回転運動を与えるように構成されている。流れ制御部２４２０は、運動変換部２４４２に回転運動を与えるように構成されている。運動変換部２４４２は、流れ制御部２４２０から受けた回転運動を直線運動に変換するように構成されている。運動変換部２４４２からの直線運動は、圧力ギャップ２４３１を調節するように構成されている。
【０３１５】
導管２４２９は、圧力ギャップ２４３１を含む。圧力ギャップ２４３１は調節可能であるように構成される。圧力ギャップ２４３１の調節は、導管２４２９を介して正圧供給２４２１の流量を調節する。導管２４２９を通して正圧供給２４２１を調節することにより、入口／入力ポート２４２２の近傍で生成した低圧領域と周囲の気圧との間の圧力差が調節される。圧力ギャップ２４３１は、流体加速器２４１５のような第２の中空区間２４０２によって供給されるガス吸引と液体吸引と固形物吸引との比を制御するように構成してもよい。導管２４２９を通して正圧供給２４２１を調節することにより、ユーザは、正圧作動吸引装置２４００を調節して、ガス（例えば、煙）、液体及び固形物、又は３つの組み合わせの望ましい比を得ることができる。導管２４２９は、正圧供給２４２１が第２の中空区間２４０２の内壁に対して角度（例えば、０°〜９０°）で第２の中空区間２４０２に入るように構成してもよい。いくつかの実施形態では、より鋭角（例えば、３０°〜５０°）が望ましい場合がある。
【０３１６】
導管２４２９は、部分的には、流体加速器取込口２４１８などの第１の中空区間２４０１と、流体加速器２４１５のような第２の中空区間２４０２とから構成されている。第１の中空区間２４０１の近位端及び第２の中空区間２４０２の遠位端は、正圧供給２４２１が導管２４２９を流れるように適合された噴出開口部を形成するように構成してもよい。第１の中空区間２４０１の近位端は、第２の中空区間２４０２の内壁に対して角度を付けて正圧供給２４２１の流れを第２の中空区間２４０２に導くように構成された、円錐部を含む幾何学的形状を含んでいてもよい。
【０３１７】
第１の中空区間２４０１は、第２の中空区間２４０２の第２の開口部２４０６に隣接することができる第１の開口部２４０５を含んでいてもよい。第１の対向面２４０３は、少なくとも部分的に、第１の開口部２４０５を取り囲むことができる。第２の対向面２４０４は、少なくとも部分的に、第２の開口部２４０６を取り囲むことができる。第１の対向面２４０３は、第２の対向面２４０４に面することができる。第１の対向面２４０３又は第２の対向面２４０４は、面取りされ、拡開され、角度を付けられているか、又はこれらの任意の組み合わせであってもよい。
【０３１８】
導管２４２９は、部分的に、第２の中空区間２４０２で構成されている。第２の中空区間２４０２の遠位端は、第２の中空区間２４０２の内壁に対して角度を付けて第２の中空区間２４０２に入るよう、正圧供給２４２１に対して拡開していてもよい。
【０３１９】
図２４Ｂに示すように、圧力ギャップ２４３１を調整することにより、図２４Ｃに示す圧力ギャップ２４３１に対して導管２４２９を通る正圧供給２４２１の流れを増加できるようになる。図２４Ｂに示すように、圧力ギャップ２４３１は、入口／入力ポート２４２２の近傍で生成される低圧領域と周囲の気圧との間により大きな差を生じさせ、これによって、図２４Ｃに示すように、圧力ギャップ２４３１よりも多くの流体が正圧作動吸引装置２４００に流れるようになる。
【０３２０】
図２４Ｃは図２４Ｃ１の拡大図であり、導管２４２９を図示している。図２４Ｃに示すように、圧力ギャップ２４３１を調節することにより、図２４Ｂに示すように、圧力ギャップ２４３１に対して、導管２４２９を通る正圧供給２４２１の流れを減少できるように調節する。図２４Ｃに示すように、圧力ギャップ２４３１は、入口／入力ポート２４２２の近傍で生成される低圧領域と周囲の気圧との間の差がより小さいので、図２４Ｂに示すように圧力ギャップ２４３１よりも正圧作動吸引装置２４００への流れを少なくする。いくつかの実施形態では、調節可能な圧力ギャップ２４３１の調節は、正圧作動吸引装置２４００の動作を停止させることができる。
【０３２１】
図２４Ｄは、正常動作中に正圧作動吸引装置２４００の動作を示す図である。逆流防止弁２４１６は、逆流防止弁体２１８０と排気ポート２１８１とを備えている。逆流防止弁２４１６は、吸引組立体２４１２内を移動するように構成されている。正常動作中、逆流防止弁２４１６は、排気ポート２１８１を遮断し、正圧作動吸引装置２４００を流れることを許容するように構成してもよい。妨害物の場合、逆流防止弁２４１６は、吸引組立体２４１２内に摺動して、少なくとも正圧供給２４２１が吸気／入力ポート２４２２から流出するのを防止する。逆流防止弁２４１６は、排気ポート２１８１を開放して、正圧供給２４２１が正圧作動吸引装置２４００内の望ましい限界を超えて増加するのを防ぐように構成してもよい。
【０３２２】
作動時には、正圧供給２４２１が導入されてガスポート２４１１が加圧される。加圧ガスポート２４１１は、正圧供給２４２１を流体加速器２４１５に供給する。流体加速器２４１５は、コアンダ効果を利用するように構成してもよい。流体加速器２４１５は、正圧供給２４２１から入口／入力ポート２４２２に近接して低圧領域を生成するように構成される。導管２４２９は、流体加速器２４１５の内壁に対して角度を付けて、流体加速器２４２５に正圧供給２４２１を供給するように構成してもよい。正圧作動吸引装置２４００の部分、特に流体加速器２４１５は、吸引組立体２４１２内の低圧領域を形成するように構成されている。この低圧領域を使用して、正圧作動吸引装置２４００を介して排出物の流れ／吸引流２４２４を同伴及び誘導してもよい。
【０３２３】
図２４Ｄは、入口／入力ポート２４２２に流入する排出物の流れ／吸引流２４２４を示す。排出物の流れ／吸引流２４２４は、流体加速器２４１５内の正圧供給２４２１と同伴されてもよい。この複合流は、正圧流出物２４２３として図示されている。
流体加速器２４１５は、フィルタ２４３０を通して正圧流出物２４２３を押し出す。フィルタ２４３０は、粒子を捕獲し、正圧流出物２４２６を出口／排出ポート２４１３に通過させるように構成されている。
【０３２４】
図２５は、手術室２５００で使用する吸引システムを示すブロック図である。吸引システム２５００は、吸引装置２５１０、吸引アタッチメント２５５２、流体分離器２５５４、支持体２５５８、及び回収キャニスタ２５６０を含む。
【０３２５】
吸引システム２５００は、吸引装置２５１０を備えている。吸引装置２５１０は、吸引システム１００、逆流防止３００を備えた吸引システム（図２５に２５１６として示している）、濾過吸引システム１０００、正圧作動吸引装置１２００、逆流防止１３００を備えた正圧作動吸引装置、調節可能な圧力ギャップ１９００を備えた吸引装置の一例であるが、吸引装置２５１０は、マフラ２５３２とマウント２５５６とを備えている。
【０３２６】
吸引装置２５１０は、マフラ２５３１を備えている。マフラ２５３１は、正圧出力２５２１の体積レベルを抑制するように構成されている。マフラ２５２１は、正圧出力２５２１の体積レベルを低下させるように気流を導くように構成された複数の開口部を含む。
【０３２７】
吸引装置２５１０は、マウント２５５６を含む。マウント２５５６は、吸引装置を支持体２５５８に結合させるように構成されている。マウント２５５６は、吸引装置２５１０のハンドフリー操作に使用することができる。いくつかの実施形態では、マウント２５５６は、病院及び手術室環境において頻繁に使用されるように、柱を取り付けるように構成してもよい。いくつかの実施形態では、マウント２５５６は、吸引装置２５１０を壁に結合するように構成してもよい。いくつかの実施形態では、マウント２５５６は、オーバーヘッド構造から吸引装置２５１０を吊り下げるように構成してもよい。
【０３２８】
吸引システム２５００は、吸引アタッチメント２５５２を含む。吸引アタッチメントは、低圧領域２５２２をターゲット領域に供給するように構成されている。いくつかの実施形態では、吸引アタッチメントは、ハンドヘルド操作のために構成してもよい。いくつかの実施形態では、吸引アタッチメント２５５２は、外科器具に結合するように構成してもよい。図２５は、流体分離器２５５４に結合された吸引アタッチメント２５５２を図示しているが、吸引アタッチメントは、吸引装置２５１０に直接結合されてもよいことは理解されるべきである。
【０３２９】
吸引システム２５００は、流体分離器２５５４を含む。流体分離器２５５２は、排出物の流れの成分を分離するように構成されている。排出物の流れは、種々の比率で固形物、液体及びガスを含んでいてもよい。流体分離器２５５４は、液体と固形物を、排出物の流れ中でガスから分離するように構成されている。流体分離器２５５４は、液体及び固形物を回収キャニスタ２５６０に排出するように構成されている。煙とガスは、吸引装置２５１０によって流体分離器２５５４から吸引される。
【０３３０】
吸引システム２５００は支持体２５５８を含む。支持体２５５８は、吸引装置２５１０を支持することができる任意の構造であってもよい。いくつかの実施形態では、支持体２５５８は、病院又は手術室環境において一般的に見出されるような柱であってもよい。いくつかの実施形態では、支持体２５５８は壁であってもよい。いくつかの実施形態では、支持体２５５８は、天井から懸架された構造であってもよい。支持体２５５０は、吸引装置２５１０を有する人を含むこともできる。
【０３３１】
吸引システム２５００は、回収キャニスタ２５６０を含む。回収キャニスタ２５６０は、流体分離器２５５４から液体及び固形物を受け取るように構成される。回収キャニスタ２５６０は、受け取った液体及び固形物の体積を測定し、廃棄物の安全な処理又はその他の目的に使用してもよい。
【０３３２】
作動時、吸引装置２５１０は、正圧供給２５２１を用いて低圧領域２５２２を生成する。吸引装置２５１０によって生成された吸引力は、流体分離器２５５４に供給される。流体分離器２５５４は、吸引力を吸引アタッチメント２５５２に伝達する。吸引力により、吸引ポート２５１２の近傍に低圧領域２５２２が形成される。排出物の流れ（液体、固形物及びガスを含んでもよい）は、低圧領域２５２２によって吸引されて吸引アタッチメント２５５２に引き込まれる。排出物の流れは、流体分離器２５５４で受け取られる。流体分離器２５５４は、液体、固形物及びガスを排出物の流れから分離する。流体分離器２５５４は、液体、固形物及びガスを排出物の流れから回収キャニスタ２５６０へ排出する。排出物の流れからのガスは、吸引装置２５１０によって流体分離器２５４４から吸引される。ガスからの要素はフィルタ２５３０によって除去される。フィルタ２５３０からの濾液は、正圧出力２５２１としてマフラ２５３２を通過する。
【０３３３】
図２４Ｅは、正常動作中の正圧作動吸引装置の動作を示す図である。この例では、障害物２４５０は、正圧供給２４２１の全て又は一部が出口／排出ポート２４１３において排出されるのを防ぐ。逆流防止弁２４１６は、障害物２４５０により正圧供給２４２１の全部又は一部を出口／排出ポート２４１３から流出させることができなくなった時にアクティブになるように構成されている。逆流防止弁２４２１は、正圧供給２４２１によって、入口／入力ポート２４２２の近傍に排出物が放出されるのを防ぐことができる。逆流防止弁２４２１が起動すると、正圧供給２４２１が警告／警報２４１７を介して導かれる。警告／警報２４１７は、吸引システム２５００内の圧力によって、障害物２４５０が正圧供給２４２１の全て又は一部が出口／排出ポート２４１３から流出できないように妨げていることを示す閾値まで上昇すると、起動するように構成される。
【０３３４】
図２６は、手術室で使用する吸引システムを作動させる方法を示す図である。図２６に示すステップは、吸引システム２５００の一以上の要素によって実行されてもよい。吸引装置の入力ポートで正圧を受ける（２６０２）。例えば、吸引装置２５１０は、正圧供給２５２１を受け取るように構成されている。
正圧から吸引力が発生する（２６０４）。例えば、吸引装置２５１０は、正圧供給２５２１からの吸引力を生成するように構成されている。流体セパレータの吸引ポートに吸引力を与える（２６０６）。例えば、吸引装置２５１０は、流体分離器２５５４に結合されるように構成されている。流体分離器２５５４は、吸引ポートを含む。吸引装置２５１０は、流体分離器２５５４の吸引ポートに吸引力を加えるように構成されている。流体セパレータ内にサイクロン流を生成する（２６０８）。例えば、流体分離器２５５４は、吸引装置２５１０から受けた吸引力からサイクロン流を生成するように構成される。吸引力は、流体分離器から吸引アタッチメントに伝達される（２６１０）。例えば、流体分離器２５５４は、吸引装置２５１０から吸引アタッチメント２５５２へ吸引力を伝達するように構成されている。吸引装置２５１０からの吸引力により、吸引ポート２５１２近くに低圧領域２５２２が生成される。排出物の流れが吸引システムに引き込まれる（２６１２）。例えば、吸引アタッチメント２５５２は、低圧領域２５２２から排出物の流れを受け取るように構成されている。排出物の流れに含まれる液体と固形物は分離される（２６１４）。例えば、流体分離器２５５４は、液体、固形物及びガスを排出物の流れから分離するように構成されている。液体及び固形物を採取する（２６１６）。
回収キャニスタ２５６０は、液体及び固形物を受け取るように構成される。回収キャニスタ２５６０は、流体分離器２５５４に結合されている。流体分離器２５５４は、液体及び固形物を回収キャニスタ２５６０に排出することができる。排出物の流れからのガスは、吸引装置に渡される（２６１８）。流体分離器２５５４は、排出物の流れからのガスを吸引装置２５１０へ通過させるように構成されている。吸引装置２５１０によって生成された吸引力は、流体分離器２５５４からガスを吸引する。
【０３３５】
図２７は、正圧作動吸引装置２７００のマフラを示す図である。マフラ２７００は、本体２７７２、隙間２７７４、及び整列機能２７７６を含む。
マフラ２７００は、正圧作動吸引装置２５００などの吸引装置からの排気量を減少させるように構成されている。排気の流路を導くことにより排気の体積レベルを減少させる。本体２７７２は、吸引装置の出力部に結合されている。本体２７７２は、プラスチック、金属、ガラス及びセラミックを含む種々の材料から製造することができる。マフラ２７００はギャップ２７７４を含む。ギャップ２７７４は、排気によって生成される体積レベルが排気の非指向性流路に関して減少するように、吸引装置からの排気の流路を導くように構成される。隙間２７７４の大きさ及び形状は、排気の体積レベルに影響を与える。ギャップ２７７４の大きさ及び形状は、吸引装置の様々な実施形態に適応するように変化させることができる。いくつかの実施形態では、ギャップ２７７４は、１．５ミリメートルの幅を有していてもよい。いくつかの実施形態では、ギャップ２７７４は、２．５ミリメートルの幅を有していてもよい。マフラ２７００は、整列機能２７７６を備える。整列機能２７７６は、吸引装置上の対応する整列特徴に結合するように構成されている。整列機能２７７６を使用して、吸引装置に関してマフラ２７７６を位置決めしてもよい。いくつかの実施形態では、整列機能２７７６は、吸引装置に含まれるフィルタに関してマフラ２７７６を位置決めするように構成してもよい。
【０３３６】
図２８は、中空区間２８０１の傾斜縁部を図示している。傾斜した縁部は、区間に対して０度から９０度の角度２８０２を形成できる。図２８は、中空区間２８０３の傾斜縁部も図示している。傾斜縁部は、区間に対して９０度から１８０度の角度２８０４を形成できる。図２８はまた、中空区間２８０５の拡開縁部を示している。拡開縁部は、区間に対して９０度から１８０度の角度２８０６を形成することができる。図２８は、拡開縁部２８０８を有する第２の中空区間と直列に傾斜縁部２８０７を有する中空区間を示し、ここで、傾斜縁部２８０７と拡開端部２８０８を互いに隣接させることができる。傾斜した縁部は０度から９０度の角度とすることができ、拡開縁部は９０度から１８０度までの角度とすることができる。図２８は、傾斜した縁部２８１０を有する第２の中空区間と傾斜縁部２８０９を直列に有する中空区間を示し、ここで、２つの傾斜縁部は互いに隣接している。第１の中空区間の傾斜縁部は０度から９０度の角度とすることができ、第２の中空区間の傾斜縁部は９０度から１８０度の角度とすることができる。
【０３３７】
図２９は、異なる装置設定と、それに対応する煙流量を標準立方フィート／分（ｓｃｆｍ）で示し、静的真空をミリメートル水銀（ｍｍＨｇ）で示す表である。
【０３３８】
図３０は、１．５ｍ離れたところにある異なる装置の装置ノイズと、３０ｐｓｉの入力圧力を示している。いくつかの実施形態では、装置は、約４９デシベルで一つ以上の音を発することができる。この装置は、背景ノイズの約６デシベル上で一つ以上の音を発することができる。
【０３３９】
図３１Ａ〜３１Ｂは、中心軸に対して３５°の角度を有する拡開端部（図３１Ａ）、又は中心軸に対して５５°の角度を有する拡開端部（図３１Ｂ）を用いた計算流体力学（ＣＦＤ）解析を示す図である。角度を変更すると、吸引分解能が向上することがある。例えば、角度を３５度から５５度に変更すると、吸引分解能を約２０％高くすることができる。
【０３４０】
図３２は、中心軸に対して３５度の角度、又は中心軸に対して５５度の角度を付けての入力圧力を関数とした最大静的真空を示すグラフである。角度を変更すると、最大静的真空が変化する可能性がある。最大静的真空は、３０ｐｓｉ入力圧力での中心軸に対して３５度の角度を付けて約２５０ｍｍＨｇ〜約２６０ｍｍＨｇであってもよい。最大静的真空は、３４ｐｓｉ入力圧力での中心軸に対して３５度の角度を付けて約２７５ｍｍＨｇ〜約２８５ｍｍＨｇであってもよい。最大静的真空は、３９ｐｓｉ入力圧力での中心軸に対して５５度の角度を付けて約３０５ｍｍＨｇ〜約３１５ｍｍＨｇであってもよい。
【０３４１】
図３３は、入力圧力３４ｐｓｉでの静的真空を関数とした空気消費（ｓｃｆｍ）を示すグラフである。３４ｐｓｉ入力圧力で約１００ｍｍＨｇから約３２５ｍｍＨｇまでの静的真空に対しては、空気消費量は約４ｓｃｆｍと約１１ｓｃｆｍとの間であってもよい。３４ｐｓｉ入力圧力で約１５０ｍｍＨｇから約３００ｍｍＨｇまでの静的真空に対しては、空気消費量は約４ｓｃｆｍと約９ｓｃｆｍとの間であってもよい。
【０３４２】
図３４は、入力圧力３０ｐｓｉでの静的真空を関数とした空気消費（ｓｃｆｍ）を示すグラフである。３０ｐｓｉ入力圧力で約１００ｍｍＨｇから約３００ｍｍＨｇまでの静的真空に対しては、空気消費量は約３ｓｃｆｍと約１０ｓｃｆｍとの間であってもよい。３０ｐｓｉ入力圧力で約１５０ｍｍＨｇから約２５０ｍｍＨｇまでの静的真空に対しては、空気消費量は約４ｓｃｆｍと約９ｓｃｆｍとの間であってもよい。
【０３４３】
図３５は、入力空気圧の関数としての最大吸込時のノイズレベルを示すグラフである。さらに空気を消費すると、約１又は２デシベルの増加などのノイズレベルも上がる可能性がある。装置の幾何学的形状の変化により、約１又は２デシベルの増加などのノイズレベルが増加する可能性がある。サウンドバッフルやマイクロ表面構造を有するラミネート層のような装置の幾何学的形状の変化は、ノイズレベルを低下させる可能性がある。最大吸引力のノイズレベルは、中心軸に対して５５度、２５ｐｓｉで約６２．５ｄＢ、中心軸に対して３５度の角度、２５ｐｓｉで約６０ｄＢであってもよい。最大吸引力のノイズレベルは、中心軸に対する５５度の角度に対して３０ｐｓｉで約６４．２５ｄＢ、中心軸に対して３５度の角度を付けて３０ｐｓｉで約６２．５ｄＢであってもよい。
【０３４４】
図３６は、シミュレートされたフィルタ閉塞の関数とした入口圧力及び出口流量を示すグラフである。一つ以上のフィルタが部分的又は完全に閉塞されるにつれて、装置によって生成される吸引力は減少する。ある場合には、一つ以上のフィルタが完全に閉塞する前に、吸引力の損失が起こることがある。ある場合には、吸引流が一つ以上のフィルタを完全に閉塞することもありうる。ある場合には、煙などの吸引流が一つ以上のフィルタを完全に閉塞することは不可能である。
【０３４５】
図３７は、設定された試験装置を示す画像である。図３７Ａは、ＳＰＡＮ０−１００ｐｓｉ圧力計、ＱＭＳ−５９６のような圧力計であってもよい。図３７Ｂは、ＭｅｒｉａｍＭ２シリーズのスマートマノメータ、ＺＭ２００−ＤＮ０２００、ＱＭＳ−６８９のような、血圧計であってもよい。図３７Ｃは、キー・インスツルメント・ＦＲ４Ａ６７ＳＶＶＴ流量計などの流量計とすることができる。図３７Ｄは、エクステック・インスツルメントＳＬ１３０サウンドメータ、ＱＭＳ５４８などのサウンドメータのような騒音計でもよい。図３７Ｅは、コールパーマーモデルＰＭＲ１−０１０６０８  ０．０８−１．２５ＬＰＭ流量計、Ｓ／Ｎ３７１８８９−１、ＱＭＳ−６８７などの流量計でもよい。図３７Ｆは、コールパーマーモデルＰＭＲ１−０１０６９２０  ０．５−５ＬＰＭ流量計、Ｓ／Ｎ３７１８８９−１、ＱＭＳ−５８７（非アクティブ）などの流量計でもよい。
【０３４６】
図３８は、空気消費測定のために設置された試験装置を示すフロー図である。この装置は、例えば、圧縮空気調節器からのような圧縮空気によって動力を供給することができる。本装置に入る圧力は、例えば、空気レギュレータと装置との間に配置された圧力計によって検証することができる。空気は流量計を通して装置に引き込まれ、ペンのセットアップを行うことができる。圧力は、一以上の回数で圧力計から記録することができ、流量は、流量計によって１回以上記録することができる。チューナアーム上の設定は、例えば０〜１４のように、間隙空間に対応し、チューナアーム上の０は幅０インチに対応し、チューナアーム上の１４は０．０１１５インチの幅に対応することができる。最初のセットアップ、セットアップＡでは、空気の流れを測定するために、長さ４フィート、内径（ＩＤ）３／８インチのコルゲート配管、ペンのセットアップでは、長さ６フィート、ＩＤが７／８インチのコルゲート配管などのような配管で装置と流量計に接続されてもよい。第２のセットアップ、セットアップＢでは、空気と液体の流れを測定するために、ペンのセットアップを配管付きの４つのキャニスタに接続することができる。例えば、４つの流体ノックアウトキャニスタは、長さ２メートル、ＩＤが３／８インチの配管付きペン設定に接続することができる。キャニスタは、ＩＤが１／８インチのような配管と共に接続することができる。キャニスタは、ＩＤが３／８インチの配管を備えた装置と流量計とに接続することができる。
【０３４７】
図３９は、静的真空測定のために設置された試験装置を示すフロー図である。この装置は、例えば、圧縮空気調節器からのような圧縮空気によって動力を供給することができる。装置に入る圧力は、例えば、エアレギュレータと装置との間に配置された圧力計によって検証することができる。装置によって生成された真空は、デジタル血圧計で記録することができる。最大真空は、最大真空を達成するために、装置の入力圧力及び間隙空間の一方又は両方を調節して記録することができる。
【０３４８】
図４０は、静的真空及びノイズ測定のために設置された試験装置を示すフロー図である。試験は静的真空試験と同様であるが、装置への空気の流量は流量計で測定することもでき、装置のノイズは装置から約１ｍ離れた位置に配置されたデシベルメーターを用いて測定することもできる。デシベルメーターは、装置から１．５メートル以上離れた位置に配置することができる。
【０３４９】
図４１は、吸引装置４１００の概略図である。吸引装置４１００は、装置４１００内の相対的に低圧の領域４１０２を生成及び／又は利用することによって、吸引力を生成するように構成される。相対的に低圧の領域４１０２を生成することにより、吸引装置４１００の内部と装置周辺の環境との間に圧力差を生じる。
【０３５０】
本明細書で使用される場合、吸引装置内の相対的に低圧の領域は、吸引装置の内部全体、又はその一部だけを含んでいてもよい。さらに、本明細書で使用される場合、相対的に低圧の領域は、装置周辺の環境の圧力に対して（すなわち、比べて）相対的であると言える。装置周辺の環境の圧力は、例えば、周囲圧力に等しくてもよい。又は、装置周辺の環境の圧力は、例えば、水中で使用される場合など、例えば、周囲圧力よりも高くても低くてもよい。
【０３５１】
吸引装置４１００内の相対的に低圧の領域４１０２と吸引装置周辺の環境の圧力との間の圧力差は、吸引装置入口４１０６を通って装置を囲む環境から吸引流４１０４を追いやる。通常、相対的に高圧の領域から相対的に低圧の領域に排出物が追いやられるように、２つの領域の間に圧力差が存在する場合には、吸引力が発生する。
【０３５２】
吸引力は、相対的に低圧の領域に向かって追いやられる排出物に対して付与された、又は排出物が感じ取る吸引力の強度である。吸引力は、相対的に高圧の領域と相対的に低圧の領域との間の圧力差に直接関係している。
【０３５３】
吸引装置４１００は、装置周囲の環境の圧力に対して相対的に低圧の領域４１０２が減少することによって、吸入ポート４１０６を介して吸引流４１０４が増加するように構成される。すなわち、装置周辺の圧力と装置内部との差が大きいほど吸引装置４１００によって加えられる吸引力が大きくなり、したがって吸引流量４１０４が増加する。吸引流４１０４は、液体、固形物、ガス、又はこれらの組み合わせを含むあらゆる種類の排出物を含んでいてもよい。
【０３５４】
吸引装置４１００の周囲の環境と吸引装置４１００の内部との圧力差が増加すると、装置によって吸引されるべき領域に加えられる吸引力を増加させ、通常、入口４１０６を介して吸引流４１０４が増加させる。
【０３５５】
いくつかの実施形態では、吸引流４１０４又は吸引流４１０４の一部は、相対的に低圧の領域４１０２を含む吸引装置４１００とは異なる容器（図示せず）内に引き込まれる。いくつかの実施形態では、吸引装置４１００は、吸引接続（例えば吸引配管）を介して入口４１０６に接続されたキャニスタ（図示せず）に伝達される吸引力を印加する。いくつかの実施形態では、吸引装置４１００に接続されたキャニスタ（図示せず）は、吸引されるべき領域に印加される吸引器具（例えば、吸引配管を介して接続される）に更に接続される。この実施の形態では、吸引装置４１００によって吸引力が生成され、吸気口に接続されたキャニスタに伝達され、キャニスタに接続された吸引器具（図示せず）によって吸引される領域に伝達される。
【０３５６】
図４２は、ガス４２０８の流れを利用して吸引力を発生させる吸引装置４２００の概略図である。相対的に低圧の領域４２０２は、装置を通して加圧ガス４２０８の流れを通過させることによって吸引装置４２００内に生成され、ガス４２０８の流れは、吸引装置４２００を通って導かれる加圧された噴流である。
【０３５７】
吸引装置４２００は、高圧ガス４２０８の噴流が装置４２００を通過する際に、吸引装置４２００内に相対的に低圧の領域４２０２又は真空もしくは部分的真空を生成するように構成されている。図示のように、高圧ガス噴流４２０８は、吸入ポート４２０６から離れて配置された排出口４２１０を通って装置の内部から出射される。
【０３５８】
相対的に低圧の領域４２０２が装置内に生成されると、その領域により、吸引装置４２００の周囲の環境と吸引装置４２００の内部との間に圧力差が生じる。圧力差は、吸入ポート４２０６を通り、装置の内部へ吸引流４２０４を追いやる。
【０３５９】
いくつかの実施形態では、吸引流４２０４又は吸引流４２０４の一部は、相対的に低圧の領域４２０２を含む吸引装置４２００とは異なる容器（図示せず）に引き込まれる。いくつかの実施形態では、吸引装置４２００は、吸引接続（例えば、吸引配管）を介して入口４２０６に接続されたキャニスタ（図示せず）に伝達される吸引力を印加する。いくつかの実施形態では、吸引装置４２００に接続されたキャニスタ（図示せず）は、吸引されるべき領域に印加される吸引器具（例えば、吸引配管を介して接続される）に更に接続される。この実施の形態では、吸引装置４２００によって吸引力が生成され、吸気口に接続されたキャニスタに伝達され、キャニスタに接続された吸引器具（図示せず）によって吸引される領域に伝達される。
【０３６０】
いくつかの実施形態では、装置４２００内の相対的に低圧の領域４２０２は、高圧ガス噴流４２０８を調節することによって調節する。通常、装置４２００を通るより体積の大きい、より高速のガス噴流４２０８、及び排出口４２１０により、装置４２００内の圧力がより大きく減少する。すなわち、ガス噴流４２０８の体積及び／又は速度が増加すると、装置内の相対的圧力がそれに対応して減少し、ガス噴流４２０８の体積及び／又は速度が減少すると、吸引装置４２００内の相対的圧力が増加にする。吸引装置４２００内の相対的な圧力の程度は、吸引装置４２００の周囲の環境と吸引装置４２００の内部との間の圧力差に影響する。装置４２００の周囲の環境に比較的安定させるために圧力を加えると、領域４２０２の装置内の圧力が低下し、真空を発生する圧力差が生じ、吸引流４２０４を装置４２００内に引き込む。吸引流は、液体、固形物、気体、またはこれらの組み合わせを含んでいてもよい。圧力差の増加により、吸引されるべき領域に装置によって加えられる真空が増加し、通常は、入口４２０６を介して吸引流４２０４が増加する。圧力差により、同様に、装置４２０６の入口及びその周辺での真空度が増加する。
【０３６１】
図４３は、装置の中に導かれるガス４３０８の流れを使用して真空を生成する吸引装置４３００の一実施形態の概略図を示す。高圧及び／又は高速ガス噴流を含むガス４３０８の流れは、加圧ガスポート４３１２を通って導かれ、吸引装置の内部を通して排出口４３１０から出射される。ガス噴流４３０８は、吸引装置４３００の内部を通って移動すると、相対的に低圧の領域４３０２を生成する。相対的に低圧の領域４３０２と吸引装置周囲の環境との間の圧力差によって、吸引されるべき領域で真空が生じ、装置内に吸引流４３０４を引き起こす。本実施形態では、ガス噴流４３０８の形態の加圧ガスは、装置の加圧ガスポート４３１２を通って導かれる。加圧ガス流４３０８は、例えば、加圧ガスポート４３１２をガスキャニスタのような加圧ガス源に接続することによって提供されてもよい。
【０３６２】
いくつかの実施形態では、吸引流４３０４又は吸引流４３０４の一部は、相対的に低圧の領域４３０２を含む吸引装置４３００とは異なる容器（図示せず）に引き込まれる。いくつかの実施形態では、吸引装置４３００は、吸引接続（例えば、吸引配管）を介して入口４３０６に接続されたキャニスタ（図示せず）に伝達される吸引力を印加する。いくつかの実施形態では吸引装置４３００に接続されたキャニスタ（図示せず）は、吸引されるべき領域に印加される吸引器具（例えば、吸引配管を介して接続される）に更に接続される。この実施形態では、吸引装置４３００によって吸引力が生成され、入口に接続されたキャニスタに伝達され、キャニスタに接続された吸引器具（図示せず）によって吸引される領域に伝達される。
【０３６３】
図４４は、ガスの流れを導くための一以上の導管４４１４、４４１６を備える吸引装置４４００の概略図を示す。第１の導管４４１４は、例えば、外部にある加圧ガスキャニスタからの加圧ガス流を受け入れ、吸引装置４４００に接続され、加圧ガスを吸引装置４４００の内部に導くように構成されている。図示のように、第２の導管４４１６は、第１の導管４４１４からの加圧ガス流を受け入れるように配置されている。
【０３６４】
図示のように、いくつかの実施形態では、第１の導管は出口４２０を含み、第２の導管４４１６は入口４４２２を含む。第２の導管４４１６はさらに、加圧ガス噴流が吸入ポート４４０６を通る吸引流を、妨げず、遮らないように、加圧ガス流を装置から出て吸入ポート４４０６から離れる方向に送達するように位置決めされている。第１の導管４４１４は、吸引装置４４００の中心軸４４１８に対して角度４４２４に位置決めされる。図示のように、角度４４２４は実質的に９０度である。しかしながら、いくつかの実施形態では、角度４４２４は、中心軸４４１８に対して９０度未満である。いくつかの実施形態では、角度４４２４は、中心軸４４１８に対して９０度以上である。第１及び第２の導管４４１４、４４１６は、流体連通している開口部４４２０及び４４２２を含む。第１の導管４４１４の開口部４４２０と第２の導管４４１６の開口部４４２２との間には隙間があり、ここで、隙間は吸引装置４４００の内部空間と連続している。第１の導管４４１４を通り、開口部４２０を通り、間隙空間を介して吸引装置４４００の内部を通り（すなわち、吸引装置４４００の一部を含む間隙空間を通り）、及び第２の導管４４１６内の開口部４４２２を通るガスの加圧された噴流である。吸引装置４４００の内部を通る加圧ガス噴流の方向により、吸引装置４４００内の相対的に低圧の領域を生成する。
【０３６５】
図４５は、ガスの流れを導くための一以上の導管４５１６、４５２６を備えた吸引装置４５００の概略図であり、一以上の導管は、吸引装置４５００の中心軸４５１８に対して９０度未満の角度４５２４である。いくつかの実施形態では、角度４５２４は、装置の中心軸に対して５５度の角度である。いくつかの実施形態では、角度４５２４は、吸引装置４５００の中心軸４５１８に対する角度３５度である。いくつかの実施形態では、角度４５２４は、吸引装置４５００の中心軸４５１８に対して８９度の角度である。いくつかの実施形態では、角度４５２４は、吸引装置４５００の中心軸４５１８に対して８８度の角度である。いくつかの実施形態では、角度４５２４は、吸引装置４５００の中心軸４５１８に対して８７度の角度である。いくつかの実施形態では、角度４５２４は、吸引装置４５００の中心軸４５１８に対して８６度の角度である。いくつかの実施形態では、角度４５２４は、吸引装置４５００の中心軸４５１８に対して８５度の角度である。いくつかの実施形態では、角度４５２４は、吸引装置４５００の中心軸４５１８に対して８４度の角度である。いくつかの実施形態では、角度４５２４は、吸引装置４５００の中心軸４５１８に対して８３度の角度である。いくつかの実施形態では、角度４５２４は、吸引装置４５００の中心軸４５１８に対して８２度の角度である。いくつかの実施形態では、角度４５２４は、吸引装置４５００の中心軸４５１８に対して８１度の角度である。いくつかの実施形態では、角度４５２４は、吸引装置４５００の中心軸４５１８に対して８０度の角度である。いくつかの実施形態では、角度４５２４は、吸引装置４５００の中心軸４５１８に対して７９度の角度である。いくつかの実施形態では、角度４５２４は、吸引装置４５００の中心軸４５１８に対して７８度の角度である。いくつかの実施形態では、角度４５２４は、吸引装置４５００の中心軸４５１８に対して７７度の角度である。いくつかの実施形態では、角度４５２４は、吸引装置４５００の中心軸４５１８に対して７６度の角度である。いくつかの実施形態では、角度４５２４は、吸引装置４５００の中心軸４５１８に対して７５度の角度である。いくつかの実施形態では、角度４５２４は、吸引装置４５００の中心軸４５１８に対して７４度の角度である。いくつかの実施形態では、角度４５２４は、吸引装置４５００の中心軸４５１８に対して７３度の角度である。いくつかの実施形態では、角度４５２４は、吸引装置４５００の中心軸４５１８に対して７２度の角度である。いくつかの実施形態では、角度４５２４は、吸引装置４５００の中心軸４５１８に対して７１度の角度である。いくつかの実施形態では、角度４５２４は、吸引装置４５００の中心軸４５１８に対して７０度の角度である。いくつかの実施形態では、角度４５２４は、吸引装置４５００の中心軸４５１８に対して６９度の角度である。いくつかの実施形態では、角度４５２４は、吸引装置４５００の中心軸４５１８に対して６８度の角度である。いくつかの実施形態では、角度４５２４は、吸引装置４５００の中心軸４５１８に対して６７度の角度である。いくつかの実施形態では、角度４５２４は、吸引装置４５００の中心軸４５１８に対して６６度の角度である。いくつかの実施形態では、角度４５２４は、吸引装置４５００の中心軸４５１８に対して６５度の角度である。いくつかの実施形態では、角度４５２４は、吸引装置４５００の中心軸４５１８に対して６４度の角度である。いくつかの実施形態では、角度４５２４は、吸引装置４５００の中心軸４５１８に対して６３度の角度である。いくつかの実施形態では、角度４５２４は、吸引装置４５００の中心軸４５１８に対して６２度の角度である。いくつかの実施形態では、角度４５２４は、吸引装置４５００の中心軸４５１８に対して６１度の角度である。いくつかの実施形態では、角度４５２４は、吸引装置４５００の中心軸４５１８に対して６０度の角度である。いくつかの実施形態では、角度４５２４は、吸引装置４５００の中心軸４５１８に対して５９度の角度である。いくつかの実施形態では、角度４５２４は、吸引装置４５００の中心軸４５１８に対して５８度の角度である。いくつかの実施形態では、角度４５２４は、吸引装置４５００の中心軸４５１８に対して５７度の角度である。いくつかの実施形態では、角度４５２４は、吸引装置４５００の中心軸４５１８に対して５６度の角度である。いくつかの実施形態では、角度４５２４は、吸引装置４５００の中心軸４５１８に対して５５度の角度である。いくつかの実施形態では、角度４５２４は、吸引装置４５００の中心軸４５１８に対して５４度の角度である。いくつかの実施形態では、角度４５２４は、吸引装置４５００の中心軸４５１８に対して５３度の角度である。いくつかの実施形態では、角度４５２４は、吸引装置４５００の中心軸４５１８に対して５２度の角度である。いくつかの実施形態では、角度４５２４は、吸引装置４５００の中心軸４５１８に対して５１度の角度である。いくつかの実施形態では、角度４５２４は、吸引装置４５００の中心軸４５１８に対して５０度の角度である。いくつかの実施形態では、角度４５２４は、吸引装置４５００の中心軸４５１８に対して４９度の角度である。いくつかの実施形態では、角度４５２４は、吸引装置４５００の中心軸４５１８に対して４８度の角度である。いくつかの実施形態では、角度４５２４は、吸引装置４５００の中心軸４５１８に対して４７度の角度である。いくつかの実施形態では、角度４５２４は、吸引装置４５００の中心軸４５１８に対して４６度の角度である。いくつかの実施形態では、角度４５２４は、吸引装置４５００の中心軸４５１８に対して４５度の角度である。いくつかの実施形態では、角度４５２４は、吸引装置４５００の中心軸４５１８に対して４４度の角度である。いくつかの実施形態では、角度４５２４は、吸引装置４５００の中心軸４５１８に対して４３度の角度である。いくつかの実施形態では、角度４５２４は、吸引装置４５００の中心軸４５１８に対して４２度の角度である。いくつかの実施形態では、角度４５２４は、吸引装置４５００の中心軸４５１８に対して４１度の角度である。いくつかの実施形態では、角度４５２４は、吸引装置４５００の中心軸４５１８に対して４０度の角度である。いくつかの実施形態では、角度４５２４は、吸引装置４５００の中心軸４５１８に対して３９度の角度である。いくつかの実施形態では、角度４５２４は、吸引装置４５００の中心軸４５１８に対して３８度の角度である。いくつかの実施形態では、角度４５２４は、吸引装置４５００の中心軸４５１８に対して３７度の角度である。いくつかの実施形態では、角度４５２４は、吸引装置４５００の中心軸４５１８に対して３６度の角度である。いくつかの実施形態では、角度４５２４は、吸引装置４５００の中心軸４５１８に対して３５度の角度である。いくつかの実施形態では、角度４５２４は、吸引装置４５００の中心軸４５１８に対して３４度の角度である。いくつかの実施形態では、角度４５２４は、吸引装置４５００の中心軸４５１８に対して３３度の角度である。いくつかの実施形態では、角度４５２４は、吸引装置４５００の中心軸４５１８に対して３２度の角度である。いくつかの実施形態では、角度４５２４は、吸引装置４５００の中心軸４５１８に対して３１度の角度である。いくつかの実施形態では、角度４５２４は、吸引装置４５００の中心軸４５１８に対して３０度の角度である。いくつかの実施形態では、角度４５２４は、吸引装置４５００の中心軸４５１８に対して２９度の角度である。いくつかの実施形態では、角度４５２４は、吸引装置４５００の中心軸４５１８に対して２８度の角度である。いくつかの実施形態では、角度４５２４は、吸引装置４５００の中心軸４５１８に対して２７度の角度である。いくつかの実施形態では、角度４５２４は、吸引装置４５００の中心軸４５１８に対して２６度の角度である。いくつかの実施形態では、角度４５２４は、吸引装置４５００の中心軸４５１８に対して２５度の角度である。いくつかの実施形態では、角度４５２４は、吸引装置４５００の中心軸４５１８に対して２４度の角度である。いくつかの実施形態では、角度４５２４は、吸引装置４５００の中心軸４５１８に対して２３度の角度である。いくつかの実施形態では、角度４５２４は、吸引装置４５００の中心軸４５１８に対して２２度の角度である。いくつかの実施形態では、角度４５２４は、吸引装置４５００の中心軸４５１８に対して２１度の角度である。いくつかの実施形態では、角度４５２４は、吸引装置４５００の中心軸４５１８に対して２０度の角度である。いくつかの実施形態では、角度４５２４は、吸引装置４５００の中心軸４５１８に対して１９度の角度である。いくつかの実施形態では、角度４５２４は、吸引装置４５００の中心軸４５１８に対して１８度の角度である。いくつかの実施形態では、角度４５２４は、吸引装置４５００の中心軸４５１８に対して１７度の角度である。いくつかの実施形態では、角度４５２４は、吸引装置４５００の中心軸４５１８に対して１６度の角度である。いくつかの実施形態では、角度４５２４は、吸引装置４５００の中心軸４５１８に対して１５度の角度である。いくつかの実施形態では、角度４５２４は、吸引装置４５００の中心軸４５１８に対して１４度の角度である。いくつかの実施形態では、角度４５２４は、吸引装置４５００の中心軸４５１８に対して１３度の角度である。いくつかの実施形態では、角度４５２４は、吸引装置４５００の中心軸４５１８に対して１２度の角度である。いくつかの実施形態では、角度４５２４は、吸引装置４５００の中心軸４５１８に対して１１度の角度である。いくつかの実施形態では、角度４５２４は、吸引装置４５００の中心軸４５１８に対して１０度の角度である。いくつかの実施形態では、角度４５２４は、吸引装置４５００の中心軸４５１８に対して９度の角度である。いくつかの実施形態では、角度４５２４は、吸引装置４５００の中心軸４５１８に対して８度の角度である。いくつかの実施形態では、角度４５２４は、吸引装置４５００の中心軸４５１８に対して７度の角度である。いくつかの実施形態では、角度４５２４は、吸引装置４５００の中心軸４５１８に対して６度の角度である。いくつかの実施形態では、角度４５２４は、吸引装置４５００の中心軸４５１８に対して６度の角度である。いくつかの実施形態では、角度４５２４は、吸引装置４５００の中心軸４５１８に対して５度の角度である。いくつかの実施形態では、角度４５２４は、吸引装置４５００の中心軸４５１８に対して４度の角度である。いくつかの実施形態では、角度４５２４は、吸引装置４５００の中心軸４５１８に対して３度の角度である。いくつかの実施形態では、角度４５２４は、吸引装置４５００の中心軸４５１８に対して２度の角度である。いくつかの実施形態では、角度４５２４は、吸引装置４５００の中心軸４５１８に対して１度の角度である。いくつかの実施形態では、角度４５２４は、吸引装置４５００の中心軸４５１８に対して０度の角度である。いくつかの実施形態では、第２の導管４５１６は、吸引装置４５００の中心軸４５１８に対して０度の角度である。いくつかの実施形態では、第２の導管４５１６は、吸引装置４５００の中心軸４５１８に対して９０度より大きい角度である。いくつかの実施形態では、第２の導管４５１６は、吸引装置４５００の中心軸４５１８に対して、第１の導管４５２６の角度４５２４と一致する角度である。すなわち、いくつかの実施形態では、２つの導管４５１６、４５２４の開口部が互いに直接対向するように第２の導管４５１６の角度が設定されている。第１及び第２の導管４５１４、４５２４は、流体連通する開口部４５２０及び４５２２を含む。第１の導管４５２４の開口部４５２０と第２の導管４５１６の開口部４５２２との間には隙間があり、ここで、隙間は吸引装置４５００の内部空間と連続している。第１の導管４５２４を通り、開口部４５２０を通り、間隙空間を介し
て吸引装置４５００の内部を通り（すなわち、吸引装置４５００の一部を含む間隙空間を通り）、及び第２の導管４５１６内の開口部４５２２を通るガスの加圧された噴流である。吸引装置４５００の内部を通る加圧ガス噴流の方向により、吸引装置４５００内の相対的に低圧の領域を生成する。
【０３６６】
図４６は、図４５の吸引装置４５００の機能を模式的に例示した図である。図示されるように、第１の導管４６２６は、第１の導管４６２６の開口部４６２０を介して高圧ガス噴流４６２８を導く。次いで、高圧ガス噴流４６２８は、第１の導管４６２６の開口部４６２０と第２の導管４６２６の開口部４６２２との間隙を通って通過する。次に、高圧ガス噴流４６２８は、第２の導管４６１６の開口部４６２２を通過し、第２の導管４６１６内へと流れる。高圧ガス噴流４６２８が、吸引装置４５００の内部と連続する第１の開口部４６２０と第２の開口部４６２２との間の隙間を通過すると、吸引装置４５００の内部から空気の量が変位して、吸引装置４５００の内部に相対的に低圧の領域４６０２を発生させる。相対的に低圧の領域４６０２により、装置周囲の環境と吸引装置４５００の内部との間に圧力差が生じるが、これには、吸引装置４５００の環境中の吸引領域から吸引装置４５００の内部に吸引流４６０４を吸引する真空が含まれる。吸引装置によって生成された真空は、吸引装置４５００によって吸引される領域を真空にする。吸引装置４５００によって吸引される材料は吸引装置４５００によって生成された真空を経験することになるが、前記真空は装置４５００周辺の環境と装置４５００の内部との間の圧力差によって生じる。
【０３６７】
図４７は、コアンダ効果を利用して真空を生じさせる吸引装置の概略図である。図示されるように、第１の導管４７２６は、高圧ガス噴流を第２の導管４７２８内に送出する。第２の導管４７２８の壁は、第１の導管４７２６と流体連通する湾曲した区間を含む。第１の導管４７２６は高圧ガス噴流を第２の導管４７２８に送り込むため、高圧ガス噴流が第２の導管４７２８の湾曲した内面に接触する。
【０３６８】
コアンダ効果によると、加圧ガス噴流４７３０は、第２の導管の湾曲した内面に接着する傾向がある。さらに、コアンダ効果に従って、加圧ガス噴流４７３０が第２の導管４７２８の内面の湾曲に沿うように湾曲するにつれて、加圧ガス噴流４７３０は加速される。第２の導管４７２８の内部表面の曲線及び加圧ガス噴流の流れは飛行中の航空機翼と同様に動く。加圧ガスが翼の湾曲部の近くを進むにつれて、加圧ガスは翼表面の空気を変位させ、翼の表面に沿って低圧領域を形成する。加圧ガス流は、その後、圧力ガスの流れがカーブに付着するように、カーブの表面に沿って低圧の領域を優先的に通過する。さらに、加圧ガス流は翼表面の低圧の範囲を流れるので、翼の表面に沿った低圧が流れに対する抵抗を減らし、よって加速される。
【０３６９】
ベルヌーイの原理によれば、加圧ガスにより第２の導管を通る流量を増加するので、第２の導管の内部、又は第２の導管の入口のすぐ外側に圧力低下が生じる。
【０３７０】
これにより、コアンダ効果によるガス噴流４７３０の加速を利用して、吸引装置の内部の相対的に低圧の領域と吸引装置の周囲の環境との間の圧力差を生成又は高めることができ、これにより、吸引装置によって生じる真空が、本明細書に記載されるように、コアンダ効果によって促進される、及び／又は高められる。
【０３７１】
加圧ガス流が第２の導管４７２８に送達される角度により、第２の導管４７２８を含む吸引装置の内部と、吸引装置の周囲の環境との間の圧力差を増加する。いくつかの実施形態では、加圧ガスが第２の導管４７２８に入る角度は、第２の導管４７２８を通過する中心軸に対して９０度である。いくつかの実施形態では、加圧ガスが第２の導管４７２８に入る角度は、第２の導管４７２８を通過する中心軸に対して８９度である。いくつかの実施形態では、加圧ガスが第２の導管４７２８に入る角度は、第２の導管４７２８を通過する中心軸に対して８８度である。いくつかの実施形態では、加圧ガスが第２の導管４７２８に入る角度は、第２の導管４７２８を通過する中心軸に対して８７度である。いくつかの実施形態では、加圧ガスが第２の導管４７２８に入る角度は、第２の導管４７２８を通過する中心軸に対して８６度である。いくつかの実施形態では、加圧ガスが第２の導管４７２８に入る角度は、第２の導管４７２８を通過する中心軸に対して８５度である。いくつかの実施形態では、加圧ガスが第２の導管４７２８に入る角度は、第２の導管４７２８を通過する中心軸に対して８４度である。いくつかの実施形態では、加圧ガスが第２の導管４７２８に入る角度は、第２の導管４７２８を通過する中心軸に対して８３度である。いくつかの実施形態では、加圧ガスが第２の導管４７２８に入る角度は、第２の導管４７２８を通過する中心軸に対して８２度である。いくつかの実施形態では、加圧ガスが第２の導管４７２８に入る角度は、第２の導管４７２８を通過する中心軸に対して８１度である。いくつかの実施形態では、加圧ガスが第２の導管４７２８に入る角度は、第２の導管４７２８を通過する中心軸に対して８６度である。いくつかの実施形態では、加圧ガスが第２の導管４７２８に入る角度は、第２の導管４７２８を通過する中心軸に対して８５度である。いくつかの実施形態では、加圧ガスが第２の導管４７２８に入る角度は、第２の導管４７２８を通過する中心軸に対して８４度である。いくつかの実施形態では、加圧ガスが第２の導管４７２８に入る角度は、第２の導管４７２８を通過する中心軸に対して８３度である。いくつかの実施形態では、加圧ガスが第２の導管４７２８に入る角度は、第２の導管４７２８を通過する中心軸に対して８２度である。いくつかの実施形態では、加圧ガスが第２の導管４７２８に入る角度は、第２の導管４７２８を通過する中心軸に対して８１度である。いくつかの実施形態では、加圧ガスが第２の導管４７２８に入る角度は、第２の導管４７２８を通過する中心軸に対して８０度である。いくつかの実施形態では、加圧ガスが第２の導管４７２８に入る角度は、第２の導管４７２８を通過する中心軸に対して７９度である。いくつかの実施形態では、加圧ガスが第２の導管４７２８に入る角度は、第２の導管４７２８を通過する中心軸に対して７８度である。いくつかの実施形態では、加圧ガスが第２の導管４７２８に入る角度は、第２の導管４７２８を通過する中心軸に対して７７度である。いくつかの実施形態では、加圧ガスが第２の導管４７２８に入る角度は、第２の導管４７２８を通過する中心軸に対して７６度である。いくつかの実施形態では、加圧ガスが第２の導管４７２８に入る角度は、第２の導管４７２８を通過する中心軸に対して７５度である。いくつかの実施形態では、加圧ガスが第２の導管４７２８に入る角度は、第２の導管４７２８を通過する中心軸に対して７４度である。いくつかの実施形態では、加圧ガスが第２の導管４７２８に入る角度は、第２の導管４７２８を通過する中心軸に対して７３度である。いくつかの実施形態では、加圧ガスが第２の導管４７２８に入る角度は、第２の導管７２８を通過する中心軸に対して７２度である。いくつかの実施形態では、加圧ガスが第２の導管４７２８に入る角度は、第２の導管４７２８を通過する中心軸に対して７１度である。いくつかの実施形態では、加圧ガスが第２の導管４７２８に入る角度は、第２の導管４７２８を通過する中心軸に対して７０度である。いくつかの実施形態では、加圧ガスが第２の導管４７２８に入る角度は、第２の導管４７２８を通過する中心軸に対して６９度である。いくつかの実施形態では、加圧ガスが第２の導管４７２８に入る角度は、第２の導管４７２８を通過する中心軸に対して６７度である。いくつかの実施形態では、加圧ガスが第２の導管４７２８に入る角度は、第２の導管４７２８を通過する中心軸に対して６６度である。いくつかの実施形態では、加圧ガスが第２の導管４７２８に入る角度は、第２の導管４７２８を通過する中心軸に対して６５度である。いくつかの実施形態では、加圧ガスが第２の導管４７２８に入る角度は、第２の導管４７２８を通過する中心軸に対して６４度である。いくつかの実施形態では、加圧ガスが第２の導管４７２８に入る角度は、第２の導管４７２８を通過する中心軸に対して６３度である。いくつかの実施形態では、加圧ガスが第２の導管４７２８に入る角度は、第２の導管４７２８を通過する中心軸に対して６２度である。いくつかの実施形態では、加圧ガスが第２の導管４７２８に入る角度は、第２の導管４７２８を通過する中心軸に対して６１度である。いくつかの実施形態では、加圧ガスが第２の導管４７２８に入る角度は、第２の導管４７２８を通過する中心軸に対して６０度である。いくつかの実施形態では、加圧ガスが第２の導管４７２８に入る角度は、第２の導管４７２８を通過する中心軸に対して５９度である。いくつかの実施形態では、加圧ガスが第２の導管４７２８に入る角度は、第２の導管４７２８を通過する中心軸に対して５８度である。いくつかの実施形態では、加圧ガスが第２の導管４７２８に入る角度は、第２の導管４７２８を通過する中心軸に対して５７度である。いくつかの実施形態では、加圧ガスが第２の導管４７２８に入る角度は、第２の導管４７２８を通過する中心軸に対して５６度である。いくつかの実施形態では、加圧ガスが第２の導管４７２８に入る角度は、第２の導管４７２８を通過する中心軸に対して５５度である。いくつかの実施形態では、加圧ガスが第２の導管４７２８に入る角度は、第２の導管４７２８を通過する中心軸に対して５４度である。いくつかの実施形態では、加圧ガスが第２の導管４７２８に入る角度は、第２の導管４７２８を通過する中心軸に対して５３度である。いくつかの実施形態では、加圧ガスが第２の導管４７２８に入る角度は、第２の導管４７２８を通過する中心軸に対して５２度である。いくつかの実施形態では、加圧ガスが第２の導管４７２８に入る角度は、第２の導管４７２８を通過する中心軸に対して５１度である。いくつかの実施形態では、加圧ガスが第２の導管４７２８に入る角度は、第２の導管４７２８を通過する中心軸に対して５０度である。いくつかの実施形態では、加圧ガスが第２の導管４７２８に入る角度は、第２の導管４７２８を通過する中心軸に対して４９度である。いくつかの実施形態では、加圧ガスが第２の導管４７２８に入る角度は、第２の導管４７２８を通過する中心軸に対して４８度である。いくつかの実施形態では、加圧ガスが第２の導管４７２８に入る角度は、第２の導管４７２８を通過する中心軸に対して４７度である。いくつかの実施形態では、加圧ガスが第２の導管４７２８に入る角度は、第２の導管４７２８を通過する中心軸に対して４６度である。いくつかの実施形態では、加圧ガスが第２の導管４７２８に入る角度は、第２の導管４７２８を通過する中心軸に対して４５度である。いくつかの実施形態では、加圧ガスが第２の導管４７２８に入る角度は、第２の導管４７２８を通過する中心軸に対して４４度である。いくつかの実施形態では、加圧ガスが第２の導管４７２８に入る角度は、第２の導管４７２８を通過する中心軸に対して４３度である。いくつかの実施形態では、加圧ガスが第２の導管４７２８に入る角度は、第２の導管４７２８を通過する中心軸に対して４２度である。いくつかの実施形態では、加圧ガスが第２の導管４７２８に入る角度は、第２の導管４７２８を通過する中心軸に対して４１度である。いくつかの実施形態では、加圧ガスが第２の導管４７２８に入る角度は、第２の導管４７２８を通過する中心軸に対して４０度である。いくつかの実施形態では、加圧ガスが第２の導管４７２８に入る角度は、第２の導管４７２８を通過する中心軸に対して３９度である。いくつかの実施形態では、加圧ガスが第２の導管４７２８に入る角度は、第２の導管４７２８を通過する中心軸に対して３８度である。いくつかの実施形態では、加圧ガスが第２の導管４７２８に入る角度は、第２の導管４７２８を通過する中心軸に対して３７度である。いくつかの実施形態では、加圧ガスが第２の導管４７２８に入る角度は、第２の導管４７２８を通過する中心軸に対して３６度である。いくつかの実施形態では、加圧ガスが第２の導管４７２８に入る角度は、第２の導管４７２８を通過する中心軸に対して３５度である。いくつかの実施形態では、加圧ガスが第２の導管４７２８に入る角度は、第２の導管４７２８を通過する中心軸に対して３４度である。いくつかの実施形態では、加圧ガスが第２の導管４７２８に入る角度は、第２の導管４７２８を通過する中心軸に対して３３度である。いくつかの実施形態では、加圧ガスが第２の導管４７２８に入る角度は、第２の導管４７２８を通過する中心軸に対して３２度である。いくつかの実施形態では、加圧ガスが第２の導管４７２８に入る角度は、第２の導管４７２８を通過する中心軸に対して３１度である。いくつかの実施形態では、加圧ガスが第２の導管４７２８に入る角度は、第２の導管４７２８を通過する中心軸に対して３０度である。いくつかの実施形態では、加圧ガスが第２の導管４７２８に入る角度は、第２の導管４７２８を通過する中心軸に対して２９度である。いくつかの実施形態では、加圧ガスが第２の導管４７２８に入る角度は、第２の導管４７２８を通過する中心軸に対して２８度である。いくつかの実施形態では、加圧ガスが第２の導管４７２８に入る角度は、第２の導管４７２８を通過する中心軸に対して２７度である。いくつかの実施形態では、加圧ガスが第２の導管４７２８に入る角度は、第２の導管４７２８を通過する中心軸に対して２６度である。いくつかの実施形態では、加圧ガスが第２の導管４７２８に入る角度は、第２の導管４７２８を通過する中心軸に対して２５度である。いくつかの実施形態では、加圧ガスが第２の導管４７２８に入る角度は、第２の導管４７２８を通過する中心軸に対して２４度である。いくつかの実施形態では、加圧ガスが第２の導管４７２８に入る角度は、第２の導管４７２８を通過する中心軸に対して２３度である。いくつかの実施形態では、加圧ガスが第２の導管４７２８に入る角度は、第２の導管４７２８を通過する中心軸に対して２２度である。いくつかの実施形態では、加圧ガスが第２の導管４７２８に入る角度は、第２の導管４７２８を通過する中心軸に対して２１度である。いくつかの実施形態では、加圧ガスが第２の導管４７２８に入る角度は、第２の導管４７２８を通過する中心軸に対して２０度である。いくつかの実施形態では、加圧ガスが第２の導管４７２８に入る角度は、第２の導管４７２８を通過する中心軸に対して１９度である。いくつかの実施形態では、加圧ガスが第２の導管４７２８に入る角度は、第２の導管４７２８を通過する中心軸に対して１８度である。いくつかの実施形態では、加圧ガスが第２の導管４７２８に入る角度は、第２の導管４７２８を通過する中心軸に対して１７度である。いくつかの実施形態では、加圧ガスが第２の導管４７２８に入る角度は、第２の導管４７２８を通過する中心軸に対して１６度である。いくつかの実施形態では、加圧ガスが第２の導管４７２８に入る角度は、第２の導管４７２８を通過する中心軸に対して１５度である。いくつかの実施形態では、加圧ガスが第２の導管４７２８に入る角度は、第２の導管４７２８を通過する中心軸に対して１４度である。いくつかの実施形態では、加圧ガスが第２の導管４７２８に入る角度は、第２の導管４７２８を通過する中
心軸に対して１３度である。いくつかの実施形態では、加圧ガスが第２の導管４７２８に入る角度は、第２の導管４７２８を通過する中心軸に対して１２度である。いくつかの実施形態では、加圧ガスが第２の導管４７２８に入る角度は、第２の導管４７２８を通過する中心軸に対して１１度である。いくつかの実施形態では、加圧ガスが第２の導管４７２８に入る角度は、第２の導管４７２８を通過する中心軸に対して１０度である。いくつかの実施形態では、加圧ガスが第２の導管４７２８に入る角度は、第２の導管４７２８を通過する中心軸に対して９度である。いくつかの実施形態では、加圧ガスが第２の導管４７２８に入る角度は、第２の導管４７２８を通過する中心軸に対して８度である。いくつかの実施形態では、加圧ガスが第２の導管４７２８に入る角度は、第２の導管４７２８を通過する中心軸に対して７度である。いくつかの実施形態では、加圧ガスが第２の導管４７２８に入る角度は、第２の導管４７２８を通過する中心軸に対して６度である。いくつかの実施形態では、加圧ガスが第２の導管４７２８に入る角度は、第２の導管４７２８を通過する中心軸に対して５度である。
【０３７２】
図４８は、装置の内部と装置を取り巻く環境との間の圧力差が、装置に対する真空及び流量にどのように影響するかを示す。前述のように、吸引装置内の相対的に低圧の領域４８０２と吸引装置周辺の環境との間の圧力差により真空が生じ、その真空は、吸引装置内の相対的に低圧の領域４８０２と吸引装置周辺の環境との間の圧力差の増加に伴って増強する。流動力学（例えば、乱流）に関する要因、ならびに装置に関する機械的要因（例えば、抵抗）は、吸引装置内の相対的に低圧の領域４８０２と、吸引装置周囲の環境との間の圧力差と、非線形である生成された真空との間の関係に寄与する場合がある。しかしながら、これらの要因は、少なくとも吸引装置内の相対的に低圧の領域４８０２と吸引装置周辺の環境との間の異なる圧力差の間隔を通して真空と圧力差との間に実質的に線形関係を生成するために、本明細書に記載される装置、システム及び方法で最適化される。図４８は、吸引装置内の相対的に低圧の領域４８０２と吸引装置の周囲の環境との間の圧力差に対して、吸引装置によって生成される真空を理想化したグラフである。図示されるように、この間隔では、装置が生成する真空は実質的に直線的に増加する。吸引流４８０４は、液体、固形物、ガス又はこれらの組み合わせを含み、吸引装置によって生成された真空によって吸引装置内へ追いやられる。注目すべきことは、吸引流４８０４内の液体、固形物、ガス又はこれらの組み合わせは、所定の真空で、全ての吸引装置に対して同じ程度まで吸引装置内へ吸引されるわけではないということである。すなわち、吸引流内のガス流は、吸引流４８０４内の液体及び／又は固形物流より早く横這いになる。図４８の第２のグラフは、一定の圧力差一間隔を通して（吸引流４８０４内から）横這いになっているガス流を示す。結果として、一旦真空（すなわち、装置内での比較的低い圧力の領域と装置周辺の環境との間の圧力差）はガス流が横這いになると、吸引装置によって生成された元の真空を超える所定の真空により、吸引流４８０４内の吸引装置への液体流れは増加する一方、吸引流内ではガス流は実質的に一定のままとなる。同様に、吸引流４８０４内のガス流が横這いに達する点をはるかに超えて真空が達成される場合、真空の減少（ガス流横這い間隔内）では、吸引流内の液体吸引速度は減少する。本明細書に記載される装置、システム及び方法は、装置４８０２内で、吸引流４８０４内のガス流が横這いになる、そして吸引流４８０４内の液体及び／又は固形物の流れが真空の増減とともに増減し、吸引流４８０４内のガス流が実質的に一定となる点またはその近くで生成される真空度の比較的吸引力が低い領域を生成するように較正される。いくつかの実施形態では、ガス流は、一間隔を通して＋／−２０％以上変化しない限り、実質的に一定である。いくつかの実施形態では、ガス流は、一間隔を通して＋／−１９％以上変化しない限り、実質的に一定である。いくつかの実施形態では、ガス流は、一間隔を通して＋／−１８％以上変化しない限り、実質的に一定である。いくつかの実施形態では、ガス流は、一間隔を通して＋／−１７％以上変化しない限り、実質的に一定である。いくつかの実施形態では、ガス流は、一間隔を通して＋／−１６％以上変化しない限り、実質的に一定である。いくつかの実施形態では、ガス流は、一間隔を通して＋／−１５％以上変化しない限り、実質的に一定である。いくつかの実施形態では、ガス流は、一間隔を通して＋／−１４％以上変化しない限り、実質的に一定である。いくつかの実施形態では、ガス流は、一間隔を通して＋／−１３％以上変化しない限り、実質的に一定である。いくつかの実施形態では、ガス流は、一間隔を通して＋／−１２％以上変化しない限り、実質的に一定である。いくつかの実施形態では、ガス流は、一間隔を通して＋／−１１％以上変化しない限り、実質的に一定である。いくつかの実施形態では、ガス流は、一間隔を通して＋／−１０％以上変化しない限り、実質的に一定である。いくつかの実施形態では、ガス流は、一間隔を通して＋／−９％以上変化しない限り、実質的に一定である。いくつかの実施形態では、ガス流は、一間隔を通して＋／−８％以上変化しない限り、実質的に一定である。いくつかの実施形態では、ガス流は、一間隔を通して＋／−７％以上変化しない限り、実質的に一定である。いくつかの実施形態では、ガス流は、一間隔を通して＋／−６％以上変化しない限り、実質的に一定である。いくつかの実施形態では、ガス流は、一間隔を通して＋／−５％以上変化しない限り、実質的に一定である。いくつかの実施形態では、ガス流は、一間隔を通して＋／−４％以上変化しない限り、実質的に一定である。いくつかの実施形態では、ガス流は、一間隔を通して＋／−３％以上変化しない限り、実質的に一定である。いくつかの実施形態では、ガス流は、一間隔を通して＋／−２％以上変化しない限り、実質的に一定である。いくつかの実施形態では、ガス流は、一間隔を通して＋／−１％以上変化しない限り、実質的に一定である。
【０３７３】
吸引装置の機械的特性の変化がどのようにして吸引装置に対して真空と流量の両方に影響を与えるかを図４９に示す。吸引装置によって生成される真空は、装置内の相対的に低圧の領域４９０２Ａと４９０２Ｂとの間の圧力差によって生成され、吸引装置周辺の環境と、吸引装置自体の機械的特性と同様に吸引流４９０４の流れダイナミクスに特有の要因によっても影響される。例えば、いくつかの実施形態では、第１の導管の直径は調節可能である。第１の導管の直径が減少すると、第１の導管を通り、次いでそれぞれ第１の導管と第２の導管との間の隙間を流れる加圧ガス噴流が減少する。第１の導管の直径が減少することによる高圧ガス噴流の流れが全体的に減少すると、相対的に低圧の領域４９０２Ｂにおいて相対的に高圧（すなわち、より大きな直径でかかる圧力よりも）が生じる。同様に、第１の導管の直径が増加すると、第１の導管、次いでそれぞれ第１の導管と第２の導管との間の隙間、次いで第２の導管を流れる加圧ガス噴流が増加する。第１の導管の直径が増加することによる高圧ガス噴流の流れが全体的に増加すると、相対的に低圧の領域４９０２Ａにおいて相対的に低圧（すなわち、より小さな直径でかかる圧力よりも）が生じる。したがって、より直径が大きい第１の導管は、装置内での圧力が低くなり（すなわち、より小さい直径でかかる圧力よりも）、結果として、本明細書に記載されるように、より高い真空度となる。したがって、第１の導管の直径を大きな直径に調節することにより、真空が増加し、第１の導管の直径をより小さい直径に調節することにより、真空が減少する。通常、真空度が高くなると、吸引流４９０４が増加し、同様に通常、真空度が低くなると、吸引流４９０４が減少する。
【０３７４】
吸引装置を調節して真空内で調節を生成するための方法は他にも多く存在することは当業者であれば理解できよう。例えば、図４５に示される吸引装置４５００のような吸引装置では、装置内への加圧ガスの流入を調節しても（すなわち、外部ガスキャニスタでの流れを調節しても）、真空調節に同様の効果をもたらす。また、別の実施例、ファン機構を用いて吸引力を生成する吸引装置においては、吸引装置の内部と吸引装置の周囲の環境との間の圧力差は、ファンの羽根の回転速度と大きさによって決まる。そのような装置では、ファンの回転速度を減速させることによって、本明細書に記載された主題に従って真空が減少し、その逆もまた同様である。
【０３７５】
図５０は、実質的に一定の流量に対して可変真空がどのように達成されるかを示す。本明細書に記載される装置、システム及び方法によって示される新しい概念は、多くの異なる他の装置、システム及び方法に適用することができる。動的機械的要因、例えば、導管直径は、ガス流が横這いになっている真空の範囲に亘って吸引流内の液体及び／又は固形物が変化する真空の変化によって可変的に影響され、吸引流内のガス流量が実質的に一定である真空を生成するように選択され、最適化されてもよい。例えば、吸引装置は、吸引流の内部のガス流が、装置の内部と装置の周りの環境との間の圧力差が１０ｍｍＨｇで横這いとなるように構成し、また、較正することが可能であり、また同じ圧力差では、液体及び／又は固形物の流量が横這いにならないようにすることができる。この例示的な装置では、圧力差（すなわち、圧力差によって測定される真空）が１１ｍｍＨｇに増加すると、吸引流内の液体及び／又は固形物吸引流量は増加する一方、ガス流量は実質的に一定のままである。同様に、同じ例示の装置において、１４ｍｍＨｇから１１ｍｍＨｇへの圧力差が減少すると、吸引流内の液体及び／又は固形物吸引流量が減少すると思われる。装置内部と装置周辺の環境との圧力差は、本明細書に記載されるように、真空度に関係しており、真空は吸引される領域に印加される真空を決定するため、本明細書に記載される吸引流内の液体及び／又は固形物吸引の増加及び減少は、吸引されるべき領域に印加される真空のそれぞれの増加及び減少の直接的な結果となる。図５０に示されるように、新しい原理を例示するのは、本明細書に記載される装置、システム及び方法は、吸引装置の内部と吸引装置の周囲の環境との間の圧力差に影響を及ぼす吸引装置内に一以上の動的機械的因子を設定し、次いで、動的係数を較正し、少なくとも、ガス流量が横這いになるので、調節間隔を通して調節可能となるとともに、液体及び／又は固形物の流れに影響を及ぼす真空が可変となる（及び調節された動的要素に対して実質的に線形となる）。図示のように、吸引流内の液体及び／又は固体流量に影響を及ぼす真空は、実質的に線形に間隔５００４と関係しており、同じ間隔５００４ガス流は、吸引流内では実質的に一定のままである。間隔５００６は、吸引流量内の液体及び／又は固形物の流れが調節可能である程度を表す。吸引流内の液体及び／又は固形物の流量に影響を及ぼす真空の傾きは、例えば、真空を生成するために使用されるガス流ジェットの圧力によって影響を受け、それによって較正される。すなわち、図４５の吸引装置４５００において、例えば２０ｐｓｉの入力ガス噴流圧力は、例えば、１０ｐｓｉの入力ガス噴流圧力よりも、図５０の真空ラインの急勾配を生じることになる。図５０の真空ラインの勾配の急峻度は、吸引流内部のガス流量が実質的に一定である間に、吸引流５００６内の液体及び／又は固形物吸引流量の調節可能性を高める。いくつかの実施形態では、ガス流は、一間隔を通して＋／−２０％以上変化しない限り、実質的に一定である。いくつかの実施形態では、ガス流は、一間隔を通して＋／−１９％以上変化しない限り、実質的に一定である。いくつかの実施形態では、ガス流は、一間隔を通して＋／−１８％以上変化しない限り、実質的に一定である。いくつかの実施形態では、ガス流は、一間隔を通して＋／−１７％以上変化しない限り、実質的に一定である。いくつかの実施形態では、ガス流は、一間隔を通して＋／−１６％以上変化しない限り、実質的に一定である。いくつかの実施形態では、ガス流は、一間隔を通して＋／−１５％以上変化しない限り、実質的に一定である。いくつかの実施形態では、ガス流は、一間隔を通して＋／−１４％以上変化しない限り、実質的に一定である。いくつかの実施形態では、ガス流は、一間隔を通して＋／−１３％以上変化しない限り、実質的に一定である。いくつかの実施形態では、ガス流は、一間隔を通して＋／−１２％以上変化しない限り、実質的に一定である。いくつかの実施形態では、ガス流は、一間隔を通して＋／−１１％以上変化しない限り、実質的に一定である。いくつかの実施形態では、ガス流は、一間隔を通して＋／−１０％以上変化しない限り、実質的に一定である。いくつかの実施形態では、ガス流は、一間隔を通して＋／−９％以上変化しない限り、実質的に一定である。いくつかの実施形態では、ガス流は、一間隔を通して＋／−８％以上変化しない限り、実質的に一定である。いくつかの実施形態では、ガス流は、一間隔を通して＋／−７％以上変化しない限り、実質的に一定である。いくつかの実施形態では、ガス流は、一間隔を通して＋／−６％以上変化しない限り、実質的に一定である。いくつかの実施形態では、ガス流は、一間隔を通して＋／−５％以上変化しない限り、実質的に一定である。いくつかの実施形態では、ガス流は、一間隔を通して＋／−４％以上変化しない限り、実質的に一定である。いくつかの実施形態では、ガス流は、一間隔を通して＋／−３％以上変化しない限り、実質的に一定である。いくつかの実施形態では、ガス流は、一間隔を通して＋／−２％以上変化しない限り、実質的に一定である。いくつかの実施形態では、ガス流は、一間隔を通して＋／−１％以上変化しない限り、実質的に一定である。
【実施例】
【０３７６】
この研究の目的は、典型的な流量（立方フィート／分、ｃｆｍ）と圧力（ミリメートル水銀、ｍｍＨｇ）を流体の排出、排煙の排気、液体の排出、空気と液体の排出、及び典型的な煙の排気ユニット（Ｒａｐｉｄ  ＶＡＣ、ａｎｄ  ＣｏｎｍｅｄＡＥＲ  Ｄｅｆｅｎｓｅ）と比較することであった。試験は、２４１３１  Ｒｅｖ  Ｘ９と更新されたシャトル弁（２４４４４  Ｒｅｖ  Ｘ２）を用いて行われた。ノートパソコンの時計で時間を計測した。装置に接続された空気圧は、ＳＰＡＮ  ０−１００ｐｓｉの圧力計（ＱＭＳ−５９６）を用いて測定した。装置（０〜１４）のチューナアームの設定は、０インチ〜０．０１１５インチの間隙空間に対応していた。真空は、流量計の出口（接続時）の大気に対する真空であり、メリアム  Ｍ２  シリーズのスマートマノメータ、Ｐ／Ｎ  ＺＭ２００−ＤＮ０２００、ＱＭＳ−６８９を用いて測定した。ΔＰは接続時に流量計を横切る圧力降下であり、メリアム  Ｍ２  シリーズのスマートマノメータ、Ｐ／Ｎ  ＺＭ２００−ＤＮ０２００、ＱＭＳ−６４１で測定した。装置への空気の流量は、キー器具ＦＲ４Ａ６７ＳＶＶＴ流量計を用いて装置入口で測定した。サウンドは、エクステック・インスツルメントＳＬ１３０サウンドメータ、ＱＭＳ−５４８によって測定した。結果は図５１〜５４に表わした。
【０３７７】
図５１は、ブタ試験における煙の排出に関して、様々な装置条件を示す表である。図５２は、ブタ試験における最大静的真空（ｍｍＨｇ）を示す表である。図５３は、ブタ試験における最大静的真空（ｍｍＨｇ）を示すグラフである。図５４は、ブタ実験における最大静的真空（ｍｍＨｇ）を関数としたデシベル（ｄＢ）での聴覚ノイズレベルを示す表である。
【０３７８】
本明細書に記載される様々な実施形態は、周囲の気圧より高い圧力源から作動する。この圧力源は、圧縮空気キャニスタ、空気圧縮機、又は人間の呼気によって供給してもよい。戦場用途又は電気が利用できない他の状況では、本明細書に提示された吸引装置は、周囲の気圧より高い圧力を供給することによって電気なしで作動させることができる。このフィールドでは、圧縮空気シリンダは圧力を供給することができる。あるいは、緊急事態において、本明細書に提示される吸引装置は、人間の呼気から作動させることができる。真空源によって作動する従来の吸引装置は、吸引力を与えるために呼吸を使用すると、人間に危険を与える可能性がある。吸引を行う人は、血液、体液、組織、又はその他の望ましくない要素を吸入する可能性がある。このリスクは、吹くことによって吸引力を生成できる場合には排除される。
【０３７９】
図５５は、２つのＹ軸上のＣＦＭ（立方フィート／分）で測定された吸引流における真空（Ｈ２Ｏを含む任意の大きさのカラムを用いて、Ｈ２Ｏの高さで測定された）とガス流のデータを示すグラフである。Ｘ軸は、本明細書に記載される装置、システム又は方法で使用される導管における間隙空間の直径の変化を測定するものであり、これは、高圧ガス噴流を利用して、吸引装置の内部と吸引装置の周囲の環境との間に圧力差を生成するためのコアンダ効果を利用する。以下のグラフを生成したデータは、本明細書に記載された装置、システム及び方法に従って較正された吸引装置を使用して得られ、吸引流内のガス流量は、３ＣＦＭで実質的に一定であるが、利用可能な液体吸引力は、２．２５〜およそ１．５ｍのＨ２Ｏの間で調節できる。このグラフのデータは、異なる入力ガス流噴射圧力で得られたものである。ガス流は１０ｐｓｉで流入ガス噴流を用いて測定し、真空データを２０ｐｓｉでの流入ガス噴流で測定しながら吸引力を生成した。これらは両方とも１０ｐｓｉで測定されたが、ガス流量は同じ横這い高さとなると予想され、一方、真空はコアンダギャップ長の同じ一間隔を通して緩やかな勾配を有することが予想される。
【０３８０】
本発明の好ましい実施形態について本明細書で示し、説明されてきたが、そのような実施形態は例示のみを目的として提供されていることは当業者には明らかであろう。本発明から逸脱することなく、当業者によって、多くの変形、変化及び置換を行なわれるであろう。本発明の実施には本発明の実施形態に対して種々の実施形態を採用することができることは理解されるべきである。以下のクレームは、本発明の範囲を定義し、これらの特許請求の範囲内の範囲内の方法及び構造、及びそれらの等価物がそれに含まれることを意図している。
【０３８１】
本明細書に記載される様々な実施形態は、周囲の気圧より高い圧力源から作動する。この圧力源は、圧縮空気キャニスタ、空気圧縮機、又は人間の呼気によって供給してもよい。戦場用途又は電気が利用できない他の状況では、本明細書に提示された吸引装置は、周囲の気圧の上に圧力を供給することによって電気なしで作動させることができる。このフィールドでは、圧縮空気シリンダは圧力を供給することができる。あるいは、緊急事態において、本明細書に提示される吸引装置は、人間の呼気から作動させることができる。真空源によって作動する従来の吸引装置は、吸引力を与えるために呼吸を使用すると、人間に危険を与える可能性がある。吸引を行う人は、血液、体液、組織、又はその他の望ましくない要素を吸入する可能性がある。このリスクは、吹くことによって吸引力を生成できる場合には排除される。
【０３８２】
発明の上述の説明は、例示及び説明のために提示したものである。本発明を、開示された正確な形態に限定することを意図するものではなく、また、上記の教示に照らして、他の修正及び変形を可能にすることも可能である。本発明の原理及びその実用的な応用を最良に説明するために、本発明の実施形態を選択して説明したので、他の当業者は、様々な実施形態及び様々な変更を加えて最良の方法で利用できるであろう。意図する特定の利用法添付の特許請求の範囲は、先行技術によって限定される限り、本発明の他の代替的な実施形態を含むものと解釈される。
【図１】
2019513426.tif 000003
【図２】
2019513426.tif 000004
【図３】
2019513426.tif 000005
【図４】
2019513426.tif 000006
【図５】
2019513426.tif 000007
【図６】
2019513426.tif 000008
【図７】
2019513426.tif 000009
【図８】
2019513426.tif 000010
【図９】
2019513426.tif 000011
【図１０Ａ】
2019513426.tif 000012
【図１０Ｂ】
2019513426.tif 000013
【図１１】
2019513426.tif 000014
【図１２】
2019513426.tif 000015
【図１３】
2019513426.tif 000016
【図１４】
2019513426.tif 000017
【図１５】
2019513426.tif 000018
【図１６】
2019513426.tif 000019
【図１７】
2019513426.tif 000020
【図１８】
2019513426.tif 000021
【図１９】
2019513426.tif 000022
【図２０】
2019513426.tif 000023
【図２１Ａ】
2019513426.tif 000024
【図２１Ｂ】
2019513426.tif 000025
【図２１Ｂ１】
2019513426.tif 000026
【図２１Ｃ】
2019513426.tif 000027
【図２１Ｄ】
2019513426.tif 000028
【図２１Ｅ】
2019513426.tif 000029
【図２２Ａ】
2019513426.tif 000030
【図２２Ｂ】
2019513426.tif 000031
【図２２Ｃ】
2019513426.tif 000032
【図２３Ａ】
2019513426.tif 000033
【図２３Ｂ】
2019513426.tif 000034
【図２４Ａ】
2019513426.tif 000035
【図２４Ｂ】
2019513426.tif 000036
【図２４Ｂ１】
2019513426.tif 000037
【図２４Ｃ】
2019513426.tif 000038
【図２４Ｃ１】
2019513426.tif 000039
【図２４Ｄ】
2019513426.tif 000040
【図２４Ｅ】
2019513426.tif 000041
【図２５】
2019513426.tif 000042
【図２６】
2019513426.tif 000043
【図２７】
2019513426.tif 000044
【図２８】
2019513426.tif 000045
【図２９】
2019513426.tif 000046
【図３０】
2019513426.tif 000047
【図３１】
2019513426.tif 000048
【図３２】
2019513426.tif 000049
【図３３】
2019513426.tif 000050
【図３４】
2019513426.tif 000051
【図３５】
2019513426.tif 000052
【図３６】
2019513426.tif 000053
【図３７】
2019513426.tif 000054
【図３８】
2019513426.tif 000055
【図３９】
2019513426.tif 000056
【図４０】
2019513426.tif 000057
【図４１】
2019513426.tif 000058
【図４２】
2019513426.tif 000059
【図４３】
2019513426.tif 000060
【図４４】
2019513426.tif 000061
【図４５】
2019513426.tif 000062
【図４６】
2019513426.tif 000063
【図４７】
2019513426.tif 000064
【図４８】
2019513426.tif 000065
【図４９】
2019513426.tif 000066
【図５０】
2019513426.tif 000067
【図５１】
2019513426.tif 000068
【図５２】
2019513426.tif 000069
【図５３】
2019513426.tif 000070
【図５４】
2019513426.tif 000071
【図５５】
2019513426.tif 000072
【国際調査報告】
2019513426.tif 000073
2019513426.tif 000074